(57)【特許請求の範囲】
【請求項１】
チャネル品質指標（ＣＱＩ）に関する通知方法であって、
取得した第１のＣＱＩテーブルに従って第１のＣＱＩインデックスを取得するステップと、
前記第１のＣＱＩインデックスに従って第１の変調符号化方式ＭＣＳインデックスを決定するために、前記第１のＣＱＩインデックスを基地局に送信するステップと、
を含み、
前記第１のＣＱＩテーブルは、
変調方式が６４直角位相振幅変調ＱＡＭより高いエントリと、
第２のＣＱＩテーブルにおいて変調方式が４相位相偏移変調ＱＰＳＫである少なくとも１つのエントリと、および／または
前記第２のＣＱＩテーブルにおいて変調方式が１６ＱＡＭである少なくとも１つのエントリであって、変調方式がＱＰＳＫである前記少なくとも１つのエントリは、前記第２のＣＱＩテーブルにおいて変調方式がＱＰＳＫである前記少なくとも１つのエントリを含む組合せのうち第１の組合せを除く組合せを含み、前記第１の組合せは、前記第２のＣＱＩテーブル内のＱＰＳＫに対応する連続する最大ＣＱＩインデックスを有するＮ個のエントリでありＮは３に等しい、少なくとも１つのエントリと、
を含み、
前記第２のＣＱＩテーブルのエントリの変調方式はＱＰＳＫ、１６ＱＡＭ、および６４ＱＡＭのみを含み、
前記第１のＣＱＩテーブルにおいて変調方式が６４ＱＡＭより高い前記エントリのうち、最小のＣＱＩインデックスに対応するエントリのスペクトル効率は、前記第２のＣＱＩテーブルにおいて変調方式が６４ＱＡＭである全てのエントリのうち最大ＣＱＩインデックスに対応するエントリのスペクトル効率に等しい、
方法。
【請求項２】
前記第２のＣＱＩテーブルにおいて変調方式がＱＰＳＫである前記少なくとも１つのエントリは、
前記第２のＣＱＩテーブルにおいて変調方式がＱＰＳＫである幾つかのエントリであって、前記幾つかのエントリに対応するＣＱＩインデックスは均等な間隔にある幾つかのエントリ
を含む、請求項１に記載の方法。
【請求項３】
前記第２のＣＱＩテーブルにおいて変調方式が１６ＱＡＭである前記少なくとも１つのエントリは、
前記第２のＣＱＩテーブルにおいて変調方式が１６ＱＡＭである全てのエントリ
を含む、請求項１に記載の方法。
【請求項４】
前記第１のＣＱＩテーブルはさらに、前記第２のＣＱＩテーブルにおいて変調方式が６４ＱＡＭである少なくとも１つのエントリを含む、請求項１乃至３の何れか１項に記載の方法。
【請求項５】
前記変調方式が６４ＱＡＭである前記少なくとも１つのエントリは、
前記第２のＣＱＩテーブルにおいて変調方式が６４ＱＡＭである幾つかのエントリ、および、前記第２のＣＱＩテーブルにおいて変調方式が６４ＱＡＭである全てのエントリのうち、最大ＣＱＩインデックスに対応するエントリを除く少なくとも１つのエントリ
を含む、請求項４に記載の方法。
【請求項６】
変調符号化方式ＭＣＳのための通知方法であって、
ＵＥにより送信された第１のチャネル品質指標（ＣＱＩ）インデックスを受信するステップであって、前記第１のＣＱＩインデックスは、取得した第１のＣＱＩテーブルに従って前記ＵＥにより決定される、ステップと、
第１のＭＣＳインデックスを、前記取得した第１のＣＱＩテーブル、取得した第１のＭＣＳテーブル、および前記受信した第１のＣＱＩインデックスに従って決定するステップと、
前記決定された第１のＭＣＳインデックスを前記ＵＥに送信するステップと、
を含み、
前記第１のＣＱＩテーブルは、
変調方式が６４ＱＡＭより高いエントリと、
第２のＣＱＩテーブルにおいて変調方式がＱＰＳＫである少なくとも１つのエントリと、および／または、
前記第２のＣＱＩテーブルにおいて変調方式が１６ＱＡＭである少なくとも１つのエントリであって、変調方式がＱＰＳＫである前記少なくとも１つのエントリは、前記第２のＣＱＩテーブルにおいて変調方式がＱＰＳＫである前記少なくとも１つのエントリにより形成された組合せのうち第１の組合せを除く組合せを含み、前記第１の組合せは、前記第２のＣＱＩテーブル内のＱＰＳＫに対応する連続する最大ＣＱＩインデックスを有するＮ個のエントリでありＮは３に等しい、少なくとも１つのエントリと、
を含み、
前記第１のＣＱＩテーブルにおいて変調方式が６４ＱＡＭより高い前記エントリのうち、最小のＣＱＩインデックスに対応するエントリのスペクトル効率は、前記第２のＣＱＩテーブルにおいて変調方式が６４ＱＡＭである全てのエントリのうち最大ＣＱＩインデックスに対応するエントリのスペクトル効率に等しく、
前記第２のＣＱＩテーブルにおける変調方式はＱＰＳＫ、１６ＱＡＭ、および６４ＱＡＭのみを含み、
前記第１のＭＣＳテーブルは、
変調方式が６４ＱＡＭより高いエントリと、
第２のＭＣＳテーブルにおいて変調方式がＱＰＳＫである少なくとも１つのエントリと、および／または、
前記第２のＭＣＳテーブルにおいて変調方式が１６ＱＡＭである少なくとも１つのエントリと、
を含み、
変調方式がＱＰＳＫである前記少なくとも１つのエントリは、前記第２のＭＣＳテーブルにおいて変調方式がＱＰＳＫである前記少なくとも１つのエントリにより形成された組合せのうち第２の組合せを除く組合せを含み、前記第２の組合せは、前記第２のＭＣＳテーブル内のＱＰＳＫに対応する連続する最大ＭＣＳインデックスを有するＫ個のエントリであり、Ｋは４に等しいかまたはＫは５未満の正の整数であるかまたはＫは正の整数であり、
前記第２のＭＣＳテーブルにおいて変調方式はＱＰＳＫ、１６ＱＡＭ、および６４ＱＡＭのみを含む、
方法。
【請求項７】
前記取得した第１のＣＱＩテーブル、取得した第１のＭＣＳテーブル、および前記受信した第１のＣＱＩインデックスに従って第１のＭＣＳインデックスを決定するステップは、
取得した第１のＰＲＢ量、前記取得した第１のＣＱＩテーブル、前記取得した第１のＭＣＳテーブル、および前記受信した第１のＣＱＩインデックスに従って、第１のＴＢＳインデックスおよび前記第１のＭＣＳインデックスを決定するステップ
を含み、
前記第１のＰＲＢ量は基地局により前記ＵＥに割り当てられたＰＲＢ量であるか、または、前記第１のＰＲＢ量は前記ＵＥに割り当てられたＰＲＢ量と特定の係数の積以下の最大整数であり、
第１のＴＢＳテーブルは各ＴＢＳインデックスに対応する少なくとも１つのＰＲＢ量および各ＰＲＢ量に対応する転送ブロック・サイズを含み、前記第１のＴＢＳテーブルは前記第１のＭＣＳテーブルに対応するＴＢＳテーブルであり、
前記第１のＴＢＳテーブル内のＴＢＳインデックスの値範囲は０乃至Ｂであり、Ｂは２６以上の正の整数であり、値範囲が前記第１のＴＢＳテーブルにおいて０乃至２６であるＴＢＳインデックスに対応する転送ブロック・サイズは値範囲が第２のＴＢＳテーブルにおいて０乃至２６であるＴＢＳインデックスに対応する転送ブロック・サイズと同じであり、前記第２のＴＢＳテーブル内のＴＢＳインデックスの値範囲は０乃至２６であり、前記第２のＴＢＳテーブルは各ＴＢＳインデックスに対応する少なくとも１つのＰＲＢ量および各ＰＲＢ量に対応する転送ブロック・サイズを含む、
請求項６に記載の方法。
【請求項８】
第１のＴＢＳインデックスを、取得した第１のＰＲＢ量、前記取得した第１のＣＱＩテーブル、前記取得したＭＣＳＴＢＳテーブル、および前記受信した第１のＣＱＩインデックスに従って決定するステップは、
前記第１のＣＱＩテーブルおよび前記受信した第１のＣＱＩインデックスに従って、前記受信した第１のＣＱＩインデックスに対応する第１の変調方式および第１のスペクトル効率を決定するステップと、
前記第１のＰＲＢ量および前記第１のスペクトル効率に従って、前記ＵＥに送信された第１の転送ブロック・サイズを学習するステップと、
前記第１のＴＢＳテーブルに従って、前記第１のＴＢＳテーブル内の前記第１の転送ブロック・サイズおよび前記第１のＰＲＢ量に対応する前記第１のＴＢＳインデックスを取得するステップと、
を含む、請求項７に記載の方法。
【請求項９】
前記第２のＭＣＳテーブルにおいて変調方式がＱＰＳＫである前記少なくとも１つのエントリは、
前記第２のＭＣＳテーブルにおいて変調方式がＱＰＳＫである幾つかのエントリであって、前記幾つかのエントリに対応するＭＣＳインデックスは均等な間隔にある、幾つかのエントリ
を含む、請求項６乃至８の何れか１項に記載の方法。
【請求項１０】
前記第１のＭＣＳテーブルはさらに、前記第２のＭＣＳテーブルにおいて変調方式が６４ＱＡＭである少なくとも１つのエントリを含む、請求項６乃至９の何れか１項に記載の方法。
【請求項１１】
前記第２のＭＣＳテーブル内の前記変調方式が６４ＱＡＭである前記少なくとも１つのエントリは、
前記第２のＭＣＳテーブルにおいて変調方式が６４ＱＡＭである幾つかのエントリ、および前記第２のＭＣＳテーブルにおいて変調方式が６４ＱＡＭである全てのエントリのうち、最小のＭＣＳインデックスを有するエントリを除く少なくとも１つのエントリ
を含む、請求項１０に記載の方法。
【請求項１２】
チャネル品質指標ＣＱＩのための通知装置であって、
第１のＣＱＩテーブルを取得するように構成されたプロセッサであって、前記第１のＣＱＩテーブルに従って第１のＣＱＩインデックスを学習するように構成された、プロセッサと、
前記第１のＣＱＩインデックスに従って第１の変調符号化方式ＭＣＳインデックスを決定するために、前記プロセッサにより学習された前記第１のＣＱＩインデックスを基地局に送信するように構成された送信器と、
を備え、
前記プロセッサにより取得された前記第１のＣＱＩテーブルは、
変調方式が６４直角位相振幅変調ＱＡＭより高いエントリと、
第２のＣＱＩテーブルにおいて変調方式が４相位相偏移変調ＱＰＳＫである少なくとも１つのエントリと、および／または、
前記第２のＣＱＩテーブルにおいて変調方式が１６ＱＡＭである少なくとも１つのエントリであって、変調方式がＱＰＳＫである前記少なくとも１つのエントリは、前記第２のＣＱＩテーブルにおいて変調方式がＱＰＳＫである前記少なくとも１つのエントリにより形成された組合せのうち第１の組合せを除く組合せを含み、前記第１の組合せは、前記第２のＣＱＩテーブル内のＱＰＳＫに対応する連続する最大ＣＱＩインデックスを有するＮ個のエントリでありＮは３に等しい、少なくとも１つのエントリと、
を含み、
前記第２のＣＱＩテーブルのエントリの変調方式はＱＰＳＫ、１６ＱＡＭ、および６４ＱＡＭのみを含み、
前記第１のＣＱＩテーブルにおいて変調方式が６４ＱＡＭより高い前記エントリのうち、最小のＣＱＩインデックスに対応するエントリのスペクトル効率は、前記第２のＣＱＩテーブルにおいて変調方式が６４ＱＡＭである全てのエントリのうち最大ＣＱＩインデックスに対応するエントリのスペクトル効率に等しい、
通知装置。
【請求項１３】
前記プロセッサにより取得された前記第１のＣＱＩテーブルに含まれ、前記第２のＣＱＩテーブルにおいて変調方式がＱＰＳＫである前記少なくとも１つのエントリは、
前記第２のＣＱＩテーブルにおいて変調方式がＱＰＳＫである幾つかのエントリであって、前記幾つかのエントリに対応するＣＱＩインデックスは均等な間隔にある幾つかのエントリ
を含む、請求項１２に記載の装置。
【請求項１４】
前記プロセッサにより取得された前記第１のＣＱＩテーブル内の前記第２のＣＱＩテーブルにおいて変調方式が１６ＱＡＭである前記少なくとも１つのエントリは、
前記第２のＣＱＩテーブルにおいて変調方式が１６ＱＡＭである全てのエントリ
を含む、請求項１２に記載の装置。
【請求項１５】
前記プロセッサにより取得された前記第１のＣＱＩテーブルはさらに、前記第２のＣＱＩテーブルにおいて変調方式が６４ＱＡＭである少なくとも１つのエントリを含む、請求項１２に記載の装置。
【請求項１６】
前記プロセッサにより取得された前記第１のＣＱＩテーブルにおいて変調方式が６４ＱＡＭである前記少なくとも１つのエントリは、
前記第２のＣＱＩテーブルにおいて変調方式が６４ＱＡＭである幾つかのエントリ、および、前記第２のＣＱＩテーブルにおいて変調方式が６４ＱＡＭである全てのエントリのうち、最大ＣＱＩインデックスに対応するエントリを除く少なくとも１つのエントリ
を含む、請求項１５に記載の装置。
【請求項１７】
変調符号化方式ＭＣＳのための通知装置であって、
第１のＣＱＩテーブルおよび第１のＭＣＳテーブルを取得するように構成されたプロセッサと、
ＵＥにより送信された第１のチャネル品質指標（ＣＱＩ）インデックスを受信するように構成された受信モジュールであって、前記第１のＣＱＩインデックスは前記第１のＣＱＩテーブルに従って前記ＵＥにより決定される、受信器と、
前記決定された第１のＭＣＳインデックスを前記ＵＥに送信するように構成された送信器と、
を備え、
前記プロセッサは、前記第１のＣＱＩテーブル、前記第１のＭＣＳテーブル、および前記受信器により受信された前記第１のＣＱＩインデックスに従って第１のＭＣＳインデックスを決定するように構成され、
前記プロセッサにより取得された前記第１のＣＱＩテーブルは、
変調方式が６４ＱＡＭより高いエントリと、
第２のＣＱＩテーブルにおいて変調方式がＱＰＳＫである少なくとも１つのエントリと、および／または、
前記第２のＣＱＩテーブルにおいて変調方式が１６ＱＡＭである少なくとも１つのエントリであって、変調方式がＱＰＳＫである前記少なくとも１つのエントリは、前記第２のＣＱＩテーブルにおいて変調方式がＱＰＳＫである前記少なくとも１つのエントリにより形成された組合せのうち第１の組合せを除く組合せを含み、前記第１の組合せは、前記第２のＣＱＩテーブル内のＱＰＳＫに対応する連続する最大ＣＱＩインデックスを有するＮ個のエントリでありＮは３に等しい、少なくとも１つのエントリと、
を含み、
前記第１のＣＱＩテーブルにおいて変調方式が６４ＱＡＭより高い前記エントリのうち、最小のＣＱＩインデックスに対応するエントリのスペクトル効率は、前記第２のＣＱＩテーブルにおいて変調方式が６４ＱＡＭである全てのエントリのうち最大ＣＱＩインデックスに対応するエントリのスペクトル効率に等しく、
前記第２のＣＱＩテーブルにおける変調方式はＱＰＳＫ、１６ＱＡＭ、および６４ＱＡＭのみを含み、
前記プロセッサにより取得された前記第１のＭＣＳテーブルは、
変調方式が６４ＱＡＭより高いエントリと、
第２のＭＣＳテーブルにおいて変調方式がＱＰＳＫである少なくとも１つのエントリと、および／または、
前記第２のＭＣＳテーブルにおいて変調方式が１６ＱＡＭである少なくとも１つのエントリと、
を含み、
変調方式がＱＰＳＫである前記少なくとも１つのエントリは、前記第２のＭＣＳテーブルにおいて変調方式がＱＰＳＫである前記少なくとも１つのエントリにより形成された組合せのうち第２の組合せを除く組合せを含み、前記第２の組合せは、前記第２のＭＣＳテーブル内のＱＰＳＫに対応する連続する最大ＭＣＳインデックスを有するＫ個のエントリであり、Ｋは４に等しいかまたはＫは５未満の正の整数であるかまたはＫは正の整数であり、
前記第２のＭＣＳテーブルにおいて変調方式はＱＰＳＫ、１６ＱＡＭ、および６４ＱＡＭのみを含む、
装置。
【請求項１８】
前記プロセッサは特に、取得した第１のＰＲＢ量、前記第１のＣＱＩテーブル、前記第１のＭＣＳテーブル、および前記受信した第１のＣＱＩインデックスに従って、第１のＴＢＳインデックスおよび前記第１のＭＣＳインデックスを決定するように構成され、
前記第１のＰＲＢ量は基地局により前記ＵＥに割り当てられたＰＲＢ量であるか、または、前記第１のＰＲＢ量は前記ＵＥに割り当てられたＰＲＢ量と特定の係数の積以下の最大整数であり、
第１のＴＢＳテーブルは各ＴＢＳインデックスに対応する少なくとも１つのＰＲＢ量および各ＰＲＢ量に対応する転送ブロック・サイズを含み、前記第１のＴＢＳテーブルは前記第１のＭＣＳテーブルに対応するＴＢＳテーブルであり、
前記第１のＴＢＳテーブル内のＴＢＳインデックスの値範囲は０乃至Ａであり、Ａは２６以下の正の整数であるか、または、前記第１のＴＢＳテーブル内のＴＢＳインデックスの値範囲は０乃至Ｂであり、Ｂは２６以上の正の整数であり、値範囲が前記第１のＴＢＳテーブルにおいて０乃至２６であるＴＢＳインデックスに対応する転送ブロック・サイズは値範囲が第２のＴＢＳテーブルにおいて０乃至２６であるＴＢＳインデックスに対応する転送ブロック・サイズと同じであり、前記第２のＴＢＳテーブル内のＴＢＳインデックスの値範囲は０乃至２６であり、前記第２のＴＢＳテーブルは各ＴＢＳインデックスに対応する少なくとも１つのＰＲＢ量および各ＰＲＢ量に対応する転送ブロック・サイズを含む、
請求項１７に記載の装置。
【請求項１９】
前記プロセッサは特に、
前記第１のＣＱＩテーブルおよび前記受信器により受信された前記第１のＣＱＩインデックスに従って、前記受信した第１のＣＱＩインデックスに対応する第１の変調方式および第１のスペクトル効率を決定し、
前記取得された第１のＰＲＢ量および前記第１のスペクトル効率に従って、前記ＵＥに送信された第１の転送ブロック・サイズを学習し、
前記第１のＴＢＳテーブルに従って、前記第１の転送ブロック・サイズおよび前記第１のＴＢＳテーブル内の前記第１のＰＲＢ量に対応する前記第１のＴＢＳインデックスを取得する
ように構成された、請求項１８に記載の装置。
【請求項２０】
前記プロセッサにより取得された前記第１のＭＣＳテーブル内の前記第２のＭＣＳテーブルにおいて変調方式がＱＰＳＫである前記少なくとも１つのエントリは、
前記第２のＭＣＳテーブルにおいて変調方式がＱＰＳＫである幾つかのエントリであって、前記幾つかのエントリに対応するＭＣＳインデックスは均等な間隔にある、幾つかのエントリ
を含む、請求項１７乃至１９の何れか１項に記載の装置。
【請求項２１】
前記プロセッサにより取得された前記第１のＭＣＳテーブルはさらに、前記第２のＭＣＳテーブルにおいて変調方式が６４ＱＡＭである少なくとも１つのエントリを含む、請求項１７乃至２０の何れか１項に記載の装置。
【請求項２２】
前記プロセッサにより取得された前記第１のＣＱＩテーブル内の前記第２のＭＣＳテーブルにおいて前記変調方式が６４ＱＡＭである前記少なくとも１つのエントリは、
前記第２のＭＣＳテーブルにおいて変調方式が６４ＱＡＭである全てのエントリ、または、
前記第２のＭＣＳテーブルにおいて変調方式が６４ＱＡＭである幾つかのエントリ、および前記第２のＭＣＳテーブルにおいて変調方式が６４ＱＡＭである全てのエントリのうち、最小のＭＣＳインデックスを有するエントリを除く少なくとも１つのエントリ
を含む、請求項２１に記載の装置。
【発明の詳細な説明】
【技術分野】
【０００１】
本願は、発明の名称を「チャネル品質指標ならびに変調方式および符号化方式に対する通知方法および装置」とした２０１３年６月８日に出願されたＰＣＴ特許出願第ＰＣＴ／ＣＮ２０１３／０７７０２３号に対する優先権を主張し、その全体を引用により本明細書に組み込む。
【０００２】
本発明は通信の分野に関し、特に、チャネル品質指標ならびに変調方式および符号化方式に対する通知方法および装置に関する。
【背景技術】
【０００３】
今日、ロング・ターム・エボリューション（ＬＴＥ、Ｌｏｎｇ  Ｔｅｒｍ  Ｅｖｏｌｕｔｉｏｎ）システムにおいて、物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）に対する適合的手続きは以下の通りである。ユーザ機器（ＵＥ、Ｕｓｅｒ  Ｅｑｕｉｐｍｅｎｔ）がチャネル状態情報（ＣＳＩ、Ｃｈａｎｎｅｌ  Ｓｔａｔｅ  Ｉｎｆｏｒｍａｔｉｏｎ）を測定するために使用されるチャネル情報を推定し、ＵＥが、当該チャネル情報を用いることにより、最適ランク指標（ＲＩ、Ｒａｎｋ  Ｉｎｄｉｃａｔｉｏｎ）および／またはプリコーディング行列指標（ＰＭＩ、Ｐｒｅｃｏｄｉｎｇ  Ｍａｔｒｉｘ  Ｉｎｄｉｃａｔｉｏｎ）に基づいて信号対雑音干渉比（ＳＩＮＲ、Ｓｉｇｎａｌ  ｔｏ  Ｉｎｔｅｒｆｅｒｅｎｃｅ  ｐｌｕｓ  Ｎｏｉｓｅ  Ｒａｔｉｏ）を計算し、ＵＥがＳＩＮＲに従って対応するチャネル品質指標（ＣＱＩ、Ｃｈａｎｎｅｌ  Ｑｕａｌｉｔｙ  Ｉｎｄｉｃａｔｏｒ）を取得し、ＣＱＩ値を基地局に報告する。基地局が、ＵＥが報告したチャネル品質指標（ＣＱＩ、Ｃｈａｎｎｅｌ  Ｑｕａｌｉｔｙ  Ｉｎｄｉｃａｔｏｒ）値とネットワーク条件に従って、変調方式と符号化方式（ＭＣＳ、Ｍｏｄｕｌａｔｉｏｎ  ａｎｄ  Ｃｏｄｉｎｇ  Ｓｃｈｅｍｅ）をＵＥに割り当てる。ＭＣＳは、現在ＰＤＳＣＨにより使用されている変調方式と符号化方式を示すために使用される。
【０００４】
ホットスポットのシナリオでは、例えば、中継（Ｒｅｌａｙ）シナリオまたはＬＴＥホットスポット改善（ＬＴＥ−Ｈｉ、ＬＴＥ  Ｈｏｔｓｐｏｔ  Ｉｍｐｒｏｖｅｍｅｎｔｓ）シナリオでは、ＵＥは６４直角位相振幅変調（ＱＡＭ、Ｑｕａｄｒａｔｕｒｅ  Ａｍｐｌｉｔｕｄｅ  Ｍｏｄｕｌａｔｉｏｎ）より高い変調方式を必要とする。しかし、先行技術における制限のため、最大ＣＱＩ値は１５であり、当該ＣＱＩ値に対応する変調方式は６４ＱＡＭである。結果として、ＵＥは６４ＱＡＭより高い変調方式を選択できず、それによりシステム性能に影響が及ぶ。同様に、基地局は６４ＱＡＭより高い変調方式をＵＥに割り当てることができない。
Ｒ４−１３１７４２（３ＧＰＰ  ＴＳＧ−ＲＡＮ  ＷＧ４  Ｍｅｅｔｉｎｇ  ＃６６  ｂｉｓ）は、幾つかの結果が期待されるスループットとＢＬＥＲ性能に存在することを開示している。スモール・セルでは、より高い受信されたまたは粗いデプロイメントである。異なる符号化率での２５６ＱＡＭの性能を評価するために、レガシーのＣＱＩテーブルにおいて幾つかの予備的な新規のエントリが仮定されている。
Ｒ１−１３１３２８（３ＧＰＰ  ＴＳＧ−ＲＡＮ  ＷＧ１  Ｍｅｅｔｉｎｇ  ７３  ｂｉｓ）は、高次の変調方式によるスモール・セル構成におけるダウンリンクスペクトル効率の向上が対応する研究のトピックでありＲＡＮ１  ＃７２［２］に提出された貢献において幾つかの企業により議論されていることを開示している。当該貢献において、我々は、ＰＤＳＣＨ送信に対して２５６ＱＡＭを効果的に使用するために満たすべき要件を議論し、ＭＣＳ指示とＣＱＩ報告の観点から制御信号の必要な適合化および／または拡張をさらに議論している。
【発明の概要】
【課題を解決するための手段】
【０００５】
本発明の諸実施形態ではチャネル品質指標ならびに変調方式および符号化方式のための通知方法および装置を提供し、ＵＥと基地局が６４ＱＡＭより高い変調方式を選択するのをサポートし、それによりシステム性能を高める。
【０００６】
上記目的を実現するために、以下の技術的解決策を本発明の諸実施形態で使用する。
【０００７】
第１の態様によれば、ＣＱＩに関する通知方法が提供される。当該方法は、取得した第１のＣＱＩテーブルに従って第１のＣＱＩインデックスを学習するステップと、基地局が第１のＣＱＩインデックスに従って第１の変調符号化方式ＭＣＳインデックスを決定するように、第１のＣＱＩインデックスを基地局に送信するステップとを含み、第１のＣＱＩテーブルは、変調方式が６４直角位相振幅変調ＱＡＭより高いエントリと、第２のＣＱＩテーブルにおいて変調方式が４相位相偏移変調ＱＰＳＫである少なくとも１つのエントリと、および／または、前記第２のＣＱＩテーブル内の変調方式が１６ＱＡＭである少なくとも１つのエントリを含み、変調方式がＱＰＳＫである少なくとも１つのエントリは、第２のＣＱＩテーブルにおいて変調方式がＱＰＳＫである少なくとも１つのエントリにより形成された組合せのうち第１の組合せを除く組合せを含み、第１の組合せは、第２のＣＱＩテーブル内のＱＰＳＫに対応するＣＱＩインデックスが連続する最大のインデックスであるＮ個のエントリであり、Ｎは３に等しく、第２のＣＱＩテーブルのエントリの変調方式はＱＰＳＫ、１６ＱＡＭ、および６４ＱＡＭのみを含む。
【０００８】
第１の態様を参照して、第１の可能な実装方式では、第２のＣＱＩテーブルにおいて変調方式がＱＰＳＫである少なくとも１つのエントリは、第２のＣＱＩテーブルにおいて変調方式がＱＰＳＫである幾つかのエントリであって、当該幾つかのエントリに対応するＣＱＩインデックスは均等な間隔にある、幾つかのエントリか、または、第２のＣＱＩテーブルにおいて変調方式がＱＰＳＫである幾つかのエントリであって、当該幾つかのエントリに対応するＣＱＩインデックスは均等な間隔にない、幾つかのエントリか、または、第２のＣＱＩテーブルにおいて変調方式がＱＰＳＫである幾つかのエントリ、および、第２のＣＱＩテーブルにおいて変調方式がＱＰＳＫである全てのエントリのうち最大ＣＱＩインデックスに対応するエントリを除く少なくとも１つのエントリであって、当該幾つかのエントリに対応するＣＱＩインデックスは不連続である、幾つかのエントリおよび少なくとも１つのエントリか、または、第２のＣＱＩテーブルにおいて変調方式がＱＰＳＫである幾つかのエントリ、および、当該ＣＱＩテーブルにおいて変調方式がＱＰＳＫである全てのエントリのうち最大ＣＱＩインデックスに対応するエントリを除く少なくとも１つのエントリであって、当該幾つかのエントリに対応するＣＱＩインデックスは連続的である、幾つかのエントリおよび少なくとも１つのエントリを含む。
【０００９】
第１の態様を参照して、第２の可能な実装方式では、第２のＣＱＩテーブルにおける変調方式が１６ＱＡＭである少なくとも１つのエントリは、第２のＣＱＩテーブルにおいて変調方式が１６ＱＡＭである全てのエントリか、または、第２のＣＱＩテーブルにおいて変調方式が１６ＱＡＭである全てのエントリのうち、最小のＣＱＩインデックスに対応するエントリを除く少なくとも１つのエントリを含む。
【００１０】
第１の態様または最初の２つの可能な実装方式を参照して、第３の可能な実装方式では、第１のＣＱＩテーブルはさらに、第２のＣＱＩテーブルにおいて変調方式が６４ＱＡＭである少なくとも１つのエントリを含む。
【００１１】
第３の可能な実装方式を参照して、第４の可能な実装方式では、変調方式が６４ＱＡＭである少なくとも１つのエントリは、第２のＣＱＩテーブルにおいて変調方式が６４ＱＡＭである全てのエントリか、または、第２のＣＱＩテーブルにおいて変調方式が６４ＱＡＭである全てのエントリのうち、第２のＣＱＩテーブルにおいて変調方式が６４ＱＡＭである幾つかのエントリと最大ＣＱＩインデックスに対応するエントリを除く少なくとも１つのエントリとを含む。
【００１２】
第１の態様を参照して、第５の可能な実装方式では、第１のＣＱＩテーブルにおける変調方式が６４ＱＡＭより高いエントリのうち最小のＣＱＩインデックスに対応するエントリのスペクトル効率は、第２のＣＱＩテーブルにおいて変調方式が６４ＱＡＭである全てのエントリのうち最大ＣＱＩインデックスに対応するエントリのスペクトル効率に等しい。
【００１３】
第１の態様を参照して、第６の可能な実装方式では、第１のＣＱＩテーブルにおける変調方式が６４ＱＡＭより高いエントリのうち最大ＣＱＩインデックスに対応するＸ個のエントリのスペクトル効率が算術数列またはほぼ算術数列においてスペクトル効率の昇順で配置され、変調方式が６４ＱＡＭより高いエントリのうち最大ＣＱＩインデックスに対応するＸ個のエントリのスペクトル効率が算術数列においてスペクトル効率の昇順で配置されるということは、スペクトル効率の昇順で、当該Ｘ個のエントリの２番目のエントリから開始して、各エントリのスペクトル効率と当該エントリの先行エントリのスペクトル効率の差分が同一の定数に等しいことを示し、変調方式が６４ＱＡＭより高いエントリのうち最大ＣＱＩインデックスに対応するＸ個のエントリのスペクトル効率がほぼ算術数列においてスペクトル効率の昇順で配置されるということは、スペクトル効率の昇順で、当該Ｘ個のエントリの２番目のエントリから開始して、各エントリのスペクトル効率と当該エントリの先行エントリのスペクトル効率の差分は、定数から所定値を引いたものから当該定数に当該所定値を足したものまでの範囲内にあり、Ｘは２より大きい整数であるということを示す。
【００１４】
第１の態様を参照して、第７の可能な実装方式では、第１のＣＱＩテーブルにおける変調方式が６４ＱＡＭより高いエントリは変調方式が２５６ＱＡＭである少なくとも３つのエントリを含み、変調方式が２５６ＱＡＭである少なくとも３つのエントリのスペクトル効率が算術数列またはほぼ算術数列においてスペクトル効率の昇順で配置され、変調方式が２５６ＱＡＭである少なくとも３つのエントリのスペクトル効率が算術数列においてスペクトル効率の昇順で配置されるということは、スペクトル効率の昇順で、変調方式が２５６ＱＡＭである少なくとも３つのエントリの２番目のエントリから開始して、各エントリのスペクトル効率と当該エントリの先行エントリのスペクトル効率の差分が同一の定数に等しいことを示し、変調方式が２５６ＱＡＭである少なくとも３つのエントリのスペクトル効率がほぼ算術数列においてスペクトル効率の昇順で配置されるということは、スペクトル効率の昇順で、変調方式が２５６ＱＡＭである少なくとも３つのエントリの２番目のエントリから開始して、各エントリのスペクトル効率と当該エントリの先行エントリのスペクトル効率の差分は、定数から所定値を引いたものから当該定数に当該所定値を足したものまでの範囲内にあることを示す。
【００１５】
第１の態様を参照して、第８の可能な実装方式では、第１のＣＱＩテーブルは変調方式が６４ＱＡＭより高い少なくとも３つのエントリを含み、変調方式が６４ＱＡＭより高い少なくとも３つのエントリのスペクトル効率が算術数列またはほぼ算術数列においてスペクトル効率の昇順で配置され、変調方式が６４ＱＡＭより高い少なくとも３つのエントリのスペクトル効率が算術数列またはほぼ算術数列においてスペクトル効率の昇順で配置されるということは、スペクトル効率の昇順で、変調方式が６４ＱＡＭより高い少なくとも３つのエントリの２番目のエントリから開始して、各エントリのスペクトル効率と当該エントリの先行エントリのスペクトル効率の差分が同一の定数に等しいことを示し、変調方式が６４ＱＡＭより高い少なくとも３つのエントリのスペクトル効率がほぼ算術数列においてスペクトル効率の昇順で配置されるということは、スペクトル効率の昇順で、変調方式が６４ＱＡＭより高い少なくとも３つのエントリの２番目のエントリから開始して、各エントリのスペクトル効率と当該エントリの先行エントリのスペクトル効率の差分は、定数から所定値を引いたものから当該定数に当該所定値を足したものまでの範囲内にあることを示す。
【００１６】
第６乃至第８の可能な実装方式の何れか１つを参照して、第９の可能な実装方式では、当該定数は第１の閾値以下である。
【００１７】
第１の態様を参照して、第１０の可能な実装方式では、第１のＣＱＩテーブルにおける変調方式が６４ＱＡＭより高いエントリのうち最大ＣＱＩインデックスに対応するＸ個のエントリの任意の２つの隣接エントリのスペクトル効率の差分の絶対値は第１の閾値以下であるか、または、第１のＣＱＩテーブルにおける変調方式が６４ＱＡＭより高いエントリは変調方式が２５６ＱＡＭである少なくとも２つのエントリを含み、変調方式が２５６ＱＡＭである少なくとも２つのエントリの任意の２つの隣接エントリのスペクトル効率の差分の絶対値は第１の閾値以下であるか、または、第１のＣＱＩテーブルは変調方式が６４ＱＡＭより高い少なくとも２つのエントリを含み、変調方式が６４ＱＡＭより高い少なくとも２つのエントリの任意の２つの隣接エントリのスペクトル効率の差分の絶対値は第１の閾値以下である。
【００１８】
第６の可能な実装方式または第１０の可能な実装方式を参照して、第１１の可能な実装方式では、Ｘ＝３である。
【００１９】
第９の可能な実装方式または第１０の可能な実装方式を参照して、第１２の可能な実装方式では、第１の閾値は、第１のＣＱＩテーブルにおいて変調方式が６４ＱＡＭ以下である任意の２つの隣接エントリのスペクトル効率の差分の絶対値の最小値であるか、または、第１のＣＱＩテーブルにおいて変調方式が同一であり変調方式が６４ＱＡＭ以下である任意の２つの隣接エントリのスペクトル効率の差分の絶対値の最小値であるか、または、第１のＣＱＩテーブルにおいて変調方式が６４ＱＡＭに等しい任意の２つの隣接エントリのスペクトル効率の差分の絶対値の最小値であるか、または、第１のＣＱＩテーブルにおいて変調方式が１６ＱＡＭに等しい任意の２つの隣接エントリのスペクトル効率の差分の絶対値の最小値であるか、または、第１のＣＱＩテーブルにおいて変調方式がＱＰＳＫに等しい任意の２つの隣接エントリのスペクトル効率の差分の絶対値の最小値である。
【００２０】
第１の態様または最初の１２個の可能な実装方式の何れか１つを参照して、第１３の可能な実装方式では、第１のＣＱＩテーブル内のＣＱＩインデックスの値範囲は第２のＣＱＩテーブル内のＣＱＩインデックスの値範囲と同じである。
【００２１】
第２の態様を参照すると、ＭＣＳに関する通知方法が提供される。当該方法は、端末ＵＥにより送信された第１のチャネル品質指標ＣＱＩインデックスを受信するステップであって、第１のＣＱＩインデックスは取得した第１のＣＱＩテーブルに従ってＵＥにより決定されるステップと、第１のＣＱＩテーブル、第１のＭＣＳテーブル、および受信した第１のＣＱＩインデックスに従って、第１のＭＣＳインデックスを決定するステップと、決定された第１のＭＣＳインデックスをＵＥに送信するステップとを含み、第１のＣＱＩテーブルは、変調方式が６４ＱＡＭより高いエントリと、第２のＣＱＩテーブルにおいて変調方式がＱＰＳＫである少なくとも１つのエントリであって、変調方式がＱＰＳＫである少なくとも１つのエントリは、第２のＣＱＩテーブルにおいて変調方式がＱＰＳＫである少なくとも１つのエントリにより形成された組合せのうち第１の組合せを除く組合せを含み、第１の組合せは、第２のＣＱＩテーブル内のＱＰＳＫに対応する連続する最大ＣＱＩインデックスを有するＮ個のエントリであり、Ｎは３に等しいかまたはＮは４未満の正の整数であるかまたはＮは正の整数である少なくとも１つのエントリ、および／または第２のＣＱＩテーブルにおいて変調方式が１６ＱＡＭである少なくとも１つのエントリとを含み、第２のＣＱＩテーブルにおける変調方式はＱＰＳＫ、１６ＱＡＭ、および６４ＱＡＭのみを含み、第１のＭＣＳテーブルは、変調方式が６４ＱＡＭより高いエントリと、第２のＭＣＳテーブルにおいて変調方式がＱＰＳＫである少なくとも１つのエントリであって、変調方式がＱＰＳＫである少なくとも１つのエントリは、第２のＭＣＳテーブルにおいて変調方式がＱＰＳＫである少なくとも１つのエントリにより形成された組合せのうち第２の組合せを除く組合せを含み、当該第２の組合せは、第２のＭＣＳテーブル内のＱＰＳＫに対応する連続する最大ＭＣＳインデックスを有するＫ個のエントリであり、Ｋは４に等しいかまたはＫは５未満の正の整数であるかまたはＫは正の整数である少なくとも１つのエントリ、および／または第２のＭＣＳテーブルにおいて変調方式が１６ＱＡＭである少なくとも１つのエントリとを含み、第２のＭＣＳテーブルにおいて変調方式はＱＰＳＫ、１６ＱＡＭ、および６４ＱＡＭのみを含む。
【００２２】
第２の態様を参照して、第１の可能な実装方式では、取得した第１のＣＱＩテーブル、決定した第１のＭＣＳテーブル、および受信した第１のＣＱＩインデックスに従って第１のＭＣＳインデックスを決定するステップは、第１のＰＲＢ量、前記第１のＣＱＩテーブル、第１のＭＣＳテーブル、および受信した第１のＣＱＩインデックスに従って、第１のＴＢＳインデックスおよび第１のＭＣＳインデックスを決定するステップを含み、第１のＰＲＢ量は基地局によりＵＥに割り当てられたＰＲＢ量であるか、または、第１のＰＲＢ量はＵＥに割り当てられたＰＲＢ量と特定の係数の積以下の最大整数であり、第１のＴＢＳテーブルは各ＴＢＳインデックスに対応する少なくとも１つのＰＲＢ量および各ＰＲＢ量に対応する転送ブロック・サイズを含み、第１のＴＢＳテーブルは第１のＭＣＳテーブルに対応するＴＢＳテーブルであり、第１のＴＢＳテーブル内のＴＢＳインデックスの値範囲は０乃至Ａであり、Ａは２６以下の正の整数であるか、または、第１のＴＢＳテーブル内のＴＢＳインデックスの値範囲は０乃至Ｂであり、Ｂは２６以上の正の整数であり、第１のＴＢＳテーブルにおける値範囲が０乃至２６であるＴＢＳインデックスに対応する転送ブロック・サイズは値範囲が第２のＴＢＳテーブルにおいて０乃至２６であるＴＢＳインデックスに対応する転送ブロック・サイズと同じであり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する転送ブロック・サイズを含む。
【００２３】
第１の可能な実装方式を参照して第２の可能な実装方式では、第１のＴＢＳインデックスを、第１のＣＱＩテーブル、第１のＰＲＢ量、第１のＴＢＳテーブル、および受信した第１のＣＱＩインデックスに従って決定するステップは、第１のＣＱＩテーブルおよび受信した第１のＣＱＩインデックスに従って、受信した第１のＣＱＩインデックスに対応する第１の変調方式および第１のスペクトル効率を決定するステップと、第１のＰＲＢ量および第１のスペクトル効率に従って、ＵＥに送信された第１の転送ブロック・サイズを学習するステップと、第１のＴＢＳテーブルに従って、第１のＴＢＳテーブル内の第１の転送ブロック・サイズおよび第１のＰＲＢ量に対応する第１のＴＢＳインデックスを取得するステップとを含む。
【００２４】
第２の態様または最初の２つの可能な実装方式の何れかを参照して、第３の可能な実装方式では、第２のＣＱＩテーブルにおいて変調方式がＱＰＳＫである少なくとも１つのエントリは、第２のＣＱＩテーブルにおいて変調方式がＱＰＳＫである幾つかのエントリであって、当該幾つかのエントリに対応するＣＱＩインデックスは均等な間隔にある、幾つかのエントリか、または、第２のＣＱＩテーブルにおいて変調方式がＱＰＳＫである幾つかのエントリであって、当該幾つかのエントリに対応するＣＱＩインデックスは均等な間隔にない、幾つかのエントリか、または、第２のＣＱＩテーブルにおいて変調方式がＱＰＳＫである幾つかのエントリ、および、第２のＣＱＩテーブルにおいて変調方式がＱＰＳＫである全てのエントリのうち最大ＣＱＩインデックスに対応するエントリを除く少なくとも１つのエントリであって、当該幾つかのエントリに対応するＣＱＩインデックスは不連続である、幾つかのエントリおよび少なくとも１つのエントリか、または、第２のＣＱＩテーブルにおいて変調方式がＱＰＳＫである幾つかのエントリ、および、当該ＣＱＩテーブルにおいて変調方式がＱＰＳＫである全てのエントリのうち最大ＣＱＩインデックスに対応するエントリを除く少なくとも１つのエントリであって、当該幾つかのエントリに対応するＣＱＩインデックスは連続的である、幾つかのエントリおよび少なくとも１つのエントリを含む。
【００２５】
第２の態様または最初の２つの可能な実装方式の何れかを参照して、第４の可能な実装方式では、第２のＣＱＩテーブルにおける変調方式が１６ＱＡＭである少なくとも１つのエントリは、第２のＣＱＩテーブルにおいて変調方式が１６ＱＡＭである全てのエントリか、または、第２のＣＱＩテーブルにおいて変調方式が１６ＱＡＭである全てのエントリのうち、最小のＣＱＩインデックスに対応するエントリを除く少なくとも１つのエントリを含む。
【００２６】
第２の態様または最初の４つの可能な実装方式のうち何れか１つを参照して、第５の可能な実装方式では、第１のＣＱＩテーブルはさらに、第２のＣＱＩテーブルにおいて変調方式が６４ＱＡＭである少なくとも１つのエントリを含む。
【００２７】
第５の可能な実装方式を参照して、第６の可能な実装方式では、変調方式が６４ＱＡＭである少なくとも１つのエントリは、第２のＣＱＩテーブルにおいて変調方式が６４ＱＡＭである全てのエントリか、または、第２のＣＱＩテーブルにおいて変調方式が６４ＱＡＭである幾つかのエントリ、および、第２のＣＱＩテーブルにおいて変調方式が６４ＱＡＭである全てのエントリのうち最大ＣＱＩインデックスに対応するエントリを除く少なくとも１つのエントリを含む。
【００２８】
第２の態様または最初の６つの可能な実装方式の何れか１つを参照して、第７の可能な実装方式では、第１のＣＱＩテーブルにおける変調方式が６４ＱＡＭより高いエントリのうち最小のＣＱＩインデックスに対応するエントリのスペクトル効率は、第２のＣＱＩテーブルにおいて変調方式が６４ＱＡＭである全てのエントリのうち最大ＣＱＩインデックスに対応するエントリのスペクトル効率に等しい。
【００２９】
第２の態様を参照して、第８の可能な実装方式では、第１のＣＱＩテーブルにおける変調方式が６４ＱＡＭより高いエントリのうち最大ＣＱＩインデックスに対応するＸ個のエントリのスペクトル効率が算術数列またはほぼ算術数列においてスペクトル効率の昇順で配置され、変調方式が６４ＱＡＭより高いエントリのうち最大ＣＱＩインデックスに対応するＸ個のエントリのスペクトル効率が算術数列においてスペクトル効率の昇順で配置されるということは、スペクトル効率の昇順で、当該Ｘ個のエントリの２番目のエントリから開始して、各エントリのスペクトル効率と当該エントリの先行エントリのスペクトル効率の差分が同一の定数に等しいことを示し、変調方式が６４ＱＡＭより高いエントリのうち最大ＣＱＩインデックスに対応するＸ個のエントリのスペクトル効率がほぼ算術数列においてスペクトル効率の昇順で配置されるということは、スペクトル効率の昇順で、当該Ｘ個のエントリの２番目のエントリから開始して、各エントリのスペクトル効率と当該エントリの先行エントリのスペクトル効率の差分は、定数から所定値を引いたものから当該定数に当該所定値を足したものまでの範囲内にあり、Ｘは２より大きい整数であるということを示す。
【００３０】
第２の態様を参照して、第９の可能な実装方式では、第１のＣＱＩテーブルにおける変調方式が６４ＱＡＭより高いエントリは変調方式が２５６ＱＡＭである少なくとも３つのエントリを含み、変調方式が２５６ＱＡＭである少なくとも３つのエントリのスペクトル効率が算術数列またはほぼ算術数列においてスペクトル効率の昇順で配置され、変調方式が２５６ＱＡＭである少なくとも３つのエントリのスペクトル効率が算術数列においてスペクトル効率の昇順で配置されるということは、スペクトル効率の昇順で、変調方式が２５６ＱＡＭである少なくとも３つのエントリの２番目のエントリから開始して、各エントリのスペクトル効率と当該エントリの先行エントリのスペクトル効率の差分が同一の定数に等しいことを示し、変調方式が２５６ＱＡＭである少なくとも３つのエントリのスペクトル効率がほぼ算術数列においてスペクトル効率の昇順で配置されるということは、スペクトル効率の昇順で、変調方式が２５６ＱＡＭである少なくとも３つのエントリの２番目のエントリから開始して、各エントリのスペクトル効率と当該エントリの先行エントリのスペクトル効率の差分は、定数から所定値を引いたものから当該定数に当該所定値を足したものまでの範囲内にあることを示す。
【００３１】
第２の態様を参照して、第１０の可能な実装方式では、第１のＣＱＩテーブルは変調方式が６４ＱＡＭより高い少なくとも３つのエントリを含み、変調方式が６４ＱＡＭより高い少なくとも３つのエントリのスペクトル効率が算術数列またはほぼ算術数列においてスペクトル効率の昇順で配置され、変調方式が６４ＱＡＭより高い少なくとも３つのエントリのスペクトル効率が算術数列またはほぼ算術数列においてスペクトル効率の昇順で配置されるということは、スペクトル効率の昇順で、変調方式が６４ＱＡＭより高い少なくとも３つのエントリの２番目のエントリから開始して、各エントリのスペクトル効率と当該エントリの先行エントリのスペクトル効率の差分が同一の定数に等しいことを示し、変調方式が６４ＱＡＭより高い少なくとも３つのエントリのスペクトル効率がほぼ算術数列においてスペクトル効率の昇順で配置されるということは、スペクトル効率の昇順で、変調方式が６４ＱＡＭより高い少なくとも３つのエントリの２番目のエントリから開始して、各エントリのスペクトル効率と当該エントリの先行エントリのスペクトル効率の差分は、定数から所定値を引いたものから当該定数に当該所定値を足したものまでの範囲内にあることを示す。
【００３２】
第８乃至第１０の可能な実装方式の何れか１つを参照して、第１１の可能な実装方式では、当該定数は第１の閾値以下である。
【００３３】
第２の態様を参照して、第１２の可能な実装方式では、第１のＣＱＩテーブルにおける変調方式が６４ＱＡＭより高いエントリのうち最大ＣＱＩインデックスに対応するＸ個のエントリの任意の２つの隣接エントリのスペクトル効率の差分の絶対値は第１の閾値以下であるか、または、第１のＣＱＩテーブルにおける変調方式が６４ＱＡＭより高いエントリは変調方式が２５６ＱＡＭである少なくとも２つのエントリを含み、変調方式が２５６ＱＡＭである少なくとも２つのエントリの任意の２つの隣接エントリのスペクトル効率の差分の絶対値は第１の閾値以下であるか、または、第１のＣＱＩテーブルは変調方式が６４ＱＡＭより高い少なくとも２つのエントリを含み、変調方式が６４ＱＡＭより高い少なくとも２つのエントリの任意の２つの隣接エントリのスペクトル効率の差分の絶対値は第１の閾値以下である。
【００３４】
第８の可能な実装方式または第１２の可能な実装方式を参照して、第１３の可能な実装方式では、Ｘ＝３である。
【００３５】
第１１および第１２の可能な実装方式の何れかを参照して、第１４の可能な実装方式では、第１の閾値は、第１のＣＱＩテーブルにおいて変調方式が６４ＱＡＭ以下である任意の２つの隣接エントリのスペクトル効率の差分の絶対値の最小値であるか、または、第１のＣＱＩテーブルにおいて変調方式が同一であり変調方式が６４ＱＡＭ以下である任意の２つの隣接エントリのスペクトル効率の差分の絶対値の最小値であるか、または、第１のＣＱＩテーブルにおいて変調方式が６４ＱＡＭに等しい任意の２つの隣接エントリのスペクトル効率の差分の絶対値の最小値であるか、または、第１のＣＱＩテーブルにおいて変調方式が１６ＱＡＭに等しい任意の２つの隣接エントリのスペクトル効率の差分の絶対値の最小値であるか、または、第１のＣＱＩテーブルにおいて変調方式がＱＰＳＫに等しい任意の２つの隣接エントリのスペクトル効率の差分の絶対値の最小値である。
【００３６】
第２の態様または最初の１４個の可能な実装方式の何れかを参照して、第１５の可能な実装方式では、第１のＣＱＩテーブル内のＣＱＩインデックスの値範囲は第２のＣＱＩテーブル内のＣＱＩインデックスの値範囲と同じである。
【００３７】
第２の態様または最初の２つの可能な実装方式の何れかを参照して、第１６の可能な実装方式では、第２のＭＣＳテーブルにおいて変調方式がＱＰＳＫである少なくとも１つのエントリは、第２のＭＣＳテーブルにおいて変調方式がＱＰＳＫである幾つかのエントリであって、当該幾つかのエントリに対応するＭＣＳインデックスは均等な間隔にある、幾つかのエントリか、または、第２のＭＣＳテーブルにおいて変調方式がＱＰＳＫである幾つかのエントリであって、当該幾つかのエントリに対応するＭＣＳインデックスは均等な間隔にない、幾つかのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは連続的である、幾つかのエントリおよび少なくとも１つのエントリを含む。
【００３８】
第２の態様または最初の２つの可能な実装方式の何れかを参照して、第１７の可能な実装方式では、第２のＭＣＳテーブルにおける変調方式が１６ＱＡＭである少なくとも１つのエントリは、第２のＭＣＳテーブルにおける変調方式が１６ＱＡＭである全てのエントリか、または、第２のＭＣＳテーブルにおける変調方式が１６ＱＡＭである幾つかのエントリであって、当該幾つかのエントリに対応するＭＣＳインデックスは均等な間隔にある、幾つかのエントリか、または、第２のＭＣＳテーブルにおける変調方式が１６ＱＡＭである幾つかのエントリであって、当該幾つかのエントリに対応するＭＣＳインデックスは均等な間隔にない、幾つかのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち、最大の第２のＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大のＭＣＳインデックスを有するエントリを除く少なくとも１つのエントリであって、当該幾つかのエントリに対応するＭＣＳインデックスは連続的である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大ＭＣＳインデックスを有するエントリおよび最小のＭＣＳインデックスを有するエントリを除く少なくとも１つのエントリを含む。
【００３９】
第２の態様または第１、第２、第１６、および第１７の可能な実装方式の何れかを参照して、第１８の可能な実装方式では、第１のＭＣＳテーブルはさらに、第２のＭＣＳテーブルにおいて変調方式が６４ＱＡＭである少なくとも１つのエントリを含む。
【００４０】
第１８の可能な実装方式を参照して、第１９の可能な実装方式では、第２のＭＣＳテーブルにおける変調方式が６４ＱＡＭである少なくとも１つのエントリは、第２のＭＣＳテーブルにおいて変調方式が６４ＱＡＭである全てのエントリか、または、第２のＭＣＳテーブルにおいて変調方式が６４ＱＡＭである幾つかのエントリ、および、第２のＭＣＳテーブルにおいて変調方式が６４ＱＡＭである全てのエントリのうち最小のＭＣＳインデックスを有するエントリを除く少なくとも１つのエントリを含む。
【００４１】
第１８または第１９の可能な実装方式を参照して、第２０の可能な実装方式では、第２のＭＣＳテーブルにおける変調方式が６４ＱＡＭである少なくとも１つのエントリは、第２のＭＣＳテーブルにおける変調方式が６４ＱＡＭである全てのエントリのうち最大ＭＣＳインデックスを有するエントリ内のＴＢＳインデックスと同じである、第１のＭＣＳテーブルにおける変調方式が６４ＱＡＭより高い全てのエントリのうち最小のＭＣＳインデックスに対応するエントリ内のＴＢＳインデックスを含む。
【００４２】
第１６乃至第２０の可能な実装方式の何れかを参照して、第２１の可能な実装方式では、第１のＭＣＳテーブル内のＭＣＳインデックスの値範囲は第２のＭＣＳテーブル内のＭＣＳインデックスの値範囲と同じである。
【００４３】
第３の態様を参照すると、ＭＣＳに関する通知方法が提供される。当該方法は、基地局により第１のＣＱＩインデックスを受信するステップであって、第１のＣＱＩインデックスは取得した第１のＣＱＩテーブルに従ってＵＥにより決定される、ステップと、第１のＣＱＩテーブル、第１のＭＣＳテーブル、および受信した第１のＣＱＩインデックスに従って、第１のＭＣＳインデックスを決定するステップと、決定された第１のＭＣＳインデックスをＵＥに送信するステップと、を含み、第１のＣＱＩテーブルは変調方式が６４ＱＡＭより高いエントリを含み、第１のＣＱＩテーブル内のエントリは、第１のＣＱＩテーブル内の各ＣＱＩインデックスに対応する１つの変調方式、１つの符号化率、および１つのスペクトル効率を指し、第１のＭＣＳテーブルは、変調方式が６４ＱＡＭより高いエントリと、第２のＭＣＳテーブルにおいて変調方式がＱＰＳＫである少なくとも１つのエントリであって、変調方式がＱＰＳＫである少なくとも１つのエントリは第２のＭＣＳテーブルにおいて変調方式がＱＰＳＫである少なくとも１つのエントリにより形成された組合せのうち第１の組合せを除く組合せを含み、第１の組合せは、第２のＭＣＳテーブル内のＱＰＳＫに対応する連続する最大ＭＣＳインデックスを有するＫ個のエントリであり、Ｋは４に等しいかまたはＫは５未満の正の整数であるかまたはＫは正の整数である少なくとも１つのエントリ、および／または第２のＭＣＳテーブルにおいて変調方式が１６ＱＡＭである少なくとも１つのエントリと、を含み、第２のＭＣＳテーブルにおいて変調方式はＱＰＳＫ、１６ＱＡＭ、および６４ＱＡＭのみを含む。
【００４４】
第３の態様を参照して、第１の可能な実装方式では、第２のＭＣＳテーブルにおいて変調方式がＱＰＳＫである少なくとも１つのエントリは、第２のＭＣＳテーブルにおいて変調方式がＱＰＳＫである幾つかのエントリであって、当該幾つかのエントリに対応するＭＣＳインデックスは均等な間隔にある、幾つかのエントリか、または、第２のＭＣＳテーブルにおいて変調方式がＱＰＳＫである幾つかのエントリであって、当該幾つかのエントリに対応するＭＣＳインデックスは均等な間隔にない、幾つかのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは連続的である、幾つかのエントリおよび少なくとも１つのエントリを含む。
【００４５】
第３の態様を参照して、第２の可能な実装方式では、第２のＭＣＳテーブルにおける変調方式が１６ＱＡＭである少なくとも１つのエントリは、第２のＭＣＳテーブルにおける変調方式が１６ＱＡＭである全てのエントリか、または、第２のＭＣＳテーブルにおける変調方式が１６ＱＡＭである幾つかのエントリであって、当該幾つかのエントリに対応するＭＣＳインデックスは均等な間隔にある、幾つかのエントリか、または、第２のＭＣＳテーブルにおける変調方式が１６ＱＡＭである幾つかのエントリであって、当該幾つかのエントリに対応するＭＣＳインデックスは均等な間隔にない、幾つかのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち、最大の第２のＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大のＭＣＳインデックスを有するエントリを除く少なくとも１つのエントリであって、当該幾つかのエントリに対応するＭＣＳインデックスは連続的である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大ＭＣＳインデックスを有するエントリおよび最小のＭＣＳインデックスを有するエントリを除く少なくとも１つのエントリを含む。
【００４６】
第３の態様または最初の２つの可能な実装方式の何れかを参照して、第３の可能な実装方式では、第１のＭＣＳテーブルはさらに、第２のＭＣＳテーブルにおいて変調方式が６４ＱＡＭである少なくとも１つのエントリを含む。
【００４７】
第３の可能な実装方式を参照して、第４の可能な実装方式では、第２のＭＣＳテーブルにおける変調方式が６４ＱＡＭである少なくとも１つのエントリは、第２のＭＣＳテーブルにおいて変調方式が６４ＱＡＭである全てのエントリか、または、第２のＭＣＳテーブルにおいて変調方式が６４ＱＡＭである幾つかのエントリ、および、第２のＭＣＳテーブルにおいて変調方式が６４ＱＡＭである全てのエントリのうち最小のＭＣＳインデックスを有するエントリを除く少なくとも１つのエントリを含む。
【００４８】
第３または第４の可能な実装方式を参照して、第５の可能な実装方式では、第２のＭＣＳテーブルにおける変調方式が６４ＱＡＭである少なくとも１つのエントリは、第２のＭＣＳテーブルにおける変調方式が６４ＱＡＭである全てのエントリのうち最大ＭＣＳインデックスを有するエントリ内のＴＢＳインデックスと同じである、第１のＭＣＳテーブルにおける変調方式が６４ＱＡＭより高い全てのエントリのうち最小のＭＣＳインデックスに対応するエントリ内のＴＢＳインデックスを含む。
【００４９】
第３の態様または最初の５つの可能な実装方式を参照して、第６の可能な実装方式では、第１のＭＣＳテーブル内のＭＣＳインデックスの値範囲は第２のＭＣＳテーブル内のＭＣＳインデックスの値範囲と同じである。
【００５０】
第４の態様を参照すると、ＭＣＳに関する通知方法が提供される。当該方法は、基地局により送信された第１のＭＣＳインデックスを受信するステップであって、第１のＭＣＳインデックスは第１のＭＣＳテーブルに従って基地局により決定される、ステップと、第１のＭＣＳテーブルおよび受信した第１のＭＣＳインデックスに従って変調順序および符号ブロック・サイズを決定するステップと、を含み、第１のＭＣＳテーブルは、変調方式が６４ＱＡＭより高いエントリと、第２のＭＣＳテーブルにおいて変調方式がＱＰＳＫである少なくとも１つのエントリであって、変調方式がＱＰＳＫである少なくとも１つのエントリは第２のＭＣＳテーブルにおいて変調方式がＱＰＳＫである少なくとも１つのエントリにより形成された組合せのうち第１の組合せを除く組合せを含み、第１の組合せは、第２のＭＣＳテーブル内のＱＰＳＫに対応する連続する最大ＭＣＳインデックスを有するＫ個のエントリであり、Ｋは４に等しいかまたはＫは５未満の正の整数であるかまたはＫは正の整数である少なくとも１つのエントリ、および／または第２のＭＣＳテーブルにおいて変調方式が１６ＱＡＭである少なくとも１つのエントリとを含み、第２のＭＣＳテーブルにおいて変調方式はＱＰＳＫ、１６ＱＡＭ、および６４ＱＡＭのみを含む。
【００５１】
第４の態様を参照して、第１の可能な実装方式では、第１のＭＣＳテーブルおよび受信した第１のＭＣＳインデックスに従って変調順序および符号ブロック・サイズを決定するステップは、第１のＭＣＳテーブルおよび受信した第１のＭＣＳインデックスに従って、第１のＴＢＳインデックスおよび変調順序を決定するステップと、第１のＴＢＳインデックス、第１のＰＲＢ量、および第１のＴＢＳテーブルに従って、符号ブロック・サイズを決定するステップとを含み、第１のＰＲＢ量は基地局によりＵＥに割り当てられたＰＲＢ量であるか、または、第１のＰＲＢ量はＵＥに割り当てられたＰＲＢ量と特定の係数の積以下の最大整数であり、第１のＴＢＳテーブルは各ＴＢＳインデックスに対応する少なくとも１つのＰＲＢ量および各ＰＲＢ量に対応する転送ブロック・サイズを含み、第１のＴＢＳテーブルは第１のＭＣＳテーブルに対応するＴＢＳテーブルであり、第１のＴＢＳテーブル内のＴＢＳインデックスの値範囲は０乃至Ａであり、Ａは２６以下の正の整数であるか、または、第１のＴＢＳテーブル内のＴＢＳインデックスの値範囲は０乃至Ｂであり、Ｂは２６以上の正の整数であり、第１のＴＢＳテーブルにおける値範囲が０乃至２６であるＴＢＳインデックスに対応する転送ブロック・サイズは値範囲が第２のＴＢＳテーブルにおいて０乃至２６であるＴＢＳインデックスに対応する転送ブロック・サイズと同じであり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する転送ブロック・サイズを含む。
【００５２】
第４の態様または第１の可能な実装方式を参照して、第２の可能な実装方式では、第２のＭＣＳテーブルにおいて変調方式がＱＰＳＫである少なくとも１つのエントリは、第２のＭＣＳテーブルにおいて変調方式がＱＰＳＫである幾つかのエントリであって、当該幾つかのエントリに対応するＭＣＳインデックスは均等な間隔にある、幾つかのエントリか、または、第２のＭＣＳテーブルにおいて変調方式がＱＰＳＫである幾つかのエントリであって、当該幾つかのエントリに対応するＭＣＳインデックスは均等な間隔にない、幾つかのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは連続的である、幾つかのエントリおよび少なくとも１つのエントリを含む。
【００５３】
第４の態様または第１の可能な実装方式を参照して、第３の可能な実装方式では、第２のＭＣＳテーブルにおける変調方式が１６ＱＡＭである少なくとも１つのエントリは、第２のＭＣＳテーブルにおける変調方式が１６ＱＡＭである全てのエントリか、または、第２のＭＣＳテーブルにおける変調方式が１６ＱＡＭである幾つかのエントリであって、当該幾つかのエントリに対応するＭＣＳインデックスは均等な間隔にある、幾つかのエントリか、または、第２のＭＣＳテーブルにおける変調方式が１６ＱＡＭである幾つかのエントリであって、当該幾つかのエントリに対応するＭＣＳインデックスは均等な間隔にない、幾つかのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち、最大の第２のＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大のＭＣＳインデックスを有するエントリを除く少なくとも１つのエントリであって、当該幾つかのエントリに対応するＭＣＳインデックスは連続的である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大ＭＣＳインデックスを有するエントリおよび最小のＭＣＳインデックスを有するエントリを除く少なくとも１つのエントリを含む。
【００５４】
第４の態様または最初の３つの可能な実装方式を参照して、第４の可能な実装方式では、第１のＭＣＳテーブルはさらに、第２のＭＣＳテーブルにおいて変調方式が６４ＱＡＭである少なくとも１つのエントリを含む。
【００５５】
第４の可能な実装方式を参照して、第５の可能な実装方式では、第２のＭＣＳテーブルにおける変調方式が６４ＱＡＭである少なくとも１つのエントリは、第２のＭＣＳテーブルにおいて変調方式が６４ＱＡＭである全てのエントリか、または、第２のＭＣＳテーブルにおいて変調方式が６４ＱＡＭである幾つかのエントリ、および、第２のＭＣＳテーブルにおいて変調方式が６４ＱＡＭである全てのエントリのうち最小のＭＣＳインデックスを有するエントリを除く少なくとも１つのエントリを含む。
【００５６】
第４または第５の可能な実装方式を参照して、第６の可能な実装方式では、第２のＭＣＳテーブルにおける変調方式が６４ＱＡＭである少なくとも１つのエントリは、第２のＭＣＳテーブルにおける変調方式が６４ＱＡＭである全てのエントリのうち最大ＭＣＳインデックスを有するエントリ内のＴＢＳインデックスと同じである、第１のＭＣＳテーブルにおける変調方式が６４ＱＡＭより高い全てのエントリのうち最小のＭＣＳインデックスに対応するエントリ内のＴＢＳインデックスを含む。
【００５７】
第４の態様または最初の６つの可能な実装方式の何れか１つを参照して、第７の可能な実装方式では、第１のＭＣＳテーブル内のＭＣＳインデックスの値範囲は第２のＭＣＳテーブル内のＭＣＳインデックスの値範囲と同じである。
【００５８】
第５の態様を参照すると、ＣＱＩに関する通知装置が提供される。当該通知装置は、第１のＣＱＩテーブルを取得するように構成された取得モジュールと、当該取得モジュールにより取得された第１のＣＱＩテーブルに従って第１のＣＱＩインデックスを学習するように構成された第１の取得モジュールと、基地局が第１のＣＱＩインデックスに従って第１の変調符号化方式ＭＣＳインデックスを決定するように、当該第１の取得モジュールにより取得された第１のＣＱＩインデックスを基地局に送信するように構成された送信モジュールとを備え、当該取得モジュールにより取得された第１のＣＱＩテーブルは、変調方式が６４直角位相振幅変調ＱＡＭより高いエントリと、第２のＣＱＩテーブルにおいて変調方式が４相位相偏移変調ＱＰＳＫである少なくとも１つのエントリであって、変調方式がＱＰＳＫである少なくとも１つのエントリは、第２のＣＱＩテーブルにおいて変調方式がＱＰＳＫである少なくとも１つのエントリにより形成された組合せのうち第１の組合せを除く組合せを含み、第１の組合せは、第２のＣＱＩテーブル内のＱＰＳＫに対応する連続する最大ＣＱＩインデックスを有するＮ個のエントリであり、Ｎは３に等しいかまたはＮは４未満の正の整数であるかまたはＮは正の整数である少なくとも１つのエントリ、および／または第２のＣＱＩテーブルにおいて変調方式が１６ＱＡＭである少なくとも１つのエントリとを含み、第２のＣＱＩテーブルのエントリの変調方式はＱＰＳＫ、１６ＱＡＭ、および６４ＱＡＭのみを含む。
【００５９】
第５の態様を参照して、第１の可能な実装方式では、当該取得モジュールにより取得された第１のＣＱＩテーブル内の第２のＣＱＩテーブルにおいて変調方式がＱＰＳＫである少なくとも１つのエントリは、第２のＣＱＩテーブルにおいて変調方式がＱＰＳＫである幾つかのエントリであって、当該幾つかのエントリに対応するＣＱＩインデックスは均等な間隔にある、幾つかのエントリか、または、第２のＣＱＩテーブルにおいて変調方式がＱＰＳＫである幾つかのエントリであって、当該幾つかのエントリに対応するＣＱＩインデックスは均等な間隔にない、幾つかのエントリか、または、第２のＣＱＩテーブルにおいて変調方式がＱＰＳＫである幾つかのエントリ、および、第２のＣＱＩテーブルにおいて変調方式がＱＰＳＫである全てのエントリのうち最大ＣＱＩインデックスに対応するエントリを除く少なくとも１つのエントリであって、当該幾つかのエントリに対応するＣＱＩインデックスは不連続である、幾つかのエントリおよび少なくとも１つのエントリか、または、第２のＣＱＩテーブルにおいて変調方式がＱＰＳＫである幾つかのエントリ、および、当該ＣＱＩテーブルにおいて変調方式がＱＰＳＫである全てのエントリのうち最大ＣＱＩインデックスに対応するエントリを除く少なくとも１つのエントリであって、当該幾つかのエントリに対応するＣＱＩインデックスは連続的である、幾つかのエントリおよび少なくとも１つのエントリを含む。
【００６０】
第５の態様を参照して、第２の可能な実装方式では、当該取得モジュールにより取得された第１のＣＱＩテーブル内の第２のＣＱＩテーブルにおける変調方式が１６ＱＡＭである少なくとも１つのエントリは、第２のＣＱＩテーブルにおいて変調方式が１６ＱＡＭである全てのエントリか、または、第２のＣＱＩテーブルにおいて変調方式が１６ＱＡＭである全てのエントリのうち、最小のＣＱＩインデックスに対応するエントリを除く少なくとも１つのエントリを含む。
【００６１】
第５の態様または最初の２つの可能な実装方式を参照して、第３の可能な実装方式では、当該取得モジュールにより取得された第１のＣＱＩテーブルはさらに、第２のＣＱＩテーブルにおいて変調方式が６４ＱＡＭである少なくとも１つのエントリを含む。
【００６２】
第３の可能な実装方式を参照して、第４の可能な実装方式では、変調方式が６４ＱＡＭである少なくとも１つのエントリは、第２のＣＱＩテーブルにおいて変調方式が６４ＱＡＭである全てのエントリか、または、第２のＣＱＩテーブルにおいて変調方式が６４ＱＡＭである幾つかのエントリ、および、第２のＣＱＩテーブルにおいて変調方式が６４ＱＡＭである全てのエントリのうち最大ＣＱＩインデックスに対応するエントリを除く少なくとも１つのエントリを含む。
【００６３】
第５の態様を参照して、第５の可能な実装方式では、当該取得モジュールにより取得された第１のＣＱＩテーブルにおける変調方式が６４ＱＡＭより高いエントリのうち最小のＣＱＩインデックスに対応するエントリのスペクトル効率は、第２のＣＱＩテーブルにおいて変調方式が６４ＱＡＭである全てのエントリのうち最大ＣＱＩインデックスに対応するエントリのスペクトル効率に等しい。
【００６４】
第５の態様を参照して、第６の可能な実装方式では、当該取得モジュールにより取得された第１のＣＱＩテーブルにおける変調方式が６４ＱＡＭより高いエントリのうち最大ＣＱＩインデックスに対応するＸ個のエントリのスペクトル効率が算術数列またはほぼ算術数列においてスペクトル効率の昇順で配置され、変調方式が６４ＱＡＭより高いエントリのうち最大ＣＱＩインデックスに対応するＸ個のエントリのスペクトル効率が算術数列においてスペクトル効率の昇順で配置されるということは、スペクトル効率の昇順で、当該Ｘ個のエントリの２番目のエントリから開始して、各エントリのスペクトル効率と当該エントリの先行エントリのスペクトル効率の差分が同一の定数に等しいことを示し、変調方式が６４ＱＡＭより高いエントリのうち最大ＣＱＩインデックスに対応するＸ個のエントリのスペクトル効率がほぼ算術数列においてスペクトル効率の昇順で配置されるということは、スペクトル効率の昇順で、当該Ｘ個のエントリの２番目のエントリから開始して、各エントリのスペクトル効率と当該エントリの先行エントリのスペクトル効率の差分は、定数から所定値を引いたものから当該定数に当該所定値を足したものまでの範囲内にあり、Ｘは２より大きい整数であるということを示す。
【００６５】
第５の態様を参照して、第７の可能な実装方式では、当該取得モジュールにより取得された第１のＣＱＩテーブルにおける変調方式が６４ＱＡＭより高いエントリは、変調方式が２５６ＱＡＭである少なくとも３つのエントリを含み、変調方式が２５６ＱＡＭである少なくとも３つのエントリのスペクトル効率が算術数列またはほぼ算術数列においてスペクトル効率の昇順で配置され、変調方式が２５６ＱＡＭである少なくとも３つのエントリのスペクトル効率が算術数列においてスペクトル効率の昇順で配置されるということは、スペクトル効率の昇順で、変調方式が２５６ＱＡＭである少なくとも３つのエントリの２番目のエントリから開始して、各エントリのスペクトル効率と当該エントリの先行エントリのスペクトル効率の差分が同一の定数に等しいことを示し、変調方式が２５６ＱＡＭである少なくとも３つのエントリのスペクトル効率がほぼ算術数列においてスペクトル効率の昇順で配置されるということは、スペクトル効率の昇順で、変調方式が２５６ＱＡＭである少なくとも３つのエントリの２番目のエントリから開始して、各エントリのスペクトル効率と当該エントリの先行エントリのスペクトル効率の差分は、定数から所定値を引いたものから当該定数に当該所定値を足したものまでの範囲内にあることを示す。
【００６６】
第５の態様を参照して、第８の可能な実装方式では、当該取得モジュールにより取得された第１のＣＱＩテーブルは変調方式が６４ＱＡＭより高い少なくとも３つのエントリを含み、変調方式が６４ＱＡＭより高い少なくとも３つのエントリのスペクトル効率が算術数列またはほぼ算術数列においてスペクトル効率の昇順で配置され、変調方式が６４ＱＡＭより高い少なくとも３つのエントリのスペクトル効率が算術数列またはほぼ算術数列においてスペクトル効率の昇順で配置されるということは、スペクトル効率の昇順で、変調方式が６４ＱＡＭより高い少なくとも３つのエントリの２番目のエントリから開始して、各エントリのスペクトル効率と当該エントリの先行エントリのスペクトル効率の差分が同一の定数に等しいことを示し、変調方式が６４ＱＡＭより高い少なくとも３つのエントリのスペクトル効率がほぼ算術数列においてスペクトル効率の昇順で配置されるということは、スペクトル効率の昇順で、変調方式が６４ＱＡＭより高い少なくとも３つのエントリの２番目のエントリから開始して、各エントリのスペクトル効率と当該エントリの先行エントリのスペクトル効率の差分は、定数から所定値を引いたものから当該定数に当該所定値を足したものまでの範囲内にあることを示す。
【００６７】
第６乃至第８の可能な実装方式の何れか１つを参照して、第９の可能な実装方式では、当該定数は第１の閾値以下である。
【００６８】
第５の態様を参照して、第１０の可能な実装方式では、当該取得モジュールにより取得された第１のＣＱＩテーブルにおける変調方式が６４ＱＡＭより高いエントリのうち最大ＣＱＩインデックスに対応するＸ個のエントリの任意の２つの隣接エントリのスペクトル効率の差分の絶対値は第１の閾値以下であるか、または、当該取得モジュールにより取得された第１のＣＱＩテーブルにおける変調方式が６４ＱＡＭより高いエントリは、変調方式が２５６ＱＡＭである少なくとも２つのエントリを含み、変調方式が２５６ＱＡＭである少なくとも２つのエントリの任意の２つの隣接エントリのスペクトル効率の差分の絶対値は第１の閾値以下であるか、または、当該取得モジュールにより取得された第１のＣＱＩテーブルは変調方式が６４ＱＡＭより高い少なくとも２つのエントリを含み、変調方式が６４ＱＡＭより高い少なくとも２つのエントリの任意の２つの隣接エントリのスペクトル効率の差分の絶対値は第１の閾値以下である。
【００６９】
第６の可能な実装方式または第１０の可能な実装方式を参照して、第１１の可能な実装方式では、Ｘ＝３である。
【００７０】
第９の可能な実装方式または第１０の可能な実装方式を参照して、第１２の可能な実装方式では、第１の閾値は、第１のＣＱＩテーブルにおいて変調方式が６４ＱＡＭ以下である任意の２つの隣接エントリのスペクトル効率の差分の絶対値の最小値であるか、または、第１のＣＱＩテーブルにおいて変調方式が同一であり変調方式が６４ＱＡＭ以下である任意の２つの隣接エントリのスペクトル効率の差分の絶対値の最小値であるか、または、第１のＣＱＩテーブルにおいて変調方式が６４ＱＡＭに等しい任意の２つの隣接エントリのスペクトル効率の差分の絶対値の最小値であるか、または、第１のＣＱＩテーブルにおいて変調方式が１６ＱＡＭに等しい任意の２つの隣接エントリのスペクトル効率の差分の絶対値の最小値であるか、または、第１のＣＱＩテーブルにおいて変調方式がＱＰＳＫに等しい任意の２つの隣接エントリのスペクトル効率の差分の絶対値の最小値である。
【００７１】
第５の態様または最初の１２個の可能な実装方式の何れか１つを参照して、第１３の可能な実装方式では、当該取得モジュールにより取得された第１のＣＱＩテーブル内のＣＱＩインデックスの値範囲は第２のＣＱＩテーブル内のＣＱＩインデックスの値範囲と同じである。
【００７２】
第６の態様を参照すると、ＭＣＳに関する通知装置が提供される。当該装置は、第１のＣＱＩテーブルおよび第１のＭＣＳテーブルを取得するように構成された取得モジュールと、端末ＵＥにより送信された第１のチャネル品質指標ＣＱＩインデックスを受信するように構成された受信モジュールであって、第１のＣＱＩインデックスは第１のＣＱＩテーブルに従ってＵＥにより決定される、受信モジュールと、当該取得モジュールにより取得された第１のＣＱＩテーブル、当該取得モジュールにより取得された第１のＭＣＳテーブル、および当該受信モジュールにより受信された第１のＣＱＩインデックスに従って第１のＭＣＳインデックスを決定するように構成された決定モジュールと、決定された第１のＭＣＳインデックスをＵＥに送信するように構成された送信モジュールとを備え、当該取得モジュールにより取得された第１のＣＱＩテーブルは、変調方式が６４ＱＡＭより高いエントリと、第２のＣＱＩテーブルにおいて変調方式がＱＰＳＫである少なくとも１つのエントリであって、変調方式がＱＰＳＫである少なくとも１つのエントリは、第２のＣＱＩテーブルにおいて変調方式がＱＰＳＫである少なくとも１つのエントリにより形成された組合せのうち第１の組合せを除く組合せを含み、第１の組合せは、第２のＣＱＩテーブル内のＱＰＳＫに対応する連続する最大ＣＱＩインデックスを有するＮ個のエントリであり、Ｎは３に等しいかまたはＮは４未満の正の整数であるかまたはＮは正の整数である少なくとも１つのエントリ、および／または第２のＣＱＩテーブルにおいて変調方式が１６ＱＡＭである少なくとも１つのエントリとを含み、第２のＣＱＩテーブルにおける変調方式はＱＰＳＫ、１６ＱＡＭ、および６４ＱＡＭのみを含み、当該取得モジュールにより取得された第１のＭＣＳテーブルは、変調方式が６４ＱＡＭより高いエントリと、第２のＭＣＳテーブルにおいて変調方式がＱＰＳＫである少なくとも１つのエントリであって、変調方式がＱＰＳＫである少なくとも１つのエントリは、第２のＭＣＳテーブルにおいて変調方式がＱＰＳＫである少なくとも１つのエントリにより形成された組合せのうち第２の組合せを除く組合せを含み、当該第２の組合せは、第２のＭＣＳテーブル内のＱＰＳＫに対応する連続する最大ＭＣＳインデックスを有するＫ個のエントリであり、Ｋは４に等しいかまたはＫは５未満の正の整数であるかまたはＫは正の整数である少なくとも１つのエントリ、および／または第２のＭＣＳテーブルにおいて変調方式が１６ＱＡＭである少なくとも１つのエントリとを含み、第２のＭＣＳテーブルにおいて変調方式はＱＰＳＫ、１６ＱＡＭ、および６４ＱＡＭのみを含む。
【００７３】
第６の態様を参照して、第１の可能な実装方式では、当該決定モジュールは特に、取得した第１のＰＲＢ量、当該取得モジュールにより取得された第１のＣＱＩテーブル、当該取得モジュールにより取得された第１のＭＣＳテーブル、および受信した第１のＣＱＩインデックスに従って、第１のＴＢＳインデックスおよび第１のＭＣＳインデックスを決定するように構成され、第１のＰＲＢ量は基地局によりＵＥに割り当てられたＰＲＢ量であるか、または、第１のＰＲＢ量はＵＥに割り当てられたＰＲＢ量と特定の係数の積以下の最大整数であり、第１のＴＢＳテーブルは各ＴＢＳインデックスに対応する少なくとも１つのＰＲＢ量および各ＰＲＢ量に対応する転送ブロック・サイズを含み、第１のＴＢＳテーブルは第１のＭＣＳテーブルに対応するＴＢＳテーブルであり、第１のＴＢＳテーブル内のＴＢＳインデックスの値範囲は０乃至Ａであり、Ａは２６以下の正の整数であるか、または、第１のＴＢＳテーブル内のＴＢＳインデックスの値範囲は０乃至Ｂであり、Ｂは２６以上の正の整数であり、第１のＴＢＳテーブルにおける値範囲が０乃至２６であるＴＢＳインデックスに対応する転送ブロック・サイズは値範囲が第２のＴＢＳテーブルにおいて０乃至２６であるＴＢＳインデックスに対応する転送ブロック・サイズと同じであり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する転送ブロック・サイズを含む。
【００７４】
第１の可能な実装方式を参照して第２の可能な実装方式では、当該決定モジュールは、当該取得モジュールにより取得された第１のＣＱＩテーブルおよび受信した第１のＣＱＩインデックスに従って、受信した第１のＣＱＩインデックスに対応する第１の変調方式および第１のスペクトル効率を決定するように構成された第１の決定サブモジュールと、第１のＰＲＢ量および第１のスペクトル効率に従って、ＵＥに送信された第１の転送ブロック・サイズを学習し、第１のＴＢＳテーブルに従って、第１のＴＢＳテーブル内の第１の転送ブロック・サイズおよび第１のＰＲＢ量に対応する第１のＴＢＳインデックスを取得するように構成された第２の決定サブモジュールとを備える。
【００７５】
第６の態様または最初の２つの可能な実装方式の何れかを参照して、第３の可能な実装方式では、第２のＣＱＩテーブルにおいて変調方式がＱＰＳＫである少なくとも１つのエントリは、第２のＣＱＩテーブルにおいて変調方式がＱＰＳＫである幾つかのエントリであって、当該幾つかのエントリに対応するＣＱＩインデックスは均等な間隔にある、幾つかのエントリか、または、第２のＣＱＩテーブルにおいて変調方式がＱＰＳＫである幾つかのエントリであって、当該幾つかのエントリに対応するＣＱＩインデックスは均等な間隔にない、幾つかのエントリか、または、第２のＣＱＩテーブルにおいて変調方式がＱＰＳＫである幾つかのエントリ、および、第２のＣＱＩテーブルにおいて変調方式がＱＰＳＫである全てのエントリのうち最大ＣＱＩインデックスに対応するエントリを除く少なくとも１つのエントリであって、当該幾つかのエントリに対応するＣＱＩインデックスは不連続である、幾つかのエントリおよび少なくとも１つのエントリか、または、第２のＣＱＩテーブルにおいて変調方式がＱＰＳＫである幾つかのエントリ、および、当該ＣＱＩテーブルにおいて変調方式がＱＰＳＫである全てのエントリのうち最大ＣＱＩインデックスに対応するエントリを除く少なくとも１つのエントリであって、当該幾つかのエントリに対応するＣＱＩインデックスは連続的である、幾つかのエントリおよび少なくとも１つのエントリを含む。
【００７６】
第６の態様または最初の２つの可能な実装方式の何れかを参照して、第４の可能な実装方式では、当該取得モジュールにより取得された第１のＣＱＩテーブル内の第２のＣＱＩテーブルにおける変調方式が１６ＱＡＭである少なくとも１つのエントリは、第２のＣＱＩテーブルにおいて変調方式が１６ＱＡＭである全てのエントリか、または、第２のＣＱＩテーブルにおいて変調方式が１６ＱＡＭである全てのエントリのうち、最小のＣＱＩインデックスに対応するエントリを除く少なくとも１つのエントリを含む。
【００７７】
第６の態様または最初の４つの可能な実装方式のうち何れか１つを参照して、第５の可能な実装方式では、当該取得モジュールにより取得された第１のＣＱＩテーブルはさらに、第２のＣＱＩテーブルにおいて変調方式が６４ＱＡＭである少なくとも１つのエントリを含む。
【００７８】
第５の可能な実装方式を参照して、第６の可能な実装方式では、変調方式が６４ＱＡＭである少なくとも１つのエントリは、第２のＣＱＩテーブルにおいて変調方式が６４ＱＡＭである全てのエントリか、または、第２のＣＱＩテーブルにおいて変調方式が６４ＱＡＭである幾つかのエントリ、および、第２のＣＱＩテーブルにおいて変調方式が６４ＱＡＭである全てのエントリのうち最大ＣＱＩインデックスに対応するエントリを除く少なくとも１つのエントリを含む。
【００７９】
第６の態様または最初の６つの可能な実装方式の何れか１つを参照して、第７の可能な実装方式では、当該取得モジュールにより取得された第１のＣＱＩテーブルにおける変調方式が６４ＱＡＭより高いエントリのうち最小のＣＱＩインデックスに対応するエントリのスペクトル効率は第２のＣＱＩテーブルにおいて変調方式が６４ＱＡＭである全てのエントリのうち最大ＣＱＩインデックスに対応するエントリのスペクトル効率に等しい。
【００８０】
第６の態様を参照して、第８の可能な実装方式では、当該取得モジュールにより取得された第１のＣＱＩテーブルにおける変調方式が６４ＱＡＭより高いエントリのうち最大ＣＱＩインデックスに対応するＸ個のエントリのスペクトル効率が算術数列またはほぼ算術数列においてスペクトル効率の昇順で配置され、変調方式が６４ＱＡＭより高いエントリのうち最大ＣＱＩインデックスに対応するＸ個のエントリのスペクトル効率が算術数列においてスペクトル効率の昇順で配置されるということは、スペクトル効率の昇順で、当該Ｘ個のエントリの２番目のエントリから開始して、各エントリのスペクトル効率と当該エントリの先行エントリのスペクトル効率の差分が同一の定数に等しいことを示し、変調方式が６４ＱＡＭより高いエントリのうち最大ＣＱＩインデックスに対応するＸ個のエントリのスペクトル効率がほぼ算術数列においてスペクトル効率の昇順で配置されるということは、スペクトル効率の昇順で、当該Ｘ個のエントリの２番目のエントリから開始して、各エントリのスペクトル効率と当該エントリの先行エントリのスペクトル効率の差分は、定数から所定値を引いたものから当該定数に当該所定値を足したものまでの範囲内にあり、Ｘは２より大きい整数であるということを示す。
【００８１】
第６の態様を参照して、第９の可能な実装方式では、当該取得モジュールにより取得された第１のＣＱＩテーブルにおける変調方式が６４ＱＡＭより高いエントリは変調方式が２５６ＱＡＭである少なくとも３つのエントリを含み、変調方式が２５６ＱＡＭである少なくとも３つのエントリのスペクトル効率が算術数列またはほぼ算術数列においてスペクトル効率の昇順で配置され、変調方式が２５６ＱＡＭである少なくとも３つのエントリのスペクトル効率が算術数列においてスペクトル効率の昇順で配置されるということは、スペクトル効率の昇順で、変調方式が２５６ＱＡＭである少なくとも３つのエントリの２番目のエントリから開始して、各エントリのスペクトル効率と当該エントリの先行エントリのスペクトル効率の差分が同一の定数に等しいことを示し、変調方式が２５６ＱＡＭである少なくとも３つのエントリのスペクトル効率がほぼ算術数列においてスペクトル効率の昇順で配置されるということは、スペクトル効率の昇順で、変調方式が２５６ＱＡＭである少なくとも３つのエントリの２番目のエントリから開始して、各エントリのスペクトル効率と当該エントリの先行エントリのスペクトル効率の差分は、定数から所定値を引いたものから当該定数に当該所定値を足したものまでの範囲内にあることを示す。
【００８２】
第６の態様を参照して、第１０の可能な実装方式では、当該取得モジュールにより取得された第１のＣＱＩテーブルは変調方式が６４ＱＡＭより高い少なくとも３つのエントリを含み、変調方式が６４ＱＡＭより高い少なくとも３つのエントリのスペクトル効率が算術数列またはほぼ算術数列においてスペクトル効率の昇順で配置され、変調方式が６４ＱＡＭより高い少なくとも３つのエントリのスペクトル効率が算術数列またはほぼ算術数列においてスペクトル効率の昇順で配置されるということは、スペクトル効率の昇順で、変調方式が６４ＱＡＭより高い少なくとも３つのエントリの２番目のエントリから開始して、各エントリのスペクトル効率と当該エントリの先行エントリのスペクトル効率の差分が同一の定数に等しいことを示し、変調方式が６４ＱＡＭより高い少なくとも３つのエントリのスペクトル効率がほぼ算術数列においてスペクトル効率の昇順で配置されるということは、スペクトル効率の昇順で、変調方式が６４ＱＡＭより高い少なくとも３つのエントリの２番目のエントリから開始して、各エントリのスペクトル効率と当該エントリの先行エントリのスペクトル効率の差分は、定数から所定値を引いたものから当該定数に当該所定値を足したものまでの範囲内にあることを示す。
【００８３】
第８乃至第１０の可能な実装方式の何れか１つを参照して、第１１の可能な実装方式では、当該定数は第１の閾値以下である。
【００８４】
第６の態様を参照して、第１２の可能な実装方式では、当該取得モジュールにより取得された第１のＣＱＩテーブルにおける変調方式が６４ＱＡＭより高いエントリのうち最大ＣＱＩインデックスに対応するＸ個のエントリの任意の２つの隣接エントリのスペクトル効率の差分の絶対値は第１の閾値以下であるか、または、当該取得モジュールにより取得された第１のＣＱＩテーブルにおける変調方式が６４ＱＡＭより高いエントリは、変調方式が２５６ＱＡＭである少なくとも２つのエントリを含み、変調方式が２５６ＱＡＭである少なくとも２つのエントリの任意の２つの隣接エントリのスペクトル効率の差分の絶対値は第１の閾値以下であるか、または、当該取得モジュールにより取得された第１のＣＱＩテーブルは変調方式が６４ＱＡＭより高い少なくとも２つのエントリを含み、変調方式が６４ＱＡＭより高い少なくとも２つのエントリの任意の２つの隣接エントリのスペクトル効率の差分の絶対値は第１の閾値以下である。
【００８５】
第８の可能な実装方式または第１２の可能な実装方式を参照して、第１３の可能な実装方式では、Ｘ＝３である。
【００８６】
第１１および第１２の可能な実装方式の何れかを参照して、第１４の可能な実装方式では、第１の閾値は、第１のＣＱＩテーブルにおいて変調方式が６４ＱＡＭ以下である任意の２つの隣接エントリのスペクトル効率の差分の絶対値の最小値であるか、または、第１のＣＱＩテーブルにおいて変調方式が同一であり変調方式が６４ＱＡＭ以下である任意の２つの隣接エントリのスペクトル効率の差分の絶対値の最小値であるか、または、第１のＣＱＩテーブルにおいて変調方式が６４ＱＡＭに等しい任意の２つの隣接エントリのスペクトル効率の差分の絶対値の最小値であるか、または、第１のＣＱＩテーブルにおいて変調方式が１６ＱＡＭに等しい任意の２つの隣接エントリのスペクトル効率の差分の絶対値の最小値であるか、または、第１のＣＱＩテーブルにおいて変調方式がＱＰＳＫに等しい任意の２つの隣接エントリのスペクトル効率の差分の絶対値の最小値である。
【００８７】
第６の態様または最初の１４個の可能な実装方式の何れかを参照して、第１５の可能な実装方式では、当該取得モジュールにより取得された第１のＣＱＩテーブル内のＣＱＩインデックスの値範囲は第２のＣＱＩテーブル内のＣＱＩインデックスの値範囲と同じである。
【００８８】
第６の態様または最初の２つの可能な実装方式の何れかを参照して、第１６の可能な実装方式では、当該取得モジュールにより取得された第１のＭＣＳテーブル内の第２のＭＣＳテーブルにおいて変調方式がＱＰＳＫである少なくとも１つのエントリは、第２のＭＣＳテーブルにおいて変調方式がＱＰＳＫである幾つかのエントリであって、当該幾つかのエントリに対応するＭＣＳインデックスは均等な間隔にある、幾つかのエントリか、または、第２のＭＣＳテーブルにおいて変調方式がＱＰＳＫである幾つかのエントリであって、当該幾つかのエントリに対応するＭＣＳインデックスは均等な間隔にない、幾つかのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは連続的である、幾つかのエントリおよび少なくとも１つのエントリを含む。
【００８９】
第６の態様または最初の２つの可能な実装方式の何れかを参照して、第１７の可能な実装方式では、当該取得モジュールにより取得された第１のＭＣＳテーブル内の第２のＭＣＳテーブルにおける変調方式が１６ＱＡＭである少なくとも１つのエントリは、第２のＭＣＳテーブルにおける変調方式が１６ＱＡＭである全てのエントリか、または、第２のＭＣＳテーブルにおける変調方式が１６ＱＡＭである幾つかのエントリであって、当該幾つかのエントリに対応するＭＣＳインデックスは均等な間隔にある、幾つかのエントリか、または、第２のＭＣＳテーブルにおける変調方式が１６ＱＡＭである幾つかのエントリであって、当該幾つかのエントリに対応するＭＣＳインデックスは均等な間隔にない、幾つかのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち、最大の第２のＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大のＭＣＳインデックスを有するエントリを除く少なくとも１つのエントリであって、当該幾つかのエントリに対応するＭＣＳインデックスは連続的である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大ＭＣＳインデックスを有するエントリおよび最小のＭＣＳインデックスを有するエントリを除く少なくとも１つのエントリを含む。
【００９０】
第６の態様または第１、第２、第１６、および第１７の可能な実装方式の何れかを参照して、第１８の可能な実装方式では、当該取得モジュールにより取得された第１のＭＣＳテーブルはさらに、第２のＭＣＳテーブルにおいて変調方式が６４ＱＡＭである少なくとも１つのエントリを含む。
【００９１】
第１８の可能な実装方式を参照して、第１９の可能な実装方式では、第２のＭＣＳテーブルにおける変調方式が６４ＱＡＭである少なくとも１つのエントリは、第２のＭＣＳテーブルにおいて変調方式が６４ＱＡＭである全てのエントリか、または、第２のＭＣＳテーブルにおいて変調方式が６４ＱＡＭである幾つかのエントリ、および、第２のＭＣＳテーブルにおいて変調方式が６４ＱＡＭである全てのエントリのうち最小のＭＣＳインデックスを有するエントリを除く少なくとも１つのエントリを含む。
【００９２】
第１８または第１９の可能な実装方式を参照して、第２０の可能な実装方式では、第２のＭＣＳテーブルにおける変調方式が６４ＱＡＭである少なくとも１つのエントリは、第２のＭＣＳテーブルにおける変調方式が６４ＱＡＭである全てのエントリのうち最大のＭＣＳインデックスを有するエントリのＴＢＳインデックスと同じである、当該取得モジュールにより取得された第１のＭＣＳテーブルにおける変調方式が６４ＱＡＭより高い全てのエントリのうち、最小のＭＣＳインデックスに対応するエントリ内のＴＢＳインデックスを含む。
【００９３】
第１６乃至第２０の可能な実装方式の何れかを参照して、第２１の可能な実装方式では、当該取得モジュールにより取得された第１のＭＣＳテーブル内のＭＣＳインデックスの値範囲は第２のＭＣＳテーブル内のＭＣＳインデックスの値範囲と同じである。
【００９４】
第７の態様を参照すると、ＭＣＳに関する通知装置が提供される。当該装置は、第１のＣＱＩテーブルおよび第１のＭＣＳテーブルを取得するように構成された取得モジュールと、基地局により第１のＣＱＩインデックスを受信するように構成された受信モジュールであって、第１のＣＱＩインデックスは第１のＣＱＩテーブルに従ってＵＥにより決定される、受信モジュールと、当該取得モジュールにより取得された第１のＣＱＩテーブル、当該取得モジュールにより取得された第１のＭＣＳテーブル、および当該受信モジュールにより受信された第１のＣＱＩインデックスに従って第１のＭＣＳインデックスを決定するように構成された決定モジュールと、当該決定モジュールにより決定された第１のＭＣＳインデックスをＵＥに送信するように構成された送信モジュールとを備え、当該取得モジュールにより取得された第１のＣＱＩテーブルは変調方式が６４ＱＡＭより高いエントリを含み、当該取得モジュールにより取得された第１のＣＱＩテーブル内のエントリは、当該取得モジュールにより取得された第１のＣＱＩテーブル内の各ＣＱＩインデックスに対応する１つの変調方式、１つの符号化率、および１つのスペクトル効率を指し、当該取得モジュールにより取得された第１のＭＣＳテーブルは、変調方式が６４ＱＡＭより高いエントリと、第２のＭＣＳテーブルにおいて変調方式がＱＰＳＫである少なくとも１つのエントリであって、変調方式がＱＰＳＫである少なくとも１つのエントリは第２のＭＣＳテーブルにおいて変調方式がＱＰＳＫである少なくとも１つのエントリにより形成された組合せのうち第１の組合せを除く組合せを含み、第１の組合せは、第２のＭＣＳテーブル内のＱＰＳＫに対応する連続する最大ＭＣＳインデックスを有するＫ個のエントリであり、Ｋは４に等しいかまたはＫは５未満の正の整数であるかまたはＫは正の整数である少なくとも１つのエントリ、および／または第２のＭＣＳテーブルにおいて変調方式が１６ＱＡＭである少なくとも１つのエントリとを含み、第２のＭＣＳテーブルにおいて変調方式はＱＰＳＫ、１６ＱＡＭ、および６４ＱＡＭのみを含む。
【００９５】
第７の態様を参照して、第１の可能な実装方式では、第２のＭＣＳテーブルにおいて変調方式がＱＰＳＫである少なくとも１つのエントリは、第２のＭＣＳテーブルにおいて変調方式がＱＰＳＫである幾つかのエントリであって、当該幾つかのエントリに対応するＭＣＳインデックスは均等な間隔にある、幾つかのエントリか、または、第２のＭＣＳテーブルにおいて変調方式がＱＰＳＫである幾つかのエントリであって、当該幾つかのエントリに対応するＭＣＳインデックスは均等な間隔にない、幾つかのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは連続的である、幾つかのエントリおよび少なくとも１つのエントリを含む。
【００９６】
第７の態様を参照して、第２の可能な実装方式では、当該取得モジュールにより取得された第１のＭＣＳテーブル内の第２のＭＣＳテーブルにおける変調方式が１６ＱＡＭである少なくとも１つのエントリは、第２のＭＣＳテーブルにおける変調方式が１６ＱＡＭである全てのエントリか、または、第２のＭＣＳテーブルにおける変調方式が１６ＱＡＭである幾つかのエントリであって、当該幾つかのエントリに対応するＭＣＳインデックスは均等な間隔にある、幾つかのエントリか、または、第２のＭＣＳテーブルにおける変調方式が１６ＱＡＭである幾つかのエントリであって、当該幾つかのエントリに対応するＭＣＳインデックスは均等な間隔にない、幾つかのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち、最大の第２のＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大のＭＣＳインデックスを有するエントリを除く少なくとも１つのエントリであって、当該幾つかのエントリに対応するＭＣＳインデックスは連続的である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大ＭＣＳインデックスを有するエントリおよび最小のＭＣＳインデックスを有するエントリを除く少なくとも１つのエントリを含む。
【００９７】
第７の態様または最初の２つの可能な実装方式の何れかを参照して、第３の可能な実装方式では、当該取得モジュールにより取得された第１のＭＣＳテーブルはさらに、第２のＭＣＳテーブルにおいて変調方式が６４ＱＡＭである少なくとも１つのエントリを含む。
【００９８】
第３の可能な実装方式を参照して、第４の可能な実装方式では、第２のＭＣＳテーブルにおける変調方式が６４ＱＡＭである少なくとも１つのエントリは、第２のＭＣＳテーブルにおいて変調方式が６４ＱＡＭである全てのエントリか、または、第２のＭＣＳテーブルにおいて変調方式が６４ＱＡＭである幾つかのエントリ、および、第２のＭＣＳテーブルにおいて変調方式が６４ＱＡＭである全てのエントリのうち最小のＭＣＳインデックスを有するエントリを除く少なくとも１つのエントリを含む。
【００９９】
第３または第４の可能な実装方式を参照して、第５の可能な実装方式では、第２のＭＣＳテーブルにおける変調方式が６４ＱＡＭである少なくとも１つのエントリは、第２のＭＣＳテーブルにおける変調方式が６４ＱＡＭである全てのエントリのうち最大のＭＣＳインデックスを有するエントリのＴＢＳインデックスと同じである、当該取得モジュールにより取得された第１のＭＣＳテーブルにおける変調方式が６４ＱＡＭより高い全てのエントリのうち、最小のＭＣＳインデックスに対応するエントリ内のＴＢＳインデックスを含む。
【０１００】
第７の態様または最初の５つの可能な実装方式を参照して、第６の可能な実装方式では、当該取得モジュールにより取得された第１のＭＣＳテーブル内のＭＣＳインデックスの値範囲は第２のＭＣＳテーブル内のＭＣＳインデックスの値範囲と同じである。
【０１０１】
第８の態様を参照して、ＭＣＳに関する通知装置が提供される。当該装置は、第１のＭＣＳテーブルを取得するように構成された取得モジュールと、基地局により送信された第１のＭＣＳインデックスを受信するように構成された受信モジュールであって、第１のＭＣＳインデックスは、当該取得モジュールにより取得された第１のＭＣＳテーブルに従って基地局により決定される受信モジュールと、当該取得モジュールにより取得された第１のＭＣＳテーブルおよび当該受信モジュールにより受信された第１のＭＣＳインデックスに従って変調順序および符号ブロック・サイズを決定するように構成された決定モジュールとを備え、当該取得モジュールにより取得された第１のＭＣＳテーブルは、変調方式が６４ＱＡＭより高いエントリと、第２のＭＣＳテーブルにおいて変調方式がＱＰＳＫである少なくとも１つのエントリであって、変調方式がＱＰＳＫである少なくとも１つのエントリは第２のＭＣＳテーブルにおいて変調方式がＱＰＳＫである少なくとも１つのエントリにより形成された組合せのうち第１の組合せを除く組合せを含み、第１の組合せは、第２のＭＣＳテーブル内のＱＰＳＫに対応する連続する最大ＭＣＳインデックスを有するＫ個のエントリであり、Ｋは４に等しいかまたはＫは５未満の正の整数であるかまたはＫは正の整数である少なくとも１つのエントリ、および／または第２のＭＣＳテーブルにおいて変調方式が１６ＱＡＭである少なくとも１つのエントリとを含み、第２のＭＣＳテーブルにおいて変調方式はＱＰＳＫ、１６ＱＡＭ、および６４ＱＡＭのみを含む。
【０１０２】
第８の態様を参照して、第１の可能な実装方式では、当該決定モジュールは、当該取得モジュールにより取得された第１のＭＣＳテーブルおよび受信した第１のＭＣＳインデックスに従って、第１のＴＢＳインデックスおよび変調順序を決定するように構成された第１の決定サブモジュールと、第１のＴＢＳインデックス、第１のＰＲＢ量、および第１のＴＢＳテーブルに従って符号ブロック・サイズを決定するように構成された第２の決定サブモジュールとを備え、第１のＰＲＢ量は基地局によりＵＥに割り当てられたＰＲＢ量であるか、または、第１のＰＲＢ量はＵＥに割り当てられたＰＲＢ量と特定の係数の積以下の最大整数であり、第１のＴＢＳテーブルは各ＴＢＳインデックスに対応する少なくとも１つのＰＲＢ量および各ＰＲＢ量に対応する転送ブロック・サイズを含み、第１のＴＢＳテーブルは第１のＭＣＳテーブルに対応するＴＢＳテーブルであり、第１のＴＢＳテーブル内のＴＢＳインデックスの値範囲は０乃至Ａであり、Ａは２６以下の正の整数であるか、または、第１のＴＢＳテーブル内のＴＢＳインデックスの値範囲は０乃至Ｂであり、Ｂは２６以上の正の整数であり、第１のＴＢＳテーブルにおける値範囲が０乃至２６であるＴＢＳインデックスに対応する転送ブロック・サイズは値範囲が第２のＴＢＳテーブルにおいて０乃至２６であるＴＢＳインデックスに対応する転送ブロック・サイズと同じであり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する転送ブロック・サイズを含む。
【０１０３】
第８の態様または第１の可能な実装方式を参照して、第２の可能な実装方式では、第２のＭＣＳテーブルにおいて変調方式がＱＰＳＫである少なくとも１つのエントリは、第２のＭＣＳテーブルにおいて変調方式がＱＰＳＫである幾つかのエントリであって、当該幾つかのエントリに対応するＭＣＳインデックスは均等な間隔にある、幾つかのエントリか、または、第２のＭＣＳテーブルにおいて変調方式がＱＰＳＫである幾つかのエントリであって、当該幾つかのエントリに対応するＭＣＳインデックスは均等な間隔にない、幾つかのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは連続的である、幾つかのエントリおよび少なくとも１つのエントリを含む。
【０１０４】
第８の態様または第１の可能な実装方式を参照して、第３の可能な実装方式では、第２のＭＣＳテーブルにおける変調方式が１６ＱＡＭである少なくとも１つのエントリは、第２のＭＣＳテーブルにおける変調方式が１６ＱＡＭである全てのエントリか、または、第２のＭＣＳテーブルにおける変調方式が１６ＱＡＭである幾つかのエントリであって、当該幾つかのエントリに対応するＭＣＳインデックスは均等な間隔にある、幾つかのエントリか、または、第２のＭＣＳテーブルにおける変調方式が１６ＱＡＭである幾つかのエントリであって、当該幾つかのエントリに対応するＭＣＳインデックスは均等な間隔にない、幾つかのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち、最大の第２のＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大のＭＣＳインデックスを有するエントリを除く少なくとも１つのエントリであって、当該幾つかのエントリに対応するＭＣＳインデックスは連続的である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大ＭＣＳインデックスを有するエントリおよび最小のＭＣＳインデックスを有するエントリを除く少なくとも１つのエントリを含む。
【０１０５】
第８の態様または最初の３つの可能な実装方式の何れかを参照して、第４の可能な実装方式では、当該取得モジュールにより取得された第１のＭＣＳテーブルはさらに、第２のＭＣＳテーブルにおいて変調方式が６４ＱＡＭである少なくとも１つのエントリを含む。
【０１０６】
第４の可能な実装方式を参照して、第５の可能な実装方式では、第２のＭＣＳテーブルにおける変調方式が６４ＱＡＭである少なくとも１つのエントリは、第２のＭＣＳテーブルにおいて変調方式が６４ＱＡＭである全てのエントリか、または、第２のＭＣＳテーブルにおいて変調方式が６４ＱＡＭである幾つかのエントリ、および、第２のＭＣＳテーブルにおいて変調方式が６４ＱＡＭである全てのエントリのうち最小のＭＣＳインデックスを有するエントリを除く少なくとも１つのエントリを含む。
【０１０７】
第４または第５の可能な実装方式を参照して、第６の可能な実装方式では、第２のＭＣＳテーブルにおける変調方式が６４ＱＡＭである少なくとも１つのエントリは、第２のＭＣＳテーブルにおける変調方式が６４ＱＡＭである全てのエントリのうち最大のＭＣＳインデックスを有するエントリのＴＢＳインデックスと同じである、当該取得モジュールにより取得された第１のＭＣＳテーブルにおける変調方式が６４ＱＡＭより高い全てのエントリのうち、最小のＭＣＳインデックスに対応するエントリ内のＴＢＳインデックスを含む。
【０１０８】
第８の態様または最初の６つの可能な実装方式を参照して、第７の可能な実装方式では、当該取得モジュールにより取得された第１のＭＣＳテーブル内のＭＣＳインデックスの値範囲は第２のＭＣＳテーブル内のＭＣＳインデックスの値範囲と同じである。
【０１０９】
第９の態様を参照すると、チャネル品質指標ＣＱＩのための通知装置が提供される。当該装置は、メモリおよびメモリに接続されたプロセッサを備え、さらに送信器を備え、メモリは１組のプログラム・コードを格納し、プロセッサは、第１の態様または第１の態様の可能な実装方式の何れかに従う方法を実施するためのメモリに格納されたプログラム・コードを呼び出すように構成され、送信器はプロセッサにより、メモリに格納された第１の態様または第１の態様の可能な実装方式の何れかに従う方法を実施するためのプログラム・コードを呼び出すことによって得られる第１のＣＱＩインデックスを送信するように構成される。
【０１１０】
第１０の態様を参照すると、変調符号化方式ＭＣＳのための通知装置が提供される。当該装置は、メモリおよびメモリに接続されたプロセッサを備え、さらに送信器と受信器を備え、メモリは１組のプログラム・コードを格納し、プロセッサは、第２の態様または第２の態様の可能な実装方式の何れかに従う方法を実施するためのメモリに格納されたプログラム・コードを呼び出すように構成され、受信器は、ＵＥにより送信された第１のＣＱＩインデックスを受信するように構成され、送信器はプロセッサにより、メモリに格納された第２の態様または第２の態様の可能な実装方式の何れかに従う方法を実施するためのプログラム・コードを呼び出すことによって得られる第１のＭＣＳインデックスを送信するように構成される。
【０１１１】
第１１の態様を参照すると、変調符号化方式ＭＣＳのための通知装置が提供される。当該装置は、メモリおよびメモリに接続されたプロセッサを備え、さらに送信器と受信器を備え、メモリは１組のプログラム・コードを格納し、プロセッサは、第３の態様または第３の態様の可能な実装方式の何れかに従う方法を実施するためのメモリに格納されたプログラム・コードを呼び出すように構成され、受信器は、ＵＥにより送信された第１のＣＱＩインデックスを受信するように構成され、送信器は、プロセッサにより、メモリに格納された第３の態様または第３の態様の可能な実装方式の何れかに従う方法を実施するためのプログラム・コードを呼び出すことによって得られる第１のＭＣＳインデックスを送信するように構成される。
【０１１２】
第１２の態様を参照すると、変調符号化方式ＭＣＳのための通知装置が提供される。当該装置は、メモリおよびメモリに接続されたプロセッサを備え、さらに受信器を備え、メモリは１組のプログラム・コードを格納し、プロセッサは、第４の態様または第４の態様の可能な実装方式の何れかに従う方法を実施するためのメモリに格納されたプログラム・コードを呼び出すように構成され、受信器は、基地局により送信された第１のＭＣＳインデックスを受信するように構成される。
【０１１３】
本発明は、チャネル品質指標ならびに変調方式および符号化方式のための通知方法および装置を提供する。これらは、ＣＱＩインデックスを送信する方法を用いることによって、６４ＱＡＭより高い変調方式を選択し基地局に通知する際にＵＥをサポートし、一方、ＭＣＳインデックスを送信する方法を用いることによって、６４ＱＡＭより高い変調方式を選択しＵＥに通知する際に基地局をサポートする。６４ＱＡＭより高い変調方式を用いると、信号雑音比が高い領域に対してより高い量子化精度を提供でき、それによりシステム性能を高める。
【０１１４】
本発明は、チャネル品質指標ならびに変調方式および符号化方式のための通知方法および装置を提供する。これらは、ＣＱＩインデックスを送信する方法を用いることによって低スペクトル効率を選択し基地局に通知する際にさらにＵＥをサポートでき、一方で、ＭＣＳインデックスを送信する方法を用いることによって小さな転送ブロック・サイズを選択しＵＥに通知する際に基地局をサポートでき、ＵＥが高次変調方式を使用するときにＵＥが予期しない低信号雑音比シナリオに適応できることを保証、即ち、ＵＥが信号雑音比の劇的な変化に適応するのを保証することができる。
【０１１５】
本発明の諸実施形態における技術的解決策をより明確に説明するために、以下では当該諸実施形態を説明するのに必要な添付図面を簡単に説明する。明らかに、下記の説明における添付図面は本発明の幾つかの実施形態を示すにすぎず、当業者は創造的作業なしにこれらの添付図面から他の図面を導出することができる。
【図面の簡単な説明】
【０１１６】
【図１】本発明の１実施形態に従うＣＱＩに関する通知方法の略図である。
【図２】本発明の１実施形態に従うＭＣＳに関する通知方法の略図である。
【図３】本発明の１実施形態に従うＭＣＳに対する別の通知方法の略図である。
【図４】本発明の１実施形態に従うＭＣＳに対する別の通知方法の略図である。
【図５】本発明の１実施形態に従うＣＱＩに関する通知装置の略図である。
【図６】本発明の１実施形態に従うＭＣＳに関する通知装置の略図である。
【図７】本発明の１実施形態に従うＭＣＳに対する別の通知装置の略図である。
【図８】本発明の１実施形態に従うＭＣＳに対する別の通知装置の略図である。
【図９】本発明の１実施形態に従うＣＱＩに対する別の通知装置の略図である。
【図１０】本発明の１実施形態に従うＭＣＳに対する別の通知装置の略図である。
【図１１】本発明の１実施形態に従うＭＣＳに対する別の通知装置の略図である。
【図１２】本発明の１実施形態に従うＭＣＳに対する別の通知装置の略図である。
【発明を実施するための形態】
【０１１７】
以下で、本発明の諸実施形態における添付図面を参照して本発明の諸実施形態における技術的解決策を明確に説明する。明らかに、説明する実施形態は本発明の諸実施形態の一部にすぎず全部ではない。当業者が創造的作業なしに本発明の諸実施形態に基づいて得る他の全ての実施形態は本発明の保護範囲に入るものとする。
【０１１８】
物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）に対する適合的手続きは以下の通りである。
【０１１９】
先ず、ユーザ機器（ＵＥ、Ｕｓｅｒ  Ｅｑｕｉｐｍｅｎｔ）がチャネル状態情報（ＣＳＩ、Ｃｈａｎｎｅｌ  Ｓｔａｔｅ  Ｉｎｆｏｒｍａｔｉｏｎ）を測定するために使用されるチャネル情報を推定し、次に、ＵＥが当該チャネル情報を用いることにより最適ランク指標（ＲＩ、Ｒａｎｋ  Ｉｎｄｉｃａｔｉｏｎ）および／またはプリコーディング行列指標（ＰＭＩ、Ｐｒｅｃｏｄｉｎｇ  Ｍａｔｒｉｘ  Ｉｎｄｉｃａｔｉｏｎ）に基づいて信号対雑音干渉比（ＳＩＮＲ、Ｓｉｇｎａｌ  ｔｏ  Ｉｎｔｅｒｆｅｒｅｎｃｅ  ｐｌｕｓ  Ｎｏｉｓｅ  Ｒａｔｉｏ）を計算し、次いで、ＵＥがＳＩＮＲに従って対応するチャネル品質指標（ＣＱＩ、Ｃｈａｎｎｅｌ  Ｑｕａｌｉｔｙ  Ｉｎｄｉｃａｔｏｒ）を取得し、ＣＱＩ値を基地局に報告する。
【０１２０】
さらに、本発明では、変調順序は変調方式に対応する。例示的に、変調方式が４相位相偏移変調（ＱＰＳＫ、Ｑｕａｄｒａｔｕｒｅ  Ｐｈａｓｅ  Ｓｈｉｆｔ  Ｋｅｙｉｎｇ）である場合、変調順序は２であり、変調方式が１６ＱＡＭである場合、変調順序は４であり、変調方式が６４ＱＡＭである場合、変調順序は６であり、変調方式は２５６ＱＡＭである場合、変調順序は８である。
【０１２１】
以下で、添付図面を参照して本発明の１実施形態で提供するＣＱＩに関する通知方法を詳細に説明する。
【０１２２】
図１に示すように、ＣＱＩに関する通知方法の諸ステップは以下の通りである。
【０１２３】
Ｓ１０１：ＵＥが、取得した第１のＣＱＩテーブルに従って第１のＣＱＩインデックスを学習する。
【０１２４】
第１のＣＱＩテーブルをプロトコルで予め定義してもよく、例えば、プロトコル仕様に従ってＵＥにより事前設定してもよく、またはＵＥにより事前に格納してもよく、または、ダウンリンク・チャネル状態に従って少なくとも２つの所定のテーブルからＵＥによって選択してもよく、または、基地局によりＵＥに通知してもよく、特に、基地局によりＵＥに通知するための方法が、基地局が、アップリンク・チャネル状態またはダウンリンク・チャネル状態に従って少なくとも２つの所定のテーブルの１つを選択し、ＵＥに当該テーブルを通知するというものであってもよい。第１のＣＱＩテーブルはＣＱＩインデックスとエントリの間のマッピング関係の記述に用いられる。本発明の当該実施形態では、ＣＱＩテーブル内のマッピング関係は本発明の理解の便宜のため与えた例にすぎず、本発明におけるＣＱＩテーブルの表現形式は、本例を含むがこれらに限られない。即ち、当該ＣＱＩテーブルが複数の組合せを有してもよく、当該組合せは、ＣＱＩインデックスとエントリの間のマッピング関係を反映できる限り、本発明の保護範囲に入るものとする。
【０１２５】
特に、ＵＥは、測定された第１のＳＩＮＲに従って第１のスペクトル効率を決定し、第１のスペクトル効率および第１のＣＱＩテーブルに従って、第１のスペクトル効率に対応する第１のＣＱＩインデックスを取得する。第１のＣＱＩテーブルがＵＥにより事前に格納される。
【０１２６】
第１のＣＱＩテーブルが、変調方式が６４ＱＡＭより高いエントリと、第２のＣＱＩテーブルにおいて変調方式がＱＰＳＫである少なくとも１つのエントリであって、変調方式がＱＰＳＫである少なくとも１つのエントリが第２のＣＱＩテーブルにおいて変調方式がＱＰＳＫである少なくとも１つのエントリにより形成された組合せのうち第１の組合せを除く組合せを含んでもよく、第１の組合せは、第２のＣＱＩテーブル内のＱＰＳＫに対応する連続する最大ＣＱＩインデックスを有するＮ個のエントリであり、Ｎは３に等しいかまたはＮは４未満の正の整数であるかまたはＮは正の整数である少なくとも１つのエントリ、および／または第２のＣＱＩテーブルにおいて変調方式が１６ＱＡＭである少なくとも１つのエントリとを含んでもよく、第２のＣＱＩテーブルのエントリの変調方式がＱＰＳＫ、１６ＱＡＭ、および６４ＱＡＭのみを含んでもよい。
【０１２７】
即ち、第１のＣＱＩテーブルは変調方式が６４ＱＡＭより高いエントリを含み、第１のＣＱＩテーブルはさらに第２のＣＱＩテーブルにおいて変調方式がＱＰＳＫである少なくとも１つのエントリを含んでもよく、第１のＣＱＩテーブルにおいて変調方式がＱＰＳＫであるエントリは、第２のＣＱＩテーブルにおける変調方式がＱＰＳＫであるエントリのうち、連続する最大ＣＱＩインデックスに対応するＮ個のエントリにすぎないということはありえず、Ｎが３に等しくてもよくまたはＮが４未満の正の整数であってもよくまたはＮが正の整数であってもよく、かつ／または第１のＣＱＩテーブルはさらに、第２のＣＱＩテーブルにおける変調方式が１６ＱＡＭである少なくとも１つのエントリを含む。
【０１２８】
さらに、Ｎの値は本発明で与えた幾つかの例にすぎず、本発明は本例を含むがこれらに限られない。
【０１２９】
第２のＣＱＩテーブル内のエントリの変調方式はＱＰＳＫ、１６ＱＡＭ、および６４ＱＡＭのみを含む。第１のＣＱＩテーブル内のエントリが第１のＣＱＩテーブル内の各ＣＱＩインデックスに対応する１つの変調方式、１つの符号化率、および１つのスペクトル効率を指してもよく、第２のＣＱＩテーブル内のエントリは第２のＣＱＩテーブル内の各ＣＱＩインデックスに対応する１つの変調方式、１つの符号化率、および１つのスペクトル効率を指す。確かに、本発明におけるエントリを、アップリンク状態情報またはダウンリンク状態情報に従って設定してもよい。第１のＣＱＩテーブルおよび第２のＣＱＩテーブル内のエントリは本発明で与えた例にすぎず、本発明は、本例を含むがこれらに限られない。
【０１３０】
さらに、当該組合せは、第２のＣＱＩテーブルにおいて変調方式がＱＰＳＫである少なくとも１つのエントリにより形成された組合せである。表１に示す第２のＣＱＩテーブルを１例として用いると、合計で２６−１＝６３個の、第２のＣＱＩテーブルにおいて変調方式がＱＰＳＫである少なくとも１つのエントリにより形成された組合せがある。例えば、当該組合せが、第２のＣＱＩテーブル内のＣＱＩインデックス６に対応するエントリによって形成された組合せであってもよく、第２のＣＱＩテーブル内のＣＱＩインデックス４、５、および６に対応するエントリによって形成された組合せであってもよく、第２のＣＱＩテーブル内のＣＱＩインデックス３、５、および６に対応するエントリによって形成された組合せであってもよい等である。
【０１３１】
特に、以下のように３つのタイプの第１のＣＱＩテーブルがあってもよい。
第１のタイプの第１のＣＱＩテーブル：変調方式がＱＰＳＫであるエントリおよび変調方式が６４ＱＡＭより高いエントリのみを含む。
第２のタイプの第１のＣＱＩテーブル：変調方式が１６ＱＡＭであるエントリおよび変調方式が６４ＱＡＭより高いエントリのみを含む。
第３のタイプの第１のＣＱＩテーブル：変調方式がＱＰＳＫであるエントリ、変調方式が１６ＱＡＭであるエントリ、および変調方式が６４ＱＡＭより高いエントリのみを含む。
【０１３２】
本発明において複数のタイプの第１のＣＱＩテーブルがってもよく、以上の３つのタイプの第１のＣＱＩテーブルは本発明を理解する容易さのために与えた例にすぎず、本発明は、本例を含むがこれらに限られない。
【０１３３】
理解の便宜のため、以下のＣＱＩテーブル（即ち、第２のＣＱＩテーブル）を説明のための１例として用いる。
【０１３４】
【表１】
0006312007.tif 000002
【０１３５】
第１のＣＱＩテーブルは変調方式が６４ＱＡＭより高いエントリを含み、例示的に、変調方式が６４ＱＡＭより高い含まれるエントリの量が１つまたは複数であってもよい。
【０１３６】
例示的に、６４ＱＡＭより高く第１のＣＱＩテーブルに含まれる変調方式が１２８ＱＡＭおよび／または２５６ＱＡＭであってもよい。第１のＣＱＩテーブルが１つの変調方式のみのエントリを含む場合、当該エントリの変調方式が１２８ＱＡＭ、２５６ＱＡＭの任意の変調方式、およびより高い変調方式を有する別の変調方式であってもよく、第１のＣＱＩテーブルが複数の変調方式のエントリを含む場合、第１のＣＱＩテーブルに含まれる複数の変調方式が１２８ＱＡＭ、２５６ＱＡＭの任意の複数の変調方式、およびより高い変調方式を有する別の変調方式であってもよい。
【０１３７】
例示的に、変調方式が６４ＱＡＭより高く第１のＣＱＩテーブルに含まれうるエントリを以下の表に示す。
【０１３８】
【表２】
0006312007.tif 000003
【０１３９】
具体的な実装プロセスにおける先行技術の変更を減らすために、第１のＣＱＩテーブル内のＣＱＩインデックスの範囲および第２のＣＱＩテーブル内のＣＱＩインデックスの範囲が同一であってもよく、特に０乃至１５であってもよいことが好ましいことに留意されたい。確かに、第１のＣＱＩテーブル内のＣＱＩインデックスの範囲が第２のＣＱＩテーブル内のＣＱＩインデックスの範囲より大きくてもよく、例示的に、第１のＣＱＩテーブル内のＣＱＩインデックスの範囲が０乃至２０であってもよい。本発明の当該実施形態におけるＣＱＩインデックスは本発明の理解の便宜のために与えられた例にすぎず本発明におけるＣＱＩインデックスの範囲は、本例を含むがこれらに限られない。
【０１４０】
当該第１のタイプの第１のＣＱＩテーブルに関して、当該第１のタイプの第１のＣＱＩテーブルは、変調方式がＱＰＳＫであるエントリおよび変調方式が６４ＱＡＭより高いエントリのみを含む。
【０１４１】
変調方式が６４ＱＡＭより高く第１のＣＱＩテーブルに含まれるエントリの量が１つまたは複数であってもよく、変調方式が６４ＱＡＭより高い各エントリは変調方式、符号化率、およびスペクトル効率を含み、対応するＣＱＩインデックスを有する。
【０１４２】
第１のＣＱＩテーブルはさらに第２のＣＱＩテーブルにおいて変調方式がＱＰＳＫである幾つかのエントリを含んでもよい。即ち、変調方式がＱＰＳＫである第２のＣＱＩテーブル内の（即ち、表１内の）ＣＱＩインデックス１乃至６に対応する６個のエントリのうち幾つかのエントリ、および第１のＣＱＩテーブルにおける変調方式がＱＰＳＫであるエントリは第２のＣＱＩテーブルにおける変調方式がＱＰＳＫであるエントリのうち、連続する最大ＣＱＩインデックスに対応するＮ個のエントリではない。Ｎは３に等しい。即ち、第１のＣＱＩテーブルにおける変調方式がＱＰＳＫであるエントリは、第２のＣＱＩテーブル内のＣＱＩインデックス４、５、および６に対応するエントリにすぎないということはありえない。
【０１４３】
あるいは、第１のＣＱＩテーブルはさらに第２のＣＱＩテーブルにおいて変調方式がＱＰＳＫである幾つかのエントリを含んでもよい。即ち、変調方式がＱＰＳＫであり第２のＣＱＩテーブル内のＣＱＩインデックス１乃至６に対応する６個のエントリのうち幾つかのエントリ、および第１のＣＱＩテーブルにおける変調方式がＱＰＳＫであるエントリは、第２のＣＱＩテーブルにおける変調方式がＱＰＳＫであるエントリのうち連続する最大ＣＱＩインデックスを有するＮ個のエントリではなく、Ｎは正の整数でありＮは４未満であり、即ち、Ｎが１、２、または３に等しくてもよく、Ｎが１に等しい場合、第１のＣＱＩテーブルにおける変調方式がＱＰＳＫであるエントリは、第２のＣＱＩテーブル内のＣＱＩインデックス６に対応するエントリにすぎないということはありえないか、または、Ｎが２に等しい場合、第１のＣＱＩテーブルにおける変調方式がＱＰＳＫであるエントリは、第２のＣＱＩテーブル内のＣＱＩインデックス５および６に対応するエントリにすぎないということはありえないか、または、Ｎが３に等しい場合、第１のＣＱＩテーブルにおける変調方式がＱＰＳＫであるエントリは、第２のＣＱＩテーブル内のＣＱＩインデックス４、５、および６に対応するエントリにすぎないということはありえない。
【０１４４】
あるいは、第１のＣＱＩテーブルはさらに、第２のＣＱＩテーブルにおいて変調方式がＱＰＳＫである幾つかのエントリを含む。即ち、変調方式がＱＰＳＫであり第２のＣＱＩテーブル内のＣＱＩインデックス１乃至６に対応する６個のエントリのうち幾つかのエントリ、および第１のＣＱＩテーブルにおける変調方式がＱＰＳＫであるエントリは第２のＣＱＩテーブルにおける変調方式がＱＰＳＫであるエントリのうち、連続する最大ＣＱＩインデックスに対応するＮ個のエントリではない。Ｎは正の整数である。即ち、Ｎの値範囲が１乃至５であってもよい。Ｎが１に等しい場合、第１のＣＱＩテーブルにおける変調方式がＱＰＳＫであるエントリは、第２のＣＱＩテーブル内のＣＱＩインデックス６に対応するエントリにすぎないということはありえないか、または、Ｎが２に等しい場合、第１のＣＱＩテーブルにおける変調方式がＱＰＳＫであるエントリは、第２のＣＱＩテーブル内のＣＱＩインデックス５および６に対応するエントリにすぎないということはありえないか、または、Ｎが３に等しい場合、第１のＣＱＩテーブルにおける変調方式がＱＰＳＫであるエントリは、第２のＣＱＩテーブル内のＣＱＩインデックス４、５、および６に対応するエントリにすぎないということはありえないか、または、Ｎが４に等しい場合、第１のＣＱＩテーブルにおける変調方式がＱＰＳＫであるエントリは、第２のＣＱＩテーブル内のＣＱＩインデックス３、４、５、および６に対応するエントリにすぎないということはありえないか、または、Ｎが５に等しい場合、第１のＣＱＩテーブルにおける変調方式がＱＰＳＫであるエントリは、第２のＣＱＩテーブル内のＣＱＩインデックス２、３、４、５、および６に対応するエントリにすぎないということはありえない。
【０１４５】
さらに、Ｎの値は本発明で与えた幾つかの例にすぎず、本発明は、本例を含むがこれらに限られない。
【０１４６】
あるいは、第１のＣＱＩテーブルにおける変調方式がＱＰＳＫであるエントリは、第２のＣＱＩテーブルにおいて変調方式がＱＰＳＫである幾つかのエントリを含む。当該幾つかのエントリに対応するＣＱＩインデックスは均等な間隔にある。
【０１４７】
例示的に、第１のＣＱＩテーブルにおける変調方式がＱＰＳＫであるエントリが第２のＣＱＩテーブルにおいて変調方式がＱＰＳＫである３つのエントリを含む場合、第１のＣＱＩテーブルにおける変調方式がＱＰＳＫであるエントリが第２のＣＱＩテーブル内のＣＱＩインデックス１、３、および５に対応するエントリを含んでもよいか、または、第１のＣＱＩテーブルにおける変調方式がＱＰＳＫであるエントリが第２のＣＱＩテーブル内のＣＱＩインデックス２、４、および６に対応するエントリを含んでもよい。
【０１４８】
あるいは、第１のＣＱＩテーブルにおける変調方式がＱＰＳＫであるエントリは、第２のＣＱＩテーブルにおいて変調方式がＱＰＳＫである幾つかのエントリを含む。当該幾つかのエントリに対応するＣＱＩインデックスは均等な間隔にない。
【０１４９】
例示的に、第１のＣＱＩテーブルにおける変調方式がＱＰＳＫであるエントリが第２のＣＱＩテーブルにおいて変調方式がＱＰＳＫである３つのエントリを含む場合、第１のＣＱＩテーブルにおける変調方式がＱＰＳＫであるエントリが第２のＣＱＩテーブル内のＣＱＩインデックス１、４、および６に対応するエントリを含んでもよいか、または、第１のＣＱＩテーブルにおける変調方式がＱＰＳＫであるエントリが第２のＣＱＩテーブル内のＣＱＩインデックス２、５、および６に対応するエントリを含んでもよいか、または、第１のＣＱＩテーブルにおける変調方式がＱＰＳＫであるエントリが第２のＣＱＩテーブルにおいて変調方式がＱＰＳＫである４個のエントリを含む場合、第１のＣＱＩテーブルにおける変調方式がＱＰＳＫであるエントリが第２のＣＱＩテーブル内のＣＱＩインデックス１、３、４、および６に対応するエントリを含んでもよいか、または、第１のＣＱＩテーブルにおける変調方式がＱＰＳＫであるエントリが第２のＣＱＩテーブルにおいて変調方式がＱＰＳＫである５個のエントリを含む場合、第１のＣＱＩテーブルにおける変調方式がＱＰＳＫであるエントリが第２のＣＱＩテーブル内のＣＱＩインデックス１、２、３、４、および６に対応するエントリを含んでもよい。
【０１５０】
あるいは、第１のＣＱＩテーブルにおける変調方式がＱＰＳＫであるエントリは、第２のＣＱＩテーブルにおいて変調方式がＱＰＳＫである幾つかのエントリ、および、第２のＣＱＩテーブルにおいて変調方式がＱＰＳＫである全てのエントリのうち最大ＣＱＩインデックスに対応するエントリを除く少なくとも１つのエントリを含む。当該幾つかのエントリに対応するＣＱＩインデックスは不連続である。
【０１５１】
例示的に、第１のＣＱＩテーブルにおける変調方式がＱＰＳＫであるエントリが第２のＣＱＩテーブル内のＣＱＩインデックス１および３に対応するエントリを含んでもよいか、または、第１のＣＱＩテーブルにおける変調方式がＱＰＳＫであるエントリが第２のＣＱＩテーブル内のＣＱＩインデックスに対応するエントリ２、４、および５を含んでもよい。
【０１５２】
あるいは、第１のＣＱＩテーブルにおける変調方式がＱＰＳＫであるエントリは、第２のＣＱＩテーブルにおいて変調方式がＱＰＳＫである幾つかのエントリ、および、当該ＣＱＩテーブルにおいて変調方式がＱＰＳＫである全てのエントリのうち最大ＣＱＩインデックスに対応するエントリを除く少なくとも１つのエントリを含む。当該幾つかのエントリに対応するＣＱＩインデックスは連続的である。
【０１５３】
例示的に、第１のＣＱＩテーブルにおける変調方式がＱＰＳＫであるエントリが第２のＣＱＩテーブル内のＣＱＩインデックス２、３、および４に対応するエントリを含んでもよいか、または、第１のＣＱＩテーブルにおける変調方式がＱＰＳＫであるエントリが第２のＣＱＩテーブル内のＣＱＩインデックス２、３、４、および５に対応するエントリを含んでもよい。
【０１５４】
第２のタイプの第１のＣＱＩテーブルに関して、第２のタイプのＣＱＩテーブルは、変調方式が１６ＱＡＭであるエントリおよび変調方式が６４ＱＡＭより高いエントリのみを含む。
【０１５５】
変調方式が６４ＱＡＭより高く第１のＣＱＩテーブルに含まれるエントリの量が１つまたは複数であってもよく、変調方式が６４ＱＡＭより高い各エントリは変調方式、符号化率、およびスペクトル効率を含み、対応するＣＱＩインデックスを有する。
【０１５６】
第１のＣＱＩテーブルはさらに、第２のＣＱＩテーブルにおいて変調方式が１６ＱＡＭである全てのエントリを含む。
【０１５７】
例示的に、第１のＣＱＩテーブルはさらに、第２のＣＱＩテーブルにおける変調方式が１６ＱＡＭであるエントリのうち、対応する変調方式が１６ＱＡＭでありＣＱＩインデックス７乃至９に対応する３つのエントリを含む。
【０１５８】
あるいは、特に、第１のＣＱＩテーブルはさらに、第２のＣＱＩテーブルにおける変調方式が１６ＱＡＭである幾つかのエントリおよび第２のＣＱＩテーブルにおける変調方式が１６ＱＡＭである全てのエントリのうち、最小のＣＱＩインデックスに対応するエントリを除く少なくとも１つのエントリを含む。
【０１５９】
例示的に、第１のＣＱＩテーブルにおける変調方式が１６ＱＡＭであるエントリはさらに第２のＣＱＩテーブル内のＣＱＩインデックス８および９に対応するエントリを含んでもよいか、または、第１のＣＱＩテーブルにおける変調方式が１６ＱＡＭであるエントリが第２のＣＱＩテーブル内のＣＱＩインデックス８または９に対応するエントリを含んでもよい。
【０１６０】
第３のタイプの第１のＣＱＩテーブルに関して、第１のタイプの第１のＣＱＩテーブルに基づいて、変調方式が１６ＱＡＭであるエントリを追加して当該第３のタイプの第１のＣＱＩテーブルを得る。当該第３のタイプの第１のＣＱＩテーブルは、変調方式がＱＰＳＫであるエントリ、変調方式が１６ＱＡＭであるエントリ、および変調方式が６４ＱＡＭより高いエントリのみを含む。変調方式が１６ＱＡＭであり当該第３のタイプの第１のＣＱＩテーブルに含まれるエントリが、変調方式が１６ＱＡＭであり第２のタイプの第１のＣＱＩテーブルに含まれるエントリと同一であってもよい。
【０１６１】
特に、第１のＣＱＩテーブルはさらに、第２のＣＱＩテーブルにおいて変調方式が１６ＱＡＭである全てのエントリを含む。
【０１６２】
あるいは、特に、第１のＣＱＩテーブルはさらに、第２のＣＱＩテーブルにおける変調方式が１６ＱＡＭである幾つかのエントリ、および、第２のＣＱＩテーブルにおいて変調方式が１６ＱＡＭである全てのエントリのうち、最小のＣＱＩインデックスに対応するエントリを除く少なくとも１つのエントリを含む。
【０１６３】
さらに、第１のＣＱＩテーブルはさらに、第２のＣＱＩテーブルにおいて変調方式が６４ＱＡＭである少なくとも１つのエントリを含む。
【０１６４】
即ち、第１のタイプの第１のＣＱＩテーブルに基づいて、変調方式が６４ＱＡＭであるエントリを追加して、第４のタイプの第１のＣＱＩテーブルを得る。この場合、当該第４のタイプの第１のＣＱＩテーブルは変調方式がＱＰＳＫであるエントリ、変調方式が６４ＱＡＭより高いエントリ、および変調方式が６４ＱＡＭであるエントリを含む。
【０１６５】
あるいは、第２のタイプの第１のＣＱＩテーブルに基づいて、変調方式が６４ＱＡＭであるエントリを追加して、第５のタイプの第１のＣＱＩテーブルを得る。この場合、当該第５のタイプの第１のＣＱＩテーブルは変調方式が６４ＱＡＭより高いエントリ、変調方式が１６ＱＡＭであるエントリ、および変調方式が６４ＱＡＭであるエントリを含む。
【０１６６】
あるいは、第３のタイプの第１のＣＱＩテーブルに基づいて、変調方式が６４ＱＡＭであるエントリを追加して、第６のタイプの第１のＣＱＩテーブルを得る。この場合、当該第６のタイプの第１のＣＱＩテーブルは変調方式が６４ＱＡＭより高いエントリ、変調方式がＱＰＳＫであるエントリ、変調方式が１６ＱＡＭであるエントリ、および変調方式が６４ＱＡＭであるエントリを含む。
【０１６７】
当該第４、第５、および第６のタイプの第１のＣＱＩテーブルにおける変調方式が６４ＱＡＭであるエントリは以下の通りである。
【０１６８】
特に、第１のＣＱＩテーブルはさらに、第２のＣＱＩテーブルにおいて変調方式が６４ＱＡＭである全てのエントリを含む。
【０１６９】
例示的に、第１のＣＱＩテーブルは、変調方式が６４ＱＡＭであり第２のＣＱＩインデックス１０乃至１５に対応する６個のエントリに対応する、第２のＣＱＩテーブルにおいて変調方式が６４ＱＡＭである６個のエントリを含む。
【０１７０】
あるいは、特に、第１のＣＱＩテーブルはさらに、第２のＣＱＩテーブルにおいて変調方式が６４ＱＡＭである幾つかのエントリ、および、第２のＣＱＩテーブルにおいて変調方式が６４ＱＡＭである全てのエントリのうち最大ＣＱＩインデックスに対応するエントリを除く少なくとも１つのエントリを含む。
【０１７１】
例示的に、第１のＣＱＩテーブルにおける変調方式が６４ＱＡＭであるエントリはさらに、第２のＣＱＩテーブル内のＣＱＩインデックス１０乃至Ｍに対応するエントリを含んでもよく、Ｍは１１、１２、１３、または１４であってもよく、第１のＣＱＩテーブルにおける変調方式が６４ＱＡＭであるエントリはさらに第２のＣＱＩテーブル内のＣＱＩインデックス１０、１２、および１４に対応するエントリを含んでもよく、第１のＣＱＩテーブルにおける変調方式が６４ＱＡＭであるエントリはさらに第２のＣＱＩテーブル内のＣＱＩインデックス１０および１３に対応するエントリを含んでもよいか、または、第１のＣＱＩテーブルにおける変調方式が６４ＱＡＭであるエントリはさらに第２のＣＱＩテーブル内のＣＱＩインデックス１０、１３、および１４に対応するエントリを含んでもよい。
【０１７２】
さらに、上記の６種の第１のＣＱＩテーブルでは、変調方式が６４ＱＡＭより高いエントリのうち、最小のＣＱＩインデックスに対応するエントリのスペクトル効率が、第２のＣＱＩテーブルにおいて変調方式が６４ＱＡＭである全てのエントリのうち最大ＣＱＩインデックスに対応するエントリのスペクトル効率に等しくてもよい。
【０１７３】
例示的に、第１のＣＱＩテーブルにおいて、変調方式がＱＰＳＫである３つのエントリが存在し、対応するＣＱＩインデックスは１乃至３であり、変調方式が１６ＱＡＭである３つのエントリが存在し、対応するＣＱＩインデックスは４乃至６であり、変調方式が６４ＱＡＭである５つのエントリが存在し、対応するＣＱＩインデックスは７乃至１１であり、第１のＣＱＩテーブル内のＣＱＩインデックスの範囲は０乃至１５であると仮定する。すると、第１のＣＱＩテーブルにおいて変調方式が６４ＱＡＭより高い４つのエントリが存在し、対応するＣＱＩインデックスは１２乃至１５であり、最小のＣＱＩインデックスを有するエントリは１２である。すると、特に、以下の表に示すように、第１のＣＱＩテーブル内のＣＱＩインデックス１２に対応するエントリは、表１に示す第２のＣＱＩテーブル内のＣＱＩインデックス１５に対応するエントリである。
【０１７４】
表３から分かるように、例えばＣＱＩインデックスが１であるとき、第１のＣＱＩテーブルおよび第２のＣＱＩテーブル内の同一のＣＱＩインデックスに対応するエントリが同一であってもよく、例えば、当該ＣＱＩインデックスが５、９、または１０であるとき、第１のＣＱＩテーブルおよび第２のＣＱＩテーブル内の同一のＣＱＩインデックスに対応するエントリが異なってもよい。
【０１７５】
【表３】
0006312007.tif 000004
【０１７６】
分かるように、以上の６種類の第１のＣＱＩテーブルは全て、変調方式が６４ＱＡＭよりも高いエントリを含み、ＣＱＩインデックスを送信する方法を用いることによって、６４ＱＡＭより高い変調方式を選択し基地局に通知する際にＵＥをサポートし、それによりシステム性能を高める。さらに、変調方式がＱＰＳＫ、１６ＱＡＭ、および６４ＱＡＭであるエントリおよび変調方式が６４ＱＡＭより高いエントリを含む第６のタイプの第１のＣＱＩテーブルが好適な第１のＣＱＩテーブルである。
【０１７７】
さらに、上記の６種の第１のＣＱＩテーブルでは、第１のＣＱＩテーブルにおける変調方式が６４ＱＡＭより高いエントリのうち最大ＣＱＩインデックスに対応するＸ個のエントリのスペクトル効率が算術数列またはほぼ算術数列においてスペクトル効率の昇順で配置される。Ｘは２より大きい整数である。
【０１７８】
特に、変調方式が６４ＱＡＭより高いエントリのうち最大ＣＱＩインデックスに対応するＸ個のエントリのスペクトル効率が算術数列においてスペクトル効率の昇順で配置されるということは、スペクトル効率の昇順で、当該Ｘ個のエントリの２番目のエントリから開始して、各エントリのスペクトル効率と当該エントリの先行エントリのスペクトル効率の差分が同一の定数に等しいことを示す。
【０１７９】
変調方式が６４ＱＡＭより高いエントリのうち最大ＣＱＩインデックスに対応するＸ個のエントリのスペクトル効率がほぼ算術数列においてスペクトル効率の昇順で配置されるということは、スペクトル効率の昇順で、当該Ｘ個のエントリの２番目のエントリから開始して、各エントリのスペクトル効率と当該エントリの先行エントリのスペクトル効率の差分が、定数から所定値を引いたものから当該定数に当該所定値を足したものまでの範囲内にあることを示す。
【０１８０】
即ち、変調方式が６４ＱＡＭより高いエントリのうち、最大ＣＱＩインデックスに対応するＸ個のエントリのスペクトル効率が（ｍ１，ｍ２，・・・，ｍＸ）であると仮定すると、当該Ｘ個のエントリの２番目のエントリから開始して、各エントリのスペクトル効率および当該エントリの先行エントリのスペクトル効率の差分が計算されｔｉとして示される。１≦ｉ≦Ｘ−１、即ち、（ｔ１，ｔ２，・・・，ｔＸ−１）、およびｔｉ＝ｍｉ＋１−ｍｉである。
【０１８１】
（ｔ１，ｔ２，・・・，ｔＸ−１）の全ての値が等しい（定数である）場合、第１のＣＱＩテーブルにおける変調方式が６４ＱＡＭより高いエントリのうち、最大ＣＱＩインデックスに対応する当該Ｘ個のエントリのスペクトル効率が算術数列においてスペクトル効率の昇順で配置される。当該定数は算術数列の公差と呼ばれる。
【０１８２】
（ｔ１，ｔ２，・・・，ｔＸ−１）の値の全てと定数の差分の絶対値の全てを所定値範囲内とできる当該定数が存在する場合、第１のＣＱＩテーブルにおける変調方式が６４ＱＡＭより高いエントリのうち、最大ＣＱＩインデックスに対応するＸ個のエントリのスペクトル効率がほぼ算術数列においてスペクトル効率の昇順で配置される。 これを次のように理解してもよい。（ｔ１，ｔ２，・・・，ｔＸ−１）内の任意の２つの隣接値の差分の絶対値が所定値より小さく、（ｔ１、ｔ２，・・・，ｔＸ−１）内の各値が大よそ等しい場合、第１のＣＱＩテーブルにおける変調方式が６４ＱＡＭより高いエントリのうち、最大ＣＱＩインデックスに対応するＸ個のエントリのスペクトル効率がほぼ算術数列においてスペクトル効率の昇順で配置される。当該定数はほぼ算術数列の公差と呼ばれる。Ｘ＝３であることが好ましい。
【０１８３】
例示的に、Ｘ＝３を１例として用いて、第１のＣＱＩテーブルにおける変調方式が６４ＱＡＭより高いエントリのうち最大ＣＱＩインデックスに対応する３つのエントリを表４に示す。
【０１８４】
【表４】
0006312007.tif 000005
【０１８５】
表４に示すように、ＣＱＩインデックス１３乃至１５を有するエントリに対応するスペクトル効率はそれぞれ６．０８、６．７２、および７．３６である。２番目のエントリ（即ち、ＣＱＩインデックス１４を有するエントリ）から開始して、各エントリのスペクトル効率と当該エントリの先行エントリのスペクトル効率の差分は０．６４に等しく、第１のＣＱＩテーブルにおける変調方式が６４ＱＡＭより高いエントリのうち、最大ＣＱＩインデックスに対応する３つのエントリのスペクトル効率が算術数列においてスペクトル効率の昇順で配置される。
【０１８６】
例示的に、Ｘ＝３を１例として用いて、第１のＣＱＩテーブルにおける変調方式が６４ＱＡＭより高いエントリのうち、最大ＣＱＩインデックスに対応する３つのエントリを表５に示す。
【０１８７】
【表５】
0006312007.tif 000006
【０１８８】
表５に示すように、ＣＱＩインデックス１３乃至１５を有するエントリに対応するスペクトル効率はそれぞれ６．０７８１、６．７１８８、および７．３５９４であり、２番目のエントリ（即ち、ＣＱＩインデックス１４を有するエントリ）から開始して、各エントリのスペクトル効率と当該エントリの先行エントリのスペクトル効率の差分はそれぞれ０．６４０７および０．６４０６に等しい。当該所定値が０．００１であると仮定すると、０．６４０７と０．６４０６の差分の絶対値は０．０００１に等しく０．００１未満であり、０．６４０７は大よそ０．６４０６に等しいので、第１のＣＱＩテーブルにおける変調方式が６４ＱＡＭより高いエントリのうち、最大ＣＱＩインデックスに対応する３つのエントリのスペクトル効率がほぼ算術数列においてスペクトル効率の昇順で配置される。
【０１８９】
あるいは、表５に示すように、ＣＱＩインデックス１３乃至１５を有するエントリに対応するスペクトル効率はそれぞれ６．０７８１、６．７１８８、および７．３５９４であり、当該所定値が０．００１であると仮定すると、２番目のエントリ（即ち、ＣＱＩインデックス１４を有するエントリ）から開始して、各エントリのスペクトル効率と先行エントリのスペクトル効率の差が０．６４から０．００１を引いたものから０．６４に０．００１を足したものの範囲内にあり、次いで、第１のＣＱＩテーブルにおける変調方式が６４ＱＡＭより高いエントリのうち、最大ＣＱＩインデックスに対応する３つのエントリのスペクトル効率がほぼ算術数列においてスペクトル効率の昇順で配置される。
【０１９０】
さらに、上記の６種の第１のＣＱＩテーブルでは、第１のＣＱＩテーブルにおける変調方式が６４ＱＡＭより高いエントリは変調方式が２５６ＱＡＭである少なくとも３つのエントリを含み、変調方式が２５６ＱＡＭである少なくとも３つのエントリのスペクトル効率が算術数列またはほぼ算術数列においてスペクトル効率の昇順で配置される。
【０１９１】
変調方式が２５６ＱＡＭである少なくとも３つのエントリのスペクトル効率が算術数列においてスペクトル効率の昇順で配置されるということは、スペクトル効率の昇順で、変調方式が２５６ＱＡＭである少なくとも３つのエントリの２番目のエントリから開始して、各エントリのスペクトル効率と当該エントリの先行エントリのスペクトル効率の差分は同一の定数に等しいことを示す。
【０１９２】
変調方式が２５６ＱＡＭである少なくとも３つのエントリのスペクトル効率がほぼ算術数列においてスペクトル効率の昇順で配置されるということは、スペクトル効率の昇順で、変調方式が２５６ＱＡＭである少なくとも３つのエントリの２番目のエントリから開始して、各エントリのスペクトル効率と当該エントリの先行エントリのスペクトル効率の差分は、定数から所定値を引いたものから当該定数に当該所定値を足したものまでの範囲内にあることを示す。
【０１９３】
即ち、変調方式が２５６ＱＡＭである少なくとも３つのエントリのスペクトル効率が（ｍ１、ｍ２，・・・，ｍＹ）であると仮定すると、下付きのＹは、変調方式が２５６ＱＡＭであるＹ個のエントリのスペクトル効率を示し、Ｙ≧３であり、当該Ｙ個のエントリの２番目のエントリから開始して、各エントリのスペクトル効率と当該エントリの先行エントリのスペクトル効率の差分が計算されｔｊとして示される。１≦ｊ≦Ｙ−１、即ち、（ｔ１，ｔ２，・・・，ｔＹ−１）、ｔｊ＝ｍｊ＋１−ｍｊである。
【０１９４】
（ｔ１，ｔ２，・・・，ｔＹ−１）の全ての値が等しい（定数である）場合、変調方式が２５６ＱＡＭである少なくとも３つのエントリのスペクトル効率が算術数列においてスペクトル効率の昇順で配置され、当該定数は算術数列の公差と呼ばれる。
【０１９５】
（ｔ１，ｔ２，・・・，ｔＹ−１）の値の全てと定数の差分の絶対値の全てを所定値範囲内とできる当該定数が存在する場合、変調方式が２５６ＱＡＭである少なくとも３つのエントリのスペクトル効率がほぼ算術数列においてスペクトル効率の昇順で配置される。これを次のように理解してもよい。（ｔ１，ｔ２，・・・，ｔＹ−１）内の任意の２つの隣接値の差分の絶対値が所定値より小さく、（ｔ１，ｔ２，・・・，ｔＹ−１）内の各値が大よそ等しい場合、第１のＣＱＩテーブルにおける変調方式が６４ＱＡＭより高いエントリのうち、変調方式が２５６ＱＡＭである少なくとも３つのエントリのスペクトル効率がほぼ算術数列においてスペクトル効率の昇順で配置され、当該定数はほぼ算術数列の公差と呼ばれる。
【０１９６】
例示的に、第１のＣＱＩテーブルにおける変調方式が６４ＱＡＭより高いエントリのうち変調方式が２５６ＱＡＭであるエントリを表６に示す。
【０１９７】
【表６】
0006312007.tif 000007
【０１９８】
表６に示すように、変調方式が２５６ＱＡＭであるエントリに対応するスペクトル効率は５．４４、６．０８、６．７２、および７．３６であり、２番目のエントリ（即ち、ＣＱＩインデックス１３を有するエントリ）から開始して、各エントリのスペクトル効率と当該エントリの先行エントリのスペクトル効率の差分は０．６４に等しく、表６において変調方式が２５６ＱＡＭであるエントリに対応するスペクトル効率が算術数列においてスペクトル効率の昇順で配置される。
【０１９９】
例示的に、第１のＣＱＩテーブルにおける変調方式が６４ＱＡＭより高いエントリの変調方式が２５６ＱＡＭであるエントリを表７に示す。
【０２００】
【表７】
0006312007.tif 000008
【０２０１】
表７に示すように、変調方式が２５６ＱＡＭであるエントリに対応するスペクトル効率は５．４３７５、６．０７８１、６．７１８８、および７．３５９４であり、２番目のエントリ（即ち、ＣＱＩインデックス１３を有するエントリ）から開始して、各エントリのスペクトル効率と当該エントリの先行エントリのスペクトル効率の差分はそれぞれ０．６４０６、０．６４０７、および０．６４０６に等しい。当該所定値が０．００１であると仮定すると、０．６４０７と０．６４０６の差分の絶対値は０．０００１に等しく、０．００１未満であり、０．６４０７は大よそ０．６４０６に等しいので、表７において変調方式が２５６ＱＡＭであるエントリに対応するスペクトル効率がほぼ算術数列においてスペクトル効率の昇順で配置される。
【０２０２】
あるいは、表７に示すように、変調方式が２５６ＱＡＭであるエントリに対応するスペクトル効率は５．４３７５、６．０７８１、６．７１８８、および７．３５９４であり、当該所定値が０．００１であると仮定すると、２番目のエントリ（即ち、ＣＱＩインデックス１３を有するエントリ）から開始して、各エントリのスペクトル効率と先行エントリのスペクトル効率の差が０．６４から０．００１を引いたものから０．６４に０．００１を足したものの範囲内にあり、表７における変調方式が２５６ＱＡＭであるエントリに対応するスペクトル効率がほぼ算術数列においてスペクトル効率の昇順で配置される。
【０２０３】
さらに、上記の６種の第１のＣＱＩテーブルでは、第１のＣＱＩテーブルは変調方式が６４ＱＡＭより高い少なくとも３つのエントリを含み、変調方式が６４ＱＡＭより高い少なくとも３つのエントリのスペクトル効率が算術数列またはほぼ算術数列においてスペクトル効率の昇順で配置される。
【０２０４】
特に、変調方式が６４ＱＡＭより高い少なくとも３つのエントリのスペクトル効率が算術数列またはほぼ算術数列においてスペクトル効率の昇順で配置されるということは、スペクトル効率の昇順で、変調方式が６４ＱＡＭより高い少なくとも３つのエントリの２番目のエントリから開始して、各エントリのスペクトル効率と当該エントリの先行エントリのスペクトル効率の差分は同一の定数に等しいことを示す。
【０２０５】
変調方式が６４ＱＡＭより高い少なくとも３つのエントリのスペクトル効率がほぼ算術数列においてスペクトル効率の昇順で配置されるということは、スペクトル効率の昇順で、変調方式が６４ＱＡＭより高い少なくとも３つのエントリの２番目のエントリから開始して、各エントリのスペクトル効率と当該エントリの先行エントリのスペクトル効率の差分は、定数から所定値を引いたものから当該定数に当該所定値を足したものまでの範囲内にあることを示す。
【０２０６】
即ち、変調方式が６４ＱＡＭより高い少なくとも３つのエントリのスペクトル効率が（ｍ１，ｍ２，・・・，ｍＺ）であると仮定すると、下付きのＺは変調方式が６４ＱＡＭより高いＺ個のエントリのスペクトル効率を示し、Ｚ≧３であり、当該Ｚ個のエントリの２番目のエントリから開始して、各エントリのスペクトル効率と当該エントリの先行エントリのスペクトル効率の差分が計算されｔｋとして示される。１≦ｋ≦Ｚ−１、即ち、（ｔ１，ｔ２，・・・，ｔｚ−１）、ｔｋ＝ｍｋ＋１−ｍｋである。
【０２０７】
（ｔ１，ｔ２，・・・，ｔｚ−１）の全ての値が等しい（定数である）場合、変調方式が６４ＱＡＭより高い少なくとも３つのエントリのスペクトル効率が算術数列においてスペクトル効率の昇順で配置され、当該定数は算術数列の公差と呼ばれる。
【０２０８】
（ｔ１，ｔ２，・・・，ｔＺ−１）の値の全てと定数の差分の絶対値の全てを所定値範囲内とできる当該定数が存在する場合、変調方式が６４ＱＡＭより高い少なくとも３つのエントリのスペクトル効率がほぼ算術数列においてスペクトル効率の昇順で配置される。これを次のように理解してもよい。（ｔ１，ｔ２，・・・，ｔＺ−１）内の任意の２つの隣接値の差分の絶対値が所定値より小さく、（ｔ１，ｔ２，・・・，ｔＺ−１）内の各値が大よそ等しい場合、変調方式が６４ＱＡＭより高い少なくとも３つのエントリのスペクトル効率がほぼ算術数列においてスペクトル効率の昇順で配置され、当該定数はほぼ算術数列の公差と呼ばれる。
【０２０９】
例示的に、第１のＣＱＩテーブルにおける変調方式が６４ＱＡＭより高いエントリの変調方式が２５６ＱＡＭであるエントリを表８に示す。
【０２１０】
【表８】
0006312007.tif 000009
【０２１１】
表８に示すように、変調方式が６４ＱＡＭより高いエントリに対応するスペクトル効率は５．４４、６．０８、６．７２、および７．３６であり、２番目のエントリ（即ち、ＣＱＩインデックス１３を有するエントリ）から開始して、各エントリのスペクトル効率と当該エントリの先行エントリのスペクトル効率の差分は０．６４に等しく、表８における変調方式が６４ＱＡＭより高いエントリのスペクトル効率が算術数列においてスペクトル効率の昇順で配置される。
【０２１２】
例示的に、第１のＣＱＩテーブルにおける変調方式が６４ＱＡＭより高いエントリの変調方式が２５６ＱＡＭであるエントリを表９に示す。
【０２１３】
【表９】
0006312007.tif 000010
【０２１４】
表９に示すように、変調方式が６４ＱＡＭより高いエントリに対応するスペクトル効率は５．４３７５、６．０７８１、６．７１８８、および７．３５９４であり、２番目のエントリ（即ち、ＣＱＩインデックス１３を有するエントリ）から開始して、各エントリのスペクトル効率と当該エントリの先行エントリのスペクトル効率の差分はそれぞれ０．６４０６、０．６４０７、および０．６４０６に等しい。当該所定値が０．００１であると仮定すると、０．６４０７と０．６４０６の差分の絶対値は０．０００１に等しく、０．００１未満であり、０．６４０７は大よそ０．６４０６に等しいので、表９における変調方式が６４ＱＡＭより高いエントリに対応するスペクトル効率がほぼ算術数列においてスペクトル効率の昇順で配置される。
【０２１５】
あるいは、表９に示すように、変調方式が６４ＱＡＭより高いエントリに対応するスペクトル効率は５．４３７５、６．０７８１、６．７１８８、および７．３５９４であり、当該所定値が０．００１であると仮定すると、２番目のエントリ（即ち、ＣＱＩインデックス１３を有するエントリ）から開始して、各エントリのスペクトル効率と先行エントリのスペクトル効率の差が０．６４から０．００１を引いたものから０．６４に０．００１を足したものの範囲内にあり、表９における変調方式が６４ＱＡＭより高いエントリに対応するスペクトル効率がほぼ算術数列においてスペクトル効率の昇順で配置される。
【０２１６】
さらに、算術数列の公差またはほぼ算術数列の公差は第１の閾値以下である。第１の閾値が任意の事前設定閾値であってもよく、または、第１のＣＱＩテーブルにおいて変調方式が６４ＱＡＭ以下である任意の２つの隣接エントリのスペクトル効率の差分の絶対値の最小値であってもよく、または、第１のＣＱＩテーブルにおいて変調方式が同一であり変調方式が６４ＱＡＭ以下である任意の２つの隣接エントリのスペクトル効率の差分の絶対値の最小値であってもよく、または、第１のＣＱＩテーブルにおいて変調方式が６４ＱＡＭに等しい任意の２つの隣接エントリのスペクトル効率の差分の絶対値の最小値であってもよく、または、第１のＣＱＩテーブルにおいて変調方式が１６ＱＡＭに等しい任意の２つの隣接エントリのスペクトル効率の差分の絶対値の最小値であってもよく、または、第１のＣＱＩテーブルにおいて変調方式がＱＰＳＫに等しい任意の２つの隣接エントリのスペクトル効率の差分の絶対値の最小値であってもよい。
【０２１７】
例示的に、表３における第１のＣＱＩテーブルを１例として用いて以下の表１０を得る。表１０における隣接エントリのスペクトル効率間の差異は、連続するＣＱＩインデックスを有する変調方式の第２のエントリ（即ち、第１のＣＱＩテーブル内のＣＱＩインデックス２を有するエントリ）から開始した各エントリのスペクトル効率と当該エントリの先行エントリのスペクトル効率の差分である。
【０２１８】
【表１０】
0006312007.tif 000011
【０２１９】
表１０に示すように、変調方式が２５６ＱＡＭである任意の２つの隣接エントリに対応するスペクトル効率の差分の絶対値の最小値は０．３５９４であり、任意の２つの隣接変調方式がＱＰＳＫまたは１６ＱＡＭまたは６４ＱＡＭであるエントリに対応するスペクトル効率の差分の絶対値の最小値は０．４３７５である。したがって、表１０において、変調方式が２５６ＱＡＭである任意の２つの隣接エントリに対応するスペクトル効率の間の差の絶対値の最小値は、変調方式がＱＰＳＫまたは１６ＱＡＭまたは６４ＱＡＭである任意の２つのエントリに対応するスペクトル効率の差の絶対値の最小値より小さい。
【０２２０】
さらに、上記の６種の第１のＣＱＩテーブルでは、第１のＣＱＩテーブルにおける変調方式が６４ＱＡＭより高いエントリのうち最大ＣＱＩインデックスに対応するＸ個のエントリの任意の２つの隣接エントリのスペクトル効率の差分の絶対値は第１の閾値以下であるか、または、第１のＣＱＩテーブルにおける変調方式が６４ＱＡＭより高いエントリは変調方式が２５６ＱＡＭである少なくとも２つのエントリを含み、変調方式が２５６ＱＡＭである少なくとも２つのエントリの任意の２つの隣接エントリのスペクトル効率の差分の絶対値は第１の閾値以下であるか、または、第１のＣＱＩテーブルは変調方式が６４ＱＡＭより高い少なくとも２つのエントリを含み、変調方式が６４ＱＡＭより高い少なくとも２つのエントリの任意の２つの隣接エントリのスペクトル効率の差分の絶対値は第１の閾値以下である。Ｘ＝３であることが好ましい。
【０２２１】
第１の閾値が任意の事前設定閾値であってもよく、または第１のＣＱＩテーブルにおいて変調方式が６４ＱＡＭ以下である任意の２つの隣接エントリのスペクトル効率の差分の絶対値の最小値であってもよく、または第１のＣＱＩテーブルにおいて変調方式が同一であり変調方式が６４ＱＡＭ以下である任意の２つの隣接エントリのスペクトル効率の差分の絶対値の最小値であってもよく、または第１のＣＱＩテーブルにおいて変調方式が６４ＱＡＭに等しい任意の２つの隣接エントリのスペクトル効率の差分の絶対値の最小値であってもよく、または第１のＣＱＩテーブルにおいて変調方式が１６ＱＡＭに等しい任意の２つの隣接エントリのスペクトル効率の差分の絶対値の最小値であってもよく、または第１のＣＱＩテーブルにおいて変調方式がＱＰＳＫに等しい任意の２つの隣接エントリのスペクトル効率の差分の絶対値の最小値であってもよい。
【０２２２】
例示的に、表３における第１のＣＱＩテーブルを１例として用いて以下の表１１を得る。表１１における隣接エントリのスペクトル効率間の差異は、連続するＣＱＩインデックスを有する変調方式の第２のエントリ（即ち、第１のＣＱＩテーブル内のＣＱＩインデックス２を有するエントリ）から開始した各エントリのスペクトル効率と当該エントリの先行エントリのスペクトル効率の差分である。
【０２２３】
【表１１】
0006312007.tif 000012
【０２２４】
表１１に示すように、変調方式が２５６ＱＡＭである任意の２つの隣接エントリに対応するスペクトル効率の差分の絶対値の最小値は０．３５９４であり、任意の２つの隣接変調方式がＱＰＳＫまたは１６ＱＡＭまたは６４ＱＡＭであるエントリに対応するスペクトル効率の差分の絶対値の最小値は０．４３７５である。したがって表１１において、変調方式が２５６ＱＡＭである任意の２つの隣接エントリに対応するスペクトル効率の間の差の絶対値の最小値は、変調方式がＱＰＳＫまたは１６ＱＡＭまたは６４ＱＡＭである任意の２つの隣接エントリに対応するスペクトル効率の間の差の絶対値の最小値より小さい。
【０２２５】
さらに、第１のＣＱＩテーブルはＣＱＩインデックスとエントリの間のマッピング関係を記述するために用いられることに留意されたい。本発明の当該実施形態では、第１のＣＱＩテーブル内のマッピング関係は本発明の理解の便宜のため与えた例にすぎず、本発明における第１のＣＱＩテーブルの表現形式は、本例を含むがこれらに限られない。即ち、第１のＣＱＩテーブルが複数の組合せを有してもよく、当該組合せは、第１のＣＱＩインデックスとエントリの間のマッピング関係を反映できる限り、本発明の保護範囲に入るものとする。
Ｓ１０２：ＵＥが第１のＣＱＩインデックスを基地局に送信する。
【０２２６】
本発明は、チャネル品質指標ならびに変調方式および符号化方式のための通知方法を提供する。ＣＱＩインデックスを送信する方法を用いることによって、６４ＱＡＭより高い変調方式を選択し基地局に通知する際にＵＥをサポートし、一方、ＭＣＳインデックスを送信する方法を用いることによって、６４ＱＡＭより高い変調方式を選択しＵＥに通知する際に基地局をサポートし、それによりシステム性能を高める。さらに、６４ＱＡＭより高い変調方式を用いると、信号雑音比が高い領域に対してより高い量子化精度を提供でき、それによりシステム性能が高まる。
【０２２７】
以下で、添付図面を参照して、本発明の１実施形態により提供されるＭＣＳに関する通知方法を詳細に説明する。
【０２２８】
図２に示すように、ＭＣＳに関する通知方法の諸ステップは以下の通りである。
【０２２９】
Ｓ２０１：基地局が第１のＣＱＩインデックスを受信する。第１のＣＱＩインデックスは取得した第１のＣＱＩテーブルに従ってＵＥにより決定される。当該実施形態の第１のＣＱＩテーブルが以上の実施形態における以上の第１のＣＱＩテーブルの何れか１つであってもよい。詳細についてはここでは再度説明しない。
【０２３０】
Ｓ２０２：基地局が、第１のＣＱＩテーブル、第１のＭＣＳテーブル、および受信した第１のＣＱＩインデックスに従って第１のＭＣＳインデックスを決定する。
【０２３１】
第１のＣＱＩテーブルをプロトコルで予め定義してもよく、例えば、プロトコル仕様に従ってＵＥにより事前設定してもよく、またはＵＥにより事前に格納してもよく、または、ダウンリンク・チャネル状態に従って少なくとも２つの所定のテーブルからＵＥによって選択してもよく、または、基地局によってＵＥに通知してもよく、特に、基地局によりＵＥに通知するための方法が、基地局が、アップリンク・チャネル状態またはダウンリンク・チャネル状態に従って少なくとも２つの所定のテーブルの１つを選択し、ＵＥに当該テーブルを通知するというものであってもよい。ＣＱＩテーブルはＣＱＩインデックスとエントリの間のマッピング関係の記述に用いられる。本発明の当該実施形態では、当該ＣＱＩテーブル内のマッピング関係は本発明の理解の便宜のため与えた例にすぎず、本発明におけるＣＱＩテーブルの表現形式は、本例を含むがこれらに限られない。即ち、当該ＣＱＩテーブルが複数の組合せを有してもよく、当該組合せは、ＣＱＩインデックスとエントリの間のマッピング関係を反映できる限り、本発明の保護範囲に入るものとする。
【０２３２】
第１のＭＣＳテーブルをプロトコルで予め定義してもよく、例えば、プロトコル仕様に従ってＵＥにより事前設定してもよく、またはＵＥにより事前に格納してもよく、または、ダウンリンク・チャネル状態に従って少なくとも２つの所定のテーブルからＵＥによって選択してもよく、または、基地局によってＵＥに通知してもよく、特に、基地局によりＵＥに通知するための方法が、基地局が、アップリンク・チャネル状態またはダウンリンク・チャネル状態に従って少なくとも２つの所定のテーブルの１つを選択し、ＵＥに当該テーブルを通知するというものであってもよい。ＭＣＳテーブルは、ＭＣＳインデックスとエントリの間のマッピング関係を記述するために用いられる。本発明の当該実施形態では、当該ＭＣＳテーブル内のマッピング関係は本発明の理解の便宜のため与えた例にすぎず、本発明におけるＭＣＳテーブルの表現形式は、本例を含むがこれらに限られない。即ち、当該ＭＣＳテーブルが複数の組合せを有してもよく、当該組合せは、ＭＣＳインデックスとエントリの間のマッピング関係を反映できる限り、本発明の保護範囲に入るものとする。
【０２３３】
第１のＣＱＩテーブルが、変調方式が６４ＱＡＭより高いエントリと、第２のＣＱＩテーブルにおいて変調方式がＱＰＳＫである少なくとも１つのエントリであって、変調方式がＱＰＳＫである少なくとも１つのエントリは、第２のＣＱＩテーブルにおいて変調方式がＱＰＳＫである少なくとも１つのエントリにより形成された組合せのうち第１の組合せを除く組合せを含み、第１の組合せは、第２のＣＱＩテーブル内のＱＰＳＫに対応する連続する最大ＣＱＩインデックスを有するＮ個のエントリであり、Ｎは３に等しいかまたはＮは４未満の正の整数であるかまたはＮは正の整数である少なくとも１つのエントリ、および／または第２のＣＱＩテーブルにおいて変調方式が１６ＱＡＭである少なくとも１つのエントリとを含んでもよく、第２のＣＱＩテーブルにおける変調方式はＱＰＳＫ、１６ＱＡＭ、および６４ＱＡＭのみを含む。
【０２３４】
即ち、第１のＣＱＩテーブルは変調方式が６４ＱＡＭより高いエントリを含み、第１のＣＱＩテーブルはさらに、第２のＣＱＩテーブルにおいて変調方式がＱＰＳＫである少なくとも１つのエントリを含み、第１のＣＱＩテーブルにおいて変調方式がＱＰＳＫであるエントリは、第２のＣＱＩテーブルにおける変調方式がＱＰＳＫであるエントリのうち、連続する最大ＣＱＩインデックスに対応するＮ個のエントリにすぎないということはありえず、Ｎは３に等しいまたはＮは４未満の正の整数であるかまたはＮは正の整数であり、かつ／または第１のＣＱＩテーブルはさらに、第２のＣＱＩテーブルにおける変調方式が１６ＱＡＭである少なくとも１つのエントリを含み、第２のＣＱＩテーブルのエントリの変調方式はＱＰＳＫ、１６ＱＡＭ、および６４ＱＡＭのみを含む。第１のＣＱＩテーブル内のエントリは、第１のＣＱＩテーブル内の各ＣＱＩインデックスに対応する１つの変調方式、１つの符号化率、および１つのスペクトル効率を指し、第２のＣＱＩテーブル内のエントリは第２のＣＱＩテーブル内の各ＣＱＩインデックスに対応する１つの変調方式、１つの符号化率、および１つのスペクトル効率を指す。
【０２３５】
第１のＭＣＳテーブルは、変調方式が６４ＱＡＭより高いエントリと、第２のＭＣＳテーブルにおいて変調方式がＱＰＳＫである少なくとも１つのエントリであって、変調方式がＱＰＳＫである少なくとも１つのエントリは、第２のＭＣＳテーブルにおいて変調方式がＱＰＳＫである少なくとも１つのエントリにより形成された組合せのうち第２の組合せを除く組合せを含み、当該第２の組合せは、第２のＭＣＳテーブル内のＱＰＳＫに対応する連続する最大ＭＣＳインデックスを有するＫ個のエントリであり、Ｋは４に等しいかまたはＫは５未満の正の整数であるかまたはＫは正の整数である少なくとも１つのエントリ、および／または第２のＭＣＳテーブルにおいて変調方式が１６ＱＡＭである少なくとも１つのエントリとを含んでもよく、第２のＭＣＳテーブルにおいて変調方式はＱＰＳＫ、１６ＱＡＭ、および６４ＱＡＭのみを含む。
【０２３６】
即ち、第１のＭＣＳテーブルはさらに、第２のＭＣＳテーブルにおいて変調方式がＱＰＳＫである少なくとも１つのエントリを含み、第１のＭＣＳテーブルにおいて変調方式がＱＰＳＫであるエントリは、第２のＭＣＳテーブルにおいて変調方式がＱＰＳＫであるエントリのうち、連続する最大ＭＣＳインデックスに対応するＫ個のエントリにすぎないということはありえず、Ｋは４またはＫは５未満の正の整数に等しいかまたはＫは正の整数であり、かつ／または第１のＭＣＳテーブルはさらに、第２のＭＣＳテーブルにおける変調方式が１６ＱＡＭである少なくとも１つのエントリを含む。第２のＭＣＳテーブル内のエントリの変調方式はＱＰＳＫ、１６ＱＡＭ、および６４ＱＡＭのみを含む。第１のＭＣＳテーブル内のエントリは、第１のＭＣＳテーブル内の各ＭＣＳインデックスに対応する１つの変調方式および１つのＴＢＳインデックスを指し、第２のＭＣＳテーブル内のエントリは、第２のＭＣＳテーブル内の各ＭＣＳインデックスに対応する１つの変調方式および１つのＴＢＳインデックスを指す。
【０２３７】
当該組合せは、第２のＭＣＳテーブルにおいて変調方式がＱＰＳＫである少なくとも１つのエントリにより形成された組合せである。表１４に示す第２のＭＣＳテーブルを１例として用いると、合計で２１０−１＝１０２３個の、第２のＭＣＳテーブルにおいて変調方式がＱＰＳＫである少なくとも１つのエントリにより形成された組合せがある。例えば、当該組合せが、第２のＭＣＳテーブル内のＭＣＳインデックス６に対応するエントリによって形成された組合せであってもよく、第２のＭＣＳテーブル内のＭＣＳインデックス６、７、８、および９に対応するエントリによって形成された組合せであってもよく、第２のＭＣＳテーブル内のＭＣＳインデックス３、６、７、８、および９に対応するエントリによって形成された組合せであってもよい、等である。
【０２３８】
特に、３つのタイプの第１のＭＣＳテーブルがあってもよい。
第１のタイプの第１のＭＣＳテーブル：変調方式がＱＰＳＫであるエントリおよび変調方式が６４ＱＡＭより高いエントリのみを含む。
第２のタイプの第１のＭＣＳテーブル：変調方式が１６ＱＡＭであるエントリおよび変調方式が６４ＱＡＭより高いエントリのみを含む。
第３のタイプの第１のＭＣＳテーブル：変調方式がＱＰＳＫであるエントリ、変調方式が１６ＱＡＭであるエントリ、および変調方式が６４ＱＡＭより高いエントリのみを含む。
【０２３９】
本発明において複数のタイプの第１のＭＣＳテーブルがあってもよく、以上の３つのタイプの第１のＭＣＳテーブルは本発明を理解する容易さのために与えた例にすぎず、本発明は、本例を含むがこれらに限られない。
【０２４０】
特に、取得した第１のＣＱＩテーブル、取得した第１のＭＣＳテーブル、および受信した第１のＣＱＩインデックスに従って第１のＭＣＳインデックスを決定するステップは、取得した第１のＰＲＢ量、第１のＣＱＩテーブル、第１のＭＣＳテーブル、および受信した第１のＣＱＩインデックスに従って、第１のＴＢＳインデックスおよび第１のＭＣＳインデックスを決定するステップを含む。
【０２４１】
第１のＰＲＢ量は基地局によりＵＥに割り当てられたＰＲＢ量であるか、または、第１のＰＲＢ量はＵＥに割り当てられたＰＲＢ量と特定の係数の積以下の最大整数であり、当該特定の係数は事前に格納された値であるか、または基地局によりＵＥに通知された値である。
【０２４２】
特に、第１の変調方式が２５６ＱＡＭであり、ＵＥに割り当てられたＰＲＢ量が特定の閾値Ｑ以下であるとき、第１のＰＲＢ量は、ＵＥに割り当てられたＰＲＢ量と特定の係数の積Ｐを越えない最大整数である。ＰとＱの積は最大ＰＲＢ量を越えず、ＬＴＥシステムでは、最大ＰＲＢ量は１１０である。Ｑ＝８２、およびＰ＝１．３３であり、Ｐ×Ｑ＝１０９．０６＜１１０であるとき、基地局によりＵＥに割り当てられたＰＲＢ量が５０である場合、第１のＰＲＢ量は５０＊１．３３＝６６．５以下の最大整数である、即ち、第１のＰＲＢ量は６６であることが好ましい。
【０２４３】
第１のＴＢＳテーブルは各ＴＢＳインデックスに対応する少なくとも１つのＰＲＢ量および各ＰＲＢ量に対応する転送ブロック・サイズを含み、第１のＴＢＳテーブルは第１のＭＣＳテーブルに対応するＴＢＳテーブルである。
【０２４４】
第１のＴＢＳテーブル内のＴＢＳインデックスの値範囲は０乃至Ａであり、Ａは２６以下の正の整数であるか、または、第１のＴＢＳテーブル内のＴＢＳインデックスの値範囲は０乃至Ｂであり、Ｂは２６以上の正の整数であり、第１のＴＢＳテーブルにおける値範囲が０乃至２６であるＴＢＳインデックスに対応する転送ブロック・サイズは値範囲が第２のＴＢＳテーブルにおいて０乃至２６であるＴＢＳインデックスに対応する転送ブロック・サイズと同じであり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する転送ブロック・サイズを含む。
【０２４５】
さらに、特に、第１のＴＢＳインデックスを、取得した第１のＰＲＢ量、前記第１のＭＣＳテーブル、および受信した第１のＣＱＩインデックスに従って決定するステップは、先ず、受信した第１のＣＱＩインデックスおよび第１のＣＱＩテーブルに従って、受信した第１のＣＱＩインデックスに対応する第１の変調方式および第１のスペクトル効率を決定するステップと、次に、第１のＰＲＢ量および第１のスペクトル効率に従って、ＵＥに送信された第１の転送ブロック・サイズを学習するステップと、次に、第１のＴＢＳテーブルに従って、第１のＴＢＳテーブル内の第１の転送ブロック・サイズおよび第１のＰＲＢ量に対応する第１のＴＢＳインデックスを取得するステップとを含む。
【０２４６】
第１のＣＱＩテーブル、第１のＭＣＳテーブル、および第１のＴＢＳテーブルを基地局により事前に格納してもよいことに留意されたい。
【０２４７】
理解の便宜のため、既存のプロトコル（即ち、第２のＴＢＳテーブル）でのＴＢＳテーブルを以下のように示す。
【０２４８】
【表１２】
0006312007.tif 000013
【０２４９】
例示的に、Ｂ＝３２のとき、第１のＴＢＳインデックスの範囲は（表１３に示すように）第１のＴＢＳテーブルにおいて０乃至３２であり、表１３に示すｘｘｘは転送ブロック・サイズを示し、特定の値をシミュレーション結果に従って設定してもよい。
【０２５０】
【表１３】
0006312007.tif 000014
【０２５１】
最後に、第１のＴＢＳインデックスに対応する第１のＭＣＳインデックスを第１のＭＣＳテーブル、第１の変調方式、および第１のＴＢＳインデックスに従って学習する。
【０２５２】
当該実施形態の第１のＣＱＩテーブルが以上の実施形態における第１のＣＱＩテーブルと同一であってもよく、詳細についてはここでは再度説明しない。以下で当該実施形態における第１のＭＣＳテーブルを詳細に説明する。
【０２５３】
理解の便宜のため、以下のＭＣＳテーブル（即ち、第２のＭＣＳテーブル）を説明のための例として用いる。
【０２５４】
【表１４】
0006312007.tif 000015
【０２５５】
表１４において、変調順序は変調方式に対応する。例示的に、変調方式がＱＰＳＫである場合、変調順序は２であり、変調方式が１６ＱＡＭである場合、変調順序は４であり、変調方式が６４ＱＡＭである場合、変調順序は６であり、変調方式は２５６ＱＡＭである場合、変調順序は８である。
【０２５６】
表１４において、ＭＣＳインデックス２９、３０、および３１を有するエントリは予約されたエントリである。
【０２５７】
具体的な実装プロセスにおける先行技術の変更を減らすために、第１のＭＣＳテーブル内のＭＣＳインデックスの範囲および第２のＭＣＳテーブル内のＭＣＳインデックスの範囲が同一であってもよく、０乃至３１であるのが好ましいことに留意されたい。確かに、第１のＭＣＳテーブル内のＭＣＳインデックスの範囲が第２のＭＣＳテーブル内のＭＣＳインデックスの範囲より大きくてもよく、例示的に、第１のＭＣＳテーブル内のＭＣＳインデックスの範囲は０乃至４０である。
【０２５８】
第１のタイプの第１のＭＣＳテーブルに関して、当該第１のタイプの第１のＭＣＳテーブルは、変調方式がＱＰＳＫであるエントリおよび変調方式が６４ＱＡＭより高いエントリのみを含む。
【０２５９】
変調方式が６４ＱＡＭより高く第１のＭＣＳテーブルに含まれるエントリの量が１つまたは複数であってもよく、変調方式が６４ＱＡＭより高い各エントリは変調順序および第１のＴＢＳインデックスを含み、対応するＭＣＳインデックスを有する。
【０２６０】
【表１５】
0006312007.tif 000016
【０２６１】
第１のＭＣＳテーブルはさらに、第２のＭＣＳテーブルにおいて変調方式がＱＰＳＫである少なくとも１つのエントリを含む。変調方式がＱＰＳＫである少なくとも１つのエントリは、当該第２のＭＣＳテーブルにおいて変調方式がＱＰＳＫである少なくとも１つのエントリにより形成された組合せの当該第２の組合せを除く組合せを含む。即ち、第１のＭＣＳテーブルはさらに、第２のＭＣＳテーブルにおいて変調方式がＱＰＳＫである少なくとも１つのエントリを含み、第１のＭＣＳテーブルにおける変調方式がＱＰＳＫであるエントリに対応するＭＣＳインデックスは、第２のＭＣＳテーブルにおいて変調方式がＱＰＳＫであるエントリのうち、連続する最大ＭＣＳインデックスに対応するＫ個のエントリではなく、Ｋは６である。即ち、変調方式がＱＰＳＫであり、第２のＭＣＳテーブル内の（即ち、表１４内の）インデックス０乃至９に対応する９個のエントリの幾つかのエントリが含まれ、第１のＭＣＳテーブルにおける変調方式がＱＰＳＫであるエントリは、第２のＭＣＳテーブルにおける変調方式がＱＰＳＫであるエントリのうち連続する最大ＭＣＳインデックスを有する６個のエントリではない。
【０２６２】
即ち、第１のＭＣＳテーブルにおける変調方式がＱＰＳＫであるエントリは、第２のＭＣＳテーブル内のＭＣＳインデックス４、５、６、７、８、および９に対応するエントリにすぎないということはありえない。
【０２６３】
あるいは、第１のＭＣＳテーブルはさらに、第２のＭＣＳテーブルにおいて変調方式がＱＰＳＫである少なくとも１つのエントリを含み、第２のＭＣＳテーブルにおける変調方式がＱＰＳＫであるエントリに対応するＭＣＳインデックスはＫ個の連続する最大ＭＣＳインデックスに対応するエントリでなく、Ｋは正の整数である。即ち、変調方式がＱＰＳＫであり第２のＭＣＳテーブル内のＭＣＳインデックス０乃至９に対応する９個のエントリの幾つかのエントリが含まれ、第１のＭＣＳテーブルにおける変調方式がＱＰＳＫであるエントリは第２のＭＣＳテーブルにおける変調方式がＱＰＳＫであるエントリのうち連続する最大ＭＣＳインデックスＫ個のエントリではない。特に、Ｋの値範囲が１乃至８であってもよい。即ち、第１のＭＣＳテーブルにおける変調方式がＱＰＳＫであるエントリは、第２のＭＣＳテーブル内のＭＣＳインデックス９に対応するエントリにすぎないということはありえないか、または、第１のＭＣＳテーブルにおける変調方式がＱＰＳＫであるエントリは、第２のＭＣＳテーブル内のＭＣＳインデックス８および９に対応するエントリにすぎないということはありえないか、または、第１のＭＣＳテーブルにおける変調方式がＱＰＳＫであるエントリは、第２のＭＣＳテーブル内のＭＣＳインデックス７、８および９に対応するエントリにすぎないということはありえないか、または、第１のＭＣＳテーブルにおける変調方式がＱＰＳＫであるエントリは、第２のＭＣＳテーブル内のＭＣＳインデックス６、７、８および９に対応するエントリにすぎないということはありえないか、または、第１のＭＣＳテーブルにおける変調方式がＱＰＳＫであるエントリは、第２のＭＣＳテーブル内のＭＣＳインデックス５、６、７、８および９に対応するエントリにすぎないということはありえないか、または、第１のＭＣＳテーブルにおける変調方式がＱＰＳＫであるエントリは、第２のＭＣＳテーブル内のＭＣＳインデックス４、５、６、７、８および９に対応するエントリにすぎないということはありえないか、または、第１のＭＣＳテーブルにおける変調方式がＱＰＳＫであるエントリは、第２のＭＣＳテーブル内のＭＣＳインデックス３、４、５、６、７、８および９に対応するエントリにすぎないということはありえないか、または、第１のＭＣＳテーブルにおける変調方式がＱＰＳＫであるエントリは、第２のＭＣＳテーブル内のＭＣＳインデックス２、３、４、５、６、７、８、および９に対応するエントリにすぎないということはありえない。
【０２６４】
あるいは、第１のＭＣＳテーブルは第２のＭＣＳテーブルにおいて変調方式がＱＰＳＫである幾つかのエントリを含む。当該幾つかのエントリに対応するＭＣＳインデックスは均等な間隔にある。
【０２６５】
例示的に、第１のＭＣＳテーブルにおける変調方式がＱＰＳＫであるエントリが第２のＭＣＳテーブルにおいて変調方式がＱＰＳＫである３個のエントリを含む場合、第１のＭＣＳテーブルにおける変調方式がＱＰＳＫであるエントリが第２のＭＣＳテーブル内のＭＣＳインデックス０、３、および６に対応するエントリを含んでもよく、または第１のＭＣＳテーブルにおける変調方式がＱＰＳＫであるエントリが第２のＭＣＳテーブル内のＣＱＩインデックス２、５、および８に対応するエントリを含んでもよく、または第１のＭＣＳテーブルにおける変調方式がＱＰＳＫであるエントリが第２のＭＣＳテーブル内のＣＱＩインデックス３、６、および９に対応するエントリを含んでもよく、または第１のＭＣＳテーブルにおける変調方式がＱＰＳＫであるエントリが第２のＭＣＳテーブル内のＣＱＩインデックス０、４、および８に対応するエントリを含んでもよく、または第１のＭＣＳテーブルにおける変調方式がＱＰＳＫであるエントリが第２のＭＣＳテーブル内のＣＱＩインデックス１、５、および９に対応するエントリを含んでもよく、第１のＭＣＳテーブルにおける変調方式がＱＰＳＫであるエントリが第２のＭＣＳテーブルにおいて変調方式がＱＰＳＫである４個のエントリを含む場合、第１のＭＣＳテーブルにおける変調方式がＱＰＳＫであるエントリが第２のＭＣＳテーブル内のＭＣＳインデックス０、３、６、および９に対応するエントリを含んでもよいか、または、第１のＭＣＳテーブルにおける変調方式がＱＰＳＫであるエントリが第２のＭＣＳテーブルにおいて変調方式がＱＰＳＫである５個のエントリを含む場合、第１のＭＣＳテーブルにおける変調方式がＱＰＳＫであるエントリが第２のＭＣＳテーブル内のＭＣＳインデックス１、３、５、７、および９に対応するエントリを含んでもよく、または第１のＭＣＳテーブルにおける変調方式がＱＰＳＫであるエントリが第２のＭＣＳテーブル内のＭＣＳインデックス０、２、４、６、および８に対応するエントリを含んでもよい。
【０２６６】
あるいは、第１のＭＣＳテーブルは、第２のＭＣＳテーブルにおいて変調方式がＱＰＳＫである幾つかのエントリを含む。当該幾つかのエントリに対応するＭＣＳインデックスは均等な間隔にない。
【０２６７】
例示的に、第１のＭＣＳテーブルにおける変調方式がＱＰＳＫであるエントリは第２のＭＣＳテーブルにおいて変調方式がＱＰＳＫであるＭ個のエントリを含み、Ｍの値は３、４、５、６、７、８または９であってもよい。Ｍ＝５である場合、第１のＭＣＳテーブルにおける変調方式がＱＰＳＫであるエントリは、当該ＭＣＳテーブルにおいて変調方式がＱＰＳＫである５個のエントリを含み、この場合、第１のＭＣＳテーブルにおける変調方式がＱＰＳＫであるエントリが、第２のＭＣＳテーブル内のＭＣＳインデックス１、４、７、８、および９に対応するエントリを含んでもよい。
【０２６８】
あるいは、第１のＭＣＳテーブルは第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリを含む。当該幾つかのエントリに対応するＭＣＳインデックスは不連続である。即ち、第２のＭＣＳテーブルにおける変調方式がQPSKであり第１のＭＣＳテーブルに含まれる幾つかのエントリは第２のＭＣＳテーブルにおける変調方式がＱＰＳＫであるエントリの全てのうち、最大ＭＣＳインデックスを有するエントリを含まない。
【０２６９】
例示的に、第１のＭＣＳテーブルにおける変調方式がＱＰＳＫであるエントリは第２のＭＣＳテーブルにおいて変調方式がＱＰＳＫであるＭ個のエントリを含み、Ｍの値は１、２、３、４、５、６、７、８、または９であってもよい。Ｍ＝８の場合、第１のＭＣＳテーブルにおける変調方式がＱＰＳＫであるエントリは第２のＭＣＳテーブルにおいて変調方式がＱＰＳＫである８個のエントリを含み、この場合、第１のＭＣＳテーブルにおける変調方式がＱＰＳＫであるエントリが第２のＭＣＳテーブル内のＭＣＳインデックス０、１、２、３、４、５、６、および８に対応するエントリを含んでもよい。
【０２７０】
あるいは、第１のＭＣＳテーブルは第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリを含む。当該幾つかのエントリに対応するＭＣＳインデックスは連続的である。即ち、第２のＭＣＳテーブルにおける変調方式がＱＰＳＫであり第１のＭＣＳテーブルに含まれる幾つかのエントリは第２のＭＣＳテーブルにおける変調方式がＱＰＳＫであるエントリの全てのうち、最大ＭＣＳインデックスを有するエントリを含まない。
【０２７１】
例示的に、第１のＭＣＳテーブルにおける変調方式がＱＰＳＫであるエントリは第２のＭＣＳテーブルにおいて変調方式がＱＰＳＫであるＭ個のエントリを含み、Ｍの値は１、２、３、４、５、６、７、８、または９であってもよい。Ｍ＝８の場合、第１のＭＣＳテーブルにおける変調方式がＱＰＳＫであるエントリは第２のＭＣＳテーブルにおいて変調方式がＱＰＳＫである８個のエントリを含み、この場合、第１のＭＣＳテーブルにおける変調方式がＱＰＳＫであるエントリが第２のＭＣＳテーブル内のＭＣＳインデックス０、１、２、３、４、５、６、および７に対応するエントリを含んでもよい。
【０２７２】
第２のタイプの第１のＭＣＳテーブルに関して、当該第２のタイプの第１のＭＣＳテーブルは、変調方式が１６ＱＡＭであるエントリおよび変調方式が６４ＱＡＭより高いエントリのみを含む。
【０２７３】
変調方式が６４ＱＡＭより高く第１のＭＣＳテーブルに含まれるエントリの量が１つまたは複数であってもよく、変調方式が６４ＱＡＭより高い各エントリは変調順序および第１のＴＢＳインデックスを含み、対応するＭＣＳインデックスを有する。
【０２７４】
第１のＭＣＳテーブルはさらに、第２のＭＣＳテーブルにおける変調方式が１６ＱＡＭである少なくとも１つのエントリを含む。
【０２７５】
特に、第１のＭＣＳテーブルはさらに、第２のＭＣＳテーブルにおける変調方式が１６ＱＡＭである全てのエントリを含む。
【０２７６】
例示的に、第１のＭＣＳテーブルはさらに、第２のＭＣＳテーブルにおける変調方式が１６ＱＡＭであるエントリのうち、対応する変調方式が１６ＱＡＭでありＭＣＳインデックス１０乃至１６に対応する６個のエントリを含む。
【０２７７】
あるいは、第１のＭＣＳテーブルはさらに、第２のＭＣＳテーブルにおける変調方式が１６ＱＡＭである幾つかのエントリを含む。当該幾つかのエントリに対応するＭＣＳインデックスは均等な間隔にある。
【０２７８】
例示的に、第１のＭＣＳテーブルにおける変調方式が１６ＱＡＭであるエントリが第２のＭＣＳテーブルにおける変調方式が１６ＱＡＭである３つのエントリを含む場合、第１のＭＣＳテーブルにおける変調方式が１６ＱＡＭであるエントリが第２のＭＣＳテーブル内のＭＣＳインデックス１０、１３、および１６に対応するエントリを含んでもよく、または第１のＭＣＳテーブルにおける変調方式が１６ＱＡＭであるエントリが第２のＭＣＳテーブル内のＭＣＳインデックス１０、１２、および１４に対応するエントリを含んでもよく、または第１のＭＣＳテーブルにおける変調方式が１６ＱＡＭであるエントリが第２のＭＣＳテーブル内のＭＣＳインデックス１１、１３、および１５に対応するエントリを含んでもよく、または第１のＭＣＳテーブルにおける変調方式が１６ＱＡＭであるエントリが第２のＭＣＳテーブル内のＭＣＳインデックス１２、１４、および１６に対応するエントリを含んでもよい。
【０２７９】
第１のＭＣＳテーブルにおける変調方式が１６ＱＡＭであるエントリが第２のＭＣＳテーブルにおける変調方式が１６ＱＡＭである４つのエントリを含む場合、第１のＭＣＳテーブルにおける変調方式が１６ＱＡＭであるエントリが第２のＭＣＳテーブル内のＭＣＳインデックス１０、１２、１４、および１６に対応するエントリを含んでもよい。
【０２８０】
あるいは、第１のＭＣＳテーブルはさらに、第２のＭＣＳテーブルにおける変調方式が１６ＱＡＭであるエントリを含む。当該幾つかのエントリに対応するＭＣＳインデックスは均等な間隔にない。
【０２８１】
例示的に、第１のＭＣＳテーブルにおける変調方式が１６ＱＡＭであるエントリは第２のＭＣＳテーブルにおける変調方式が１６ＱＡＭであるＭ個のエントリを含む。Ｍの値は３、４、５、および６であってもよい。Ｍ＝５である場合、第１のＭＣＳテーブルにおける変調方式が１６ＱＡＭである幾つかのエントリが第２のＭＣＳテーブル内のＭＣＳインデックス１０、１２、１４、１５、および１６に対応するエントリを含んでもよい。
【０２８２】
あるいは、第１のＭＣＳテーブルはさらに、第２のＭＣＳテーブルにおける変調方式が１６ＱＡＭである幾つかのエントリ、および、第２のＭＣＳテーブルにおける変調方式が１６ＱＡＭである全てのエントリのうち、最大の第２のＭＣＳインデックスを有するエントリを除く少なくとも１つのエントリを含む。当該幾つかのエントリに対応するＭＣＳインデックスは不連続である。即ち、第１のＭＣＳテーブルはさらに、第２のＭＣＳテーブルにおける変調方式が１６ＱＡＭである幾つかのエントリを含む。当該幾つかのエントリに対応するＭＣＳインデックスは不連続であり、当該幾つかのエントリは第２のＭＣＳテーブルにおける変調方式が１６ＱＡＭである全てのエントリのうち、最大ＭＣＳインデックスを有するエントリを含まない。
【０２８３】
例示的に、第１のＭＣＳテーブルにおける変調方式が１６ＱＡＭであるエントリは第２のＭＣＳテーブルにおける変調方式が１６ＱＡＭであるＭ個のエントリを含む。Ｍの値は１、２、３、４、５、または６であってもよい。Ｍ＝５である場合、第１のＭＣＳテーブルにおける変調方式が１６ＱＡＭであるエントリが第２のＭＣＳテーブル内のＭＣＳインデックス１０、１１、１２、１３、および１５に対応するエントリを含んでもよい。
【０２８４】
あるいは、第１のＭＣＳテーブルはさらに、第２のＭＣＳテーブルにおける変調方式が１６ＱＡＭである幾つかのエントリ、および、第２のＭＣＳテーブルにおける変調方式が１６ＱＡＭである全てのエントリのうち最大のＭＣＳインデックスを有するエントリを除く少なくとも１つのエントリを含む。当該幾つかのエントリに対応するＭＣＳインデックスは連続的である。即ち、第１のＭＣＳテーブルはさらに、第２のＭＣＳテーブルにおける変調方式が１６ＱＡＭである幾つかのエントリを含む。当該幾つかのエントリは、第２のＭＣＳテーブルにおける変調方式が１６ＱＡＭである全てのエントリのうち、最大ＭＣＳインデックスを有するエントリを含まない。
【０２８５】
例示的に第１のＭＣＳテーブルにおける変調方式が１６ＱＡＭであるエントリは第２のＭＣＳテーブルにおける変調方式が１６ＱＡＭであるＭ個のエントリを含む。Ｍの値は１、２、３、４、５、または６であってもよい。Ｍ＝６である場合、第１のＭＣＳテーブルにおける変調方式が１６ＱＡＭであるエントリが第２のＭＣＳテーブル内のＭＣＳインデックス１０、１１、１２、１３、１４、および１５に対応するエントリを含んでもよい。
【０２８６】
あるいは、第１のＭＣＳテーブルはさらに、第２のＭＣＳテーブルにおける変調方式が１６ＱＡＭである幾つかのエントリ、および、第２のＭＣＳテーブルにおける変調方式が１６ＱＡＭである全てのエントリのうち最大ＭＣＳインデックスを有するエントリおよび最小のＭＣＳインデックスを有するエントリを除く少なくとも１つのエントリを含む。即ち、第１のＭＣＳテーブルはさらに、第２のＭＣＳテーブルにおける変調方式が１６ＱＡＭである幾つかのエントリを含み、当該幾つかのエントリは、第２のＭＣＳテーブルにおける変調方式が１６ＱＡＭである全てのエントリのうち、最大ＭＣＳインデックスを有するエントリおよび最小のＭＣＳインデックスを有するエントリを含まない。
【０２８７】
例示的に、第１のＭＣＳテーブルにおける変調方式が１６ＱＡＭであるエントリは第２のＭＣＳテーブルにおける変調方式が１６ＱＡＭであるＭ個のエントリを含む。Ｍの値は１、２、３、４、または５であってもよい。Ｍ＝５である場合、第１のＭＣＳテーブルにおける変調方式が１６ＱＡＭであるエントリが第２のＭＣＳテーブル内のＭＣＳインデックス１１、１２、１３、１４、および１５に対応するエントリを含んでもよいか、または、Ｍ＝４である場合、第１のＭＣＳテーブルにおける変調方式が１６ＱＡＭであるエントリが第２のＭＣＳテーブル内のＭＣＳインデックス１１、１２、１３、および１４に対応するエントリを含んでもよいか、または、第１のＭＣＳテーブルにおける変調方式が１６ＱＡＭであるエントリが第２のＭＣＳテーブル内のＭＣＳインデックス１１、１３、１４、および１５に対応するエントリを含んでもよい。
【０２８８】
第３のタイプの第１のＭＣＳテーブルに関して、第１のタイプの第１のＭＣＳテーブルに基づいて、変調方式が１６ＱＡＭであるエントリを追加して、当該第３のタイプの第１のＭＣＳテーブルを得る。当該第３のタイプの第１のＭＣＳテーブルは、変調方式がＱＰＳＫであるエントリ、変調方式が１６ＱＡＭであるエントリ、および変調方式が６４ＱＡＭより高いエントリのみを含む。特に、変調方式が１６ＱＡＭであり当該第３のタイプの第１のＭＣＳテーブルに含まれるエントリが、第２のタイプの第１のＭＣＳテーブルに含まれる変調方式における変調方式が１６ＱＡＭであるエントリと同一であってもよく、当該第２のタイプの第１のＭＣＳテーブルにおいて変調方式が１６ＱＡＭであるエントリの説明を参照されたい。詳細についてはここでは再度説明しない。
【０２８９】
さらに、第１のＭＣＳテーブルはさらに、第２のＭＣＳテーブルにおいて変調方式が６４ＱＡＭである少なくとも１つのエントリを含む。
【０２９０】
即ち、第１のタイプの第１のＭＣＳテーブルに基づいて、変調方式が６４ＱＡＭであるエントリが追加されたテーブルは、第４のタイプの第１のＭＣＳテーブルであり、この場合、当該第４のタイプの第１のＭＣＳテーブルは変調方式がＱＰＳＫであるエントリ、変調方式が６４ＱＡＭより高いエントリ、および変調方式が１６ＱＡＭであるエントリを含む。
【０２９１】
あるいは、第２のタイプの第１のＭＣＳテーブルに基づいて、変調方式が６４ＱＡＭであるエントリが追加されたテーブルは、第５のタイプの第１のＭＣＳテーブルであり、この場合、当該第５のタイプの第１のＭＣＳテーブルは変調方式が１６ＱＡＭであるエントリ、変調方式が６４ＱＡＭより高いエントリ、および変調方式が６４ＱＡＭであるエントリを含む。
【０２９２】
あるいは、第３のタイプの第１のＭＣＳテーブルに基づいて、変調方式が６４ＱＡＭであるエントリが追加されたテーブルは、第６のタイプの第１のＭＣＳテーブルであり、この場合、当該第６のタイプの第１のＭＣＳテーブルは変調方式がＱＰＳＫであるエントリ、変調方式が１６ＱＡＭであるエントリ、変調方式が６４ＱＡＭより高いエントリ、および変調方式が６４ＱＡＭであるエントリを含む。
【０２９３】
当該第４、第５、および第６のタイプの第１のＭＣＳテーブルにおける変調方式が６４ＱＡＭであるエントリは以下の通りである。
【０２９４】
特に、第１のＭＣＳテーブルはさらに第２のＭＣＳテーブルにおいて変調方式が６４ＱＡＭである全てのエントリを含む。
【０２９５】
例示的に、第１のＭＣＳテーブルはさらに、第２のＭＣＳテーブルにおける変調方式が１６ＱＡＭであるエントリのうち、対応する変調方式が１６ＱＡＭでありＭＣＳインデックス１７乃至２８に対応する１２個のエントリを含む。
【０２９６】
あるいは、第１のＭＣＳテーブルはさらに、第２のＭＣＳテーブルにおいて変調方式が６４ＱＡＭである幾つかのエントリ、および、第２のＭＣＳテーブルにおいて変調方式が６４ＱＡＭである全てのエントリのうち最小のＭＣＳインデックスを有するエントリを除く少なくとも１つのエントリを含む。即ち、第２のＭＣＳテーブルにおいて変調方式が６４ＱＡＭである幾つかのエントリが含まれ、当該幾つかのエントリは第２のＭＣＳテーブルにおいて変調方式が６４ＱＡＭである全てのエントリのうち、最小のＭＣＳインデックスを有するエントリを含まない。
【０２９７】
例示的に、第１のＭＣＳテーブルはさらに、第２のＭＣＳテーブルにおいて変調方式が６４ＱＡＭであるＭ個のエントリを含む。Ｍの値範囲は１乃至１１であり、Ｍは整数である。Ｍ＝５である場合、第１のＭＣＳテーブルにおける変調方式が６４ＱＡＭであるエントリが第２のＭＣＳテーブル内のＭＣＳインデックス１８、１９、２０、２１、および２３に対応するエントリを含んでもよいか、または、第１のＭＣＳテーブルにおける変調方式が６４ＱＡＭであるエントリが第２のＭＣＳテーブル内のＭＣＳインデックス１８、２０、２１、２４、および２５に対応するエントリを含んでもよいか、または、Ｍ＝７である場合、第１のＭＣＳテーブルにおける変調方式が６４ＱＡＭであるエントリが第２のＭＣＳテーブル内のＭＣＳインデックス１８、１９、２０、２１、２３、２５、および２６に対応するエントリを含んでもよく、または第１のＭＣＳテーブルにおける変調方式が６４ＱＡＭであるエントリが第２のＭＣＳテーブル内のＭＣＳインデックス１９、２０、２１、２４、２５、２７、および２８に対応するエントリを含んでもよい。
【０２９８】
さらに、以上の６種類の第１のＭＣＳテーブルでは、第１のＭＣＳテーブルにおける変調方式が６４ＱＡＭより高い全てのエントリのうち最小のＭＣＳインデックスに対応するエントリ内のＴＢＳインデックスは、第２のＭＣＳテーブルにおける変調方式が６４ＱＡＭである全てのエントリのうち最大ＭＣＳインデックスを有するエントリ内のＴＢＳインデックスと同じである。
【０２９９】
例示的に、第１のＭＣＳテーブル内において、変調方式がＱＰＳＫである５個のエントリが存在し、対応するＭＣＳインデックスは０乃至４であり、変調方式が１６ＱＡＭである５個のエントリが存在し、対応するＭＣＳインデックスは５乃至９であり、変調方式が６４ＱＡＭである１１個のエントリが存在し、対応するＭＣＳインデックスは１０乃至２０であり、第１のＭＣＳテーブル内のＭＣＳインデックスの範囲は０乃至３１であり、第１のＭＣＳテーブルにおける変調方式が６４ＱＡＭより高い７つのエントリ（３つの予約されたエントリを含み、当該エントリに対応するＭＣＳインデックスは２８、２９、３０、および３１である）が存在し、対応するＭＣＳインデックスが２１乃至２８であり、最小のインデックスを有するエントリが２１であると仮定する。すると、特に、以下の表１６で示すように、第１のＭＣＳテーブル内のＭＣＳインデックス２１を有するエントリ内のＴＢＳインデックスは２６であり、これは表１４に示す第２のＭＣＳテーブル内のＭＣＳインデックス２８に対応するエントリ内のＴＢＳインデックスに等しい。
【０３００】
【表１６】
0006312007.tif 000017
【０３０１】
分かるように、以上の６種類の第１のＭＣＳテーブルは全て、変調方式が６４ＱＡＭよりも高いエントリを含み、ＭＣＳインデックスを送信する方法を用いることによって６４ＱＡＭより高い変調方式を選択しＵＥを通知する際に基地局をサポートし、それによりシステム性能を高める。さらに、変調方式がＱＰＳＫ、１６ＱＡＭ、および６４ＱＡＭであるエントリおよび変調方式が６４ＱＡＭより高いエントリを含む第６のタイプの第１のＭＣＳテーブルが好適な第１のＭＣＳテーブルである。
Ｓ２０３：基地局が、決定された第１のＭＣＳインデックスをＵＥに送信する。
【０３０２】
本発明は、チャネル品質指標ならびに変調方式および符号化方式のための通知方法を提供する。ＣＱＩインデックスを送信する方法を用いることによって、６４ＱＡＭより高い変調方式を選択し基地局に通知する際にＵＥをサポートし、一方、ＭＣＳインデックスを送信する方法を用いることによって、６４ＱＡＭより高い変調方式を選択しＵＥに通知する際に基地局をサポートし、それによりシステム性能を高める。さらに、６４ＱＡＭより高い変調方式を用いると、信号雑音比が高い領域に対してより高い量子化精度を提供でき、それによりシステム性能が高まる。
【０３０３】
図３に示すように、本発明はさらに、ＭＣＳに対する別の通知方法を提供する。当該方法は以下のステップを含む。
【０３０４】
当該実施形態の第１のＣＱＩテーブルが、以上の実施形態における第１のＣＱＩテーブルの何れか１つと同じであっても異なってもよい。しかし、この２つの共通点は、変調方式が６４ＱＡＭよりも高いエントリが含まれるという点である。当該実施形態における第１のＭＣＳテーブルが以上の実施形態におけるＭＣＳテーブルの何れか１つであってもよい。
【０３０５】
第１のＣＱＩテーブルをプロトコルで予め定義してもよく、プロトコル仕様に従ってＵＥにより事前に設定してもよく、またはＵＥにより事前に格納してもよく、または、ダウンリンク・チャネル状態に従って少なくとも２つの所定のテーブルからＵＥにより選択してもよく、または、基地局によってＵＥに通知してもよい。特に、基地局によりＵＥに通知するための方法が、基地局が、アップリンク・チャネル状態またはダウンリンク・チャネル状態に従って少なくとも２つの所定のテーブルの１つを選択し、ＵＥに当該テーブルを通知するというものであってもよい。ＣＱＩテーブルはＣＱＩインデックスとエントリの間のマッピング関係の記述に用いられる。本発明の当該実施形態では、当該ＣＱＩテーブル内のマッピング関係は本発明の理解の便宜のため与えた例にすぎず、本発明におけるＣＱＩテーブルの表現形式は、本例を含むがこれらに限られない。即ち、当該ＣＱＩテーブルが複数の組合せを有してもよく、当該組合せは、ＣＱＩインデックスとエントリの間のマッピング関係を反映できる限り、本発明の保護範囲に入るものとする。
【０３０６】
第１のＭＣＳテーブルをプロトコルで予め定義してもよく、例えば、プロトコル仕様に従ってＵＥにより事前設定してもよく、またはＵＥにより事前に格納してもよく、または、ダウンリンク・チャネル状態に従って少なくとも２つの所定のテーブルからＵＥによって選択してもよく、または、基地局によってＵＥに通知してもよく、特に、基地局によりＵＥに通知するための方法が、基地局が、アップリンク・チャネル状態またはダウンリンク・チャネル状態に従って少なくとも２つの所定のテーブルの１つを選択し、ＵＥに当該テーブルを通知するというものであってもよい。ＭＣＳテーブルは、ＭＣＳインデックスとエントリの間のマッピング関係を記述するために用いられる。本発明の当該実施形態では、当該ＭＣＳテーブル内のマッピング関係は本発明の理解の便宜のため与えた例にすぎず、本発明におけるＭＣＳテーブルの表現形式は、本例を含むがこれらに限られない。即ち、当該ＭＣＳテーブルが複数の組合せを有してもよく、当該組合せは、ＭＣＳインデックスとエントリの間のマッピング関係を反映できる限り、本発明の保護範囲に入るものとする。
Ｓ３０１：基地局が第１のＣＱＩインデックスを受信する。
【０３０７】
第１のＣＱＩインデックスは、取得した第１のＣＱＩテーブルに従って基地局により決定される。
【０３０８】
Ｓ３０２：基地局が、第１のＣＱＩテーブル、第１のＭＣＳテーブル、および受信した第１のＣＱＩインデックスに従って第１のＭＣＳインデックスを決定する。
【０３０９】
第１のＣＱＩテーブルは変調方式が６４ＱＡＭより高いエントリを含み、第１のＣＱＩテーブル内のエントリは、第１のＣＱＩテーブル内の各ＣＱＩインデックスに対応する１つの変調方式、１つの符号化率、および１つのスペクトル効率を指す。
【０３１０】
第１のＭＣＳテーブルは、変調方式が６４ＱＡＭより高いエントリと、第２のＭＣＳテーブルにおいて変調方式がＱＰＳＫである少なくとも１つのエントリであって、変調方式がＱＰＳＫである少なくとも１つのエントリは第２のＭＣＳテーブルにおいて変調方式がＱＰＳＫである少なくとも１つのエントリにより形成された組合せのうち第１の組合せを除く組合せを含み、第１の組合せは、第２のＭＣＳテーブル内のＱＰＳＫに対応する連続する最大ＭＣＳインデックスを有するＫ個のエントリであり、Ｋは４に等しいかまたはＫは５未満の正の整数であるかまたはＫは正の整数である少なくとも１つのエントリ、および／または第２のＭＣＳテーブルにおいて変調方式が１６ＱＡＭである少なくとも１つのエントリとを含み、第２のＭＣＳテーブルにおいて変調方式はＱＰＳＫ、１６ＱＡＭ、および６４ＱＡＭのみを含む。
【０３１１】
即ち、第１のＭＣＳテーブルは変調方式が６４ＱＡＭより高いエントリを含み、第１のＭＣＳテーブルはさらに、第２のＭＣＳテーブルにおいて変調方式がＱＰＳＫである少なくとも１つのエントリを含み、第２のＭＣＳテーブルにおいて変調方式がＱＰＳＫであるエントリに対応するＭＣＳインデックスは、Ｋ個の連続する最大ＭＣＳインデックスに対応するエントリにすぎないということはありえず、Ｋは４またはＫは５未満の正の整数に等しいかまたはＫは正の整数であり、かつ／または第１のＭＣＳテーブルはさらに、第２のＭＣＳテーブルにおける変調方式が１６ＱＡＭである少なくとも１つのエントリを含む。第２のＭＣＳテーブル内のエントリの変調方式はＱＰＳＫ、１６ＱＡＭ、および６４ＱＡＭのみを含む。第１のＭＣＳテーブル内のエントリは、第１のＭＣＳテーブル内の各ＭＣＳインデックスに対応する１つの変調方式および１つのＴＢＳインデックスを指し、第２のＭＣＳテーブル内のエントリは、第２のＭＣＳテーブル内の各ＭＣＳインデックスに対応する１つの変調方式および１つのＴＢＳインデックスを指す。
【０３１２】
当該組合せは、第２のＭＣＳテーブルにおいて変調方式がＱＰＳＫである少なくとも１つのエントリにより形成された組合せである。表６に示す第２のＭＣＳテーブルを１例として用いると、合計で２１０−１＝１０２３個の、第２のＭＣＳテーブルにおいて変調方式がＱＰＳＫである少なくとも１つのエントリにより形成された組合せがある。例えば、当該組合せが、第２のＭＣＳテーブル内のＣＱＩインデックス６に対応するエントリによって形成された組合せであってもよく、第２のＭＣＳテーブル内のＭＣＳインデックス６、７、８、および９に対応するエントリによって形成された組合せであってもよく、第２のＣＱＩテーブル内のＣＱＩインデックス３、６、７、８、および９に対応するエントリによって形成された組合せであってもよい、等である。
【０３１３】
基地局により、受信した第１のＣＱＩインデックス、第１のＣＱＩテーブル、および第１のＭＣＳテーブルに従って第１のＭＣＳインデックスを決定するための方法は上述の実施形態で説明した方法と同じであることに留意されたい。詳細についてはここでは再度説明しない。
【０３１４】
さらに、当該実施形態における第１のＭＣＳテーブルが以上の実施形態における６種類の第１のＭＣＳテーブルの何れか１つであってもよい。詳細についてはここでは再度説明しない。
Ｓ３０３：基地局が、決定された第１のＭＣＳインデックスをＵＥに送信する。
【０３１５】
本発明は、チャネル品質指標ならびに変調方式および符号化方式のための通知方法を提供する。ＣＱＩインデックスを送信する方法を用いることによって、６４ＱＡＭより高い変調方式を選択し基地局に通知する際にＵＥをサポートし、一方、ＭＣＳインデックスを送信する方法を用いることによって、６４ＱＡＭより高い変調方式を選択しＵＥに通知する際に基地局をサポートし、それによりシステム性能を高める。さらに、６４ＱＡＭより高い変調方式を用いると、信号雑音比が高い領域に対してより高い量子化精度を提供でき、それによりシステム性能が高まる。
【０３１６】
図４に示すように、本発明はさらに、ＭＣＳに対する別の通知方法を提供する。当該実施形態における第１のＭＣＳテーブルが上述の実施形態における第１のＭＣＳテーブルの何れか１つであってもよい。
【０３１７】
当該実施形態では、第１のＭＣＳテーブルをプロトコルで予め定義してもよく、プロトコル仕様に従ってＵＥにより事前に設定してもよく、またはＵＥにより事前に格納してもよく、または、ダウンリンク・チャネル状態に従って少なくとも２つの所定のテーブルからＵＥにより選択してもよく、または、基地局によってＵＥに通知してもよい。特に、基地局によりＵＥに通知するための方法が、基地局が、アップリンク・チャネル状態またはダウンリンク・チャネル状態に従って少なくとも２つの所定のテーブルの１つを選択し、ＵＥに当該テーブルを通知するというものであってもよい。ＭＣＳテーブルは、ＭＣＳインデックスとエントリの間のマッピング関係を記述するために用いられる。本発明の当該実施形態では、当該ＭＣＳテーブル内のマッピング関係は本発明の理解の便宜のため与えた例にすぎず、本発明におけるＭＣＳテーブルの表現形式は、本例を含むがこれらに限られない。即ち、当該ＭＣＳテーブルが複数の組合せを有してもよく、当該組合せは、ＭＣＳインデックスとエントリの間のマッピング関係を反映できる限り、本発明の保護範囲に入るものとする。
【０３１８】
当該方法は以下のステップを含む。
【０３１９】
Ｓ４０１：ＵＥが、基地局により送信された第１のＭＣＳインデックスを受信する。
第１のＭＣＳインデックスは、取得した第１のＭＣＳテーブルに従って基地局により決定される。
【０３２０】
Ｓ４０２：ＵＥが、第１のＭＣＳテーブルおよび受信した第１のＭＣＳインデックスに従って変調順序および符号ブロック・サイズを決定する。
【０３２１】
第１のＭＣＳテーブルは、変調方式が６４ＱＡＭより高いエントリと、第２のＭＣＳテーブルにおいて変調方式がＱＰＳＫである少なくとも１つのエントリであって、変調方式がＱＰＳＫである少なくとも１つのエントリは第２のＭＣＳテーブルにおいて変調方式がＱＰＳＫである少なくとも１つのエントリにより形成された組合せのうち第１の組合せを除く組合せを含み、第１の組合せは、第２のＭＣＳテーブル内のＱＰＳＫに対応する連続する最大ＭＣＳインデックスを有するＫ個のエントリであり、Ｋは４に等しいかまたはＫは５未満の正の整数であるかまたはＫは正の整数である少なくとも１つのエントリ、および／または第２のＭＣＳテーブルにおいて変調方式が１６ＱＡＭである少なくとも１つのエントリとを含み、第２のＭＣＳテーブルにおいて変調方式はＱＰＳＫ、１６ＱＡＭ、および６４ＱＡＭのみを含む。
【０３２２】
第１のＭＣＳテーブルは変調方式が６４ＱＡＭより高いエントリを含み、第１のＭＣＳテーブルはさらに、第２のＭＣＳテーブルにおいて変調方式がＱＰＳＫである少なくとも１つのエントリを含み、第２のＭＣＳテーブルにおいて変調方式がＱＰＳＫであるエントリに対応するＭＣＳインデックスは、Ｋ個の連続する最大ＭＣＳインデックスに対応するエントリにすぎないということはありえず、Ｋは４またはＫは５未満の正の整数に等しいかまたはＫは正の整数であり、かつ／または第１のＭＣＳテーブルはさらに、第２のＭＣＳテーブルにおける変調方式が１６ＱＡＭである少なくとも１つのエントリを含む。第２のＭＣＳテーブル内のエントリの変調方式はＱＰＳＫ、１６ＱＡＭ、および６４ＱＡＭのみを含む。第１のＭＣＳテーブル内のエントリは、第１のＭＣＳテーブル内の各ＭＣＳインデックスに対応する１つの変調方式および１つのＴＢＳインデックスを指し、第２のＭＣＳテーブル内のエントリは、第２のＭＣＳテーブル内の各ＭＣＳインデックスに対応する１つの変調方式および１つのＴＢＳインデックスを指す。
【０３２３】
当該組合せは、第２のＭＣＳテーブルにおいて変調方式がＱＰＳＫである少なくとも１つのエントリにより形成された組合せである。表６に示す第２のＭＣＳテーブルを１例として用いると、合計で２１０−１＝１０２３個の、第２のＭＣＳテーブルにおいて変調方式がＱＰＳＫである少なくとも１つのエントリにより形成された組合せがある。例えば、当該組合せが、第２のＭＣＳテーブル内のＣＱＩインデックス６に対応するエントリによって形成された組合せであってもよく、第２のＭＣＳテーブル内のＭＣＳインデックス６、７、８、および９に対応するエントリによって形成された組合せであってもよく、第２のＣＱＩテーブル内のＣＱＩインデックス３、６、７、８、および９に対応するエントリによって形成された組合せであってもよい、等である。
【０３２４】
当該実施形態における第１のＭＣＳテーブルが以上の実施形態における６種類の第１のＭＣＳテーブルの何れか１つであってもよいことに留意されたい。詳細についてはここでは再度説明しない。
【０３２５】
特に、第１のＭＣＳテーブルおよび受信した第１のＭＣＳインデックスに従って変調順序および符号ブロック・サイズを決定するステップは、第１のＭＣＳテーブルおよび受信した第１のＭＣＳインデックスに従って、第１のＴＢＳインデックスおよび変調順序を決定するステップと、第１のＴＢＳインデックス、第１のＰＲＢ量、および第１のＴＢＳテーブルに従って、当該符号ブロック・サイズを決定するステップとを含む。
【０３２６】
第１のＰＲＢ量は基地局によりＵＥに割り当てられたＰＲＢ量であるか、または、第１のＰＲＢ量はＵＥに割り当てられたＰＲＢ量と特定の係数の積以下の最大整数である。
【０３２７】
第１のＴＢＳテーブルは各ＴＢＳインデックスに対応する少なくとも１つのＰＲＢ量および各ＰＲＢ量に対応する転送ブロック・サイズを含み、第１のＴＢＳテーブルは第１のＭＣＳテーブルに対応するＴＢＳテーブルである。
【０３２８】
第１のＴＢＳテーブル内のＴＢＳインデックスの値範囲は０乃至Ａであり、Ａは２６以下の正の整数であるか、または、第１のＴＢＳテーブル内のＴＢＳインデックスの値範囲は０乃至Ｂであり、Ｂは２６以上の正の整数であり、第１のＴＢＳテーブルにおける値範囲が０乃至２６であるＴＢＳインデックスに対応する転送ブロック・サイズは値範囲が第２のＴＢＳテーブルにおいて０乃至２６であるＴＢＳインデックスに対応する転送ブロック・サイズと同じであり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する転送ブロック・サイズを含む。
【０３２９】
さらに、ＵＥは変調順序および符号ブロック・サイズに従ってＰＤＳＣＨを受信する。
【０３３０】
本発明は、チャネル品質指標ならびに変調方式および符号化方式のための通知方法を提供する。ＣＱＩインデックスを送信する方法を用いることによって、６４ＱＡＭより高い変調方式を選択し基地局に通知する際にＵＥをサポートし、一方、ＭＣＳインデックスを送信する方法を用いることによって、６４ＱＡＭより高い変調方式を選択しＵＥに通知する際に基地局をサポートし、それによりシステム性能を高める。さらに、６４ＱＡＭより高い変調方式を用いると、信号雑音比が高い領域に対してより高い量子化精度を提供でき、それによりシステム性能が高まる。
【０３３１】
図５に示すように、本発明の１実施形態ではＣＱＩに関する通知装置５０を提供する。装置５０は、第１のＣＱＩテーブルを取得するように構成された取得モジュール５１と、取得モジュール５１により取得された第１のＣＱＩテーブルに従って第１のＣＱＩインデックスを学習するように構成された第１の取得モジュール５２と、第１の取得モジュール５２が学習した第１のＣＱＩインデックスを基地局に送信して、基地局が第１のＣＱＩインデックスに従って第１の変調符号化方式ＭＣＳインデックスを決定するようにするように構成された送信モジュール５３とを備える。第１のＣＱＩテーブルをＵＥにより予め定義するか、または基地局によってＵＥに通知してもよく、またはダウンリンク・チャネル状態に従って少なくとも２つの所定のテーブルからＵＥにより選択される。特に、基地局によりＵＥに通知するための方法が、基地局が、アップリンク・チャネル状態またはダウンリンク・チャネル状態に従って少なくとも２つの所定のテーブルの１つを選択し、当該テーブルをＵＥに報告し、当該ＣＱＩテーブルをＣＱＩインデックスとエントリの間のマッピング関係を記述するのに使用する、即ち、当該マッピング関係はテーブルを用いて示されることに限定されず、式を用いて示してもよいということであってもよい。取得モジュール５１により取得された第１のＣＱＩテーブルは、変調方式が６４直角位相振幅変調ＱＡＭより高いエントリと、第２のＣＱＩテーブルにおいて変調方式が４相位相偏移変調ＱＰＳＫである少なくとも１つのエントリであって、変調方式がＱＰＳＫである少なくとも１つのエントリは、第２のＣＱＩテーブルにおいて変調方式がＱＰＳＫである少なくとも１つのエントリにより形成された組合せのうち第１の組合せを除く組合せを含み、第１の組合せは、第２のＣＱＩテーブル内のＱＰＳＫに対応する連続する最大ＣＱＩインデックスを有するＮ個のエントリであり、Ｎは３に等しいかまたはＮは４未満の正の整数であるかまたはＮは正の整数である少なくとも１つのエントリ、および／または第２のＣＱＩテーブルにおいて変調方式が１６ＱＡＭである少なくとも１つのエントリとを含み、第２のＣＱＩテーブルのエントリの変調方式はＱＰＳＫ、１６ＱＡＭ、および６４ＱＡＭのみを含む。
【０３３２】
当該取得モジュールにより取得された第１のＣＱＩテーブル内の第２のＣＱＩテーブルにおいて変調方式がＱＰＳＫである少なくとも１つのエントリは、第２のＣＱＩテーブルにおいて変調方式がＱＰＳＫである幾つかのエントリであって、当該幾つかのエントリに対応するＣＱＩインデックスは均等な間隔にある、幾つかのエントリか、または、第２のＣＱＩテーブルにおいて変調方式がＱＰＳＫである幾つかのエントリであって、当該幾つかのエントリに対応するＣＱＩインデックスは均等な間隔にない、幾つかのエントリか、または、第２のＣＱＩテーブルにおいて変調方式がＱＰＳＫである幾つかのエントリ、および、第２のＣＱＩテーブルにおいて変調方式がＱＰＳＫである全てのエントリのうち最大ＣＱＩインデックスに対応するエントリを除く少なくとも１つのエントリであって、当該幾つかのエントリに対応するＣＱＩインデックスは不連続である、幾つかのエントリおよび少なくとも１つのエントリか、または、第２のＣＱＩテーブルにおいて変調方式がＱＰＳＫである幾つかのエントリ、および、当該ＣＱＩテーブルにおいて変調方式がＱＰＳＫである全てのエントリのうち最大ＣＱＩインデックスに対応するエントリを除く少なくとも１つのエントリであって、当該幾つかのエントリに対応するＣＱＩインデックスは連続的である、幾つかのエントリおよび少なくとも１つのエントリを含む。
【０３３３】
当該取得モジュールにより取得された第１のＣＱＩテーブル内の第２のＣＱＩテーブルにおける変調方式が１６ＱＡＭである少なくとも１つのエントリは、第２のＣＱＩテーブルにおいて変調方式が１６ＱＡＭである全てのエントリか、または、第２のＣＱＩテーブルにおいて変調方式が１６ＱＡＭである全てのエントリのうち、最小のＣＱＩインデックスに対応するエントリを除く少なくとも１つのエントリを含む。
【０３３４】
さらに、取得モジュール５１により取得された第１のＣＱＩテーブルはさらに、第２のＣＱＩテーブルにおいて変調方式が６４ＱＡＭである少なくとも１つのエントリを含む。
【０３３５】
特に、当該取得モジュールにより取得された第１のＣＱＩテーブルにおける変調方式が６４ＱＡＭである少なくとも１つのエントリは、第２のＣＱＩテーブルにおいて変調方式が６４ＱＡＭである全てのエントリか、または、第２のＣＱＩテーブルにおいて変調方式が６４ＱＡＭである幾つかのエントリ、および、第２のＣＱＩテーブルにおいて変調方式が６４ＱＡＭである全てのエントリのうち最大ＣＱＩインデックスに対応するエントリを除く少なくとも１つのエントリを含む。
【０３３６】
さらに、取得モジュール５１により取得された第１のＣＱＩテーブルにおける変調方式が６４ＱＡＭより高いエントリのうち最小のＣＱＩインデックスに対応するエントリのスペクトル効率は、第２のＣＱＩテーブルにおいて変調方式が６４ＱＡＭである全てのエントリのうち最大ＣＱＩインデックスに対応するエントリのスペクトル効率に等しい。
【０３３７】
さらに、取得モジュール５１により取得された第１のＣＱＩテーブルにおける変調方式が６４ＱＡＭより高いエントリのうち最大ＣＱＩインデックスに対応するＸ個のエントリのスペクトル効率が算術数列またはほぼ算術数列においてスペクトル効率の昇順で配置され、変調方式が６４ＱＡＭより高いエントリのうち最大ＣＱＩインデックスに対応するＸ個のエントリのスペクトル効率が算術数列においてスペクトル効率の昇順で配置されるということは、スペクトル効率の昇順で、当該Ｘ個のエントリの２番目のエントリから開始して、各エントリのスペクトル効率と当該エントリの先行エントリのスペクトル効率の差分が同一の定数に等しいことを示し、変調方式が６４ＱＡＭより高いエントリのうち最大ＣＱＩインデックスに対応するＸ個のエントリのスペクトル効率がほぼ算術数列においてスペクトル効率の昇順で配置されるということは、スペクトル効率の昇順で、当該Ｘ個のエントリの２番目のエントリから開始して、各エントリのスペクトル効率と当該エントリの先行エントリのスペクトル効率の差分は、定数から所定値を引いたものから当該定数に当該所定値を足したものまでの範囲内にあり、Ｘは２より大きい整数であるということを示す。
【０３３８】
さらに、取得モジュール５１により取得された第１のＣＱＩテーブルにおける変調方式が６４ＱＡＭより高いエントリは、変調方式が２５６ＱＡＭである少なくとも３つのエントリを含み、変調方式が２５６ＱＡＭである少なくとも３つのエントリのスペクトル効率が算術数列またはほぼ算術数列においてスペクトル効率の昇順で配置され、変調方式が２５６ＱＡＭである少なくとも３つのエントリのスペクトル効率が算術数列においてスペクトル効率の昇順で配置されるということは、スペクトル効率の昇順で、変調方式が２５６ＱＡＭである少なくとも３つのエントリの２番目のエントリから開始して、各エントリのスペクトル効率と当該エントリの先行エントリのスペクトル効率の差分が同一の定数に等しいことを示し、変調方式が２５６ＱＡＭである少なくとも３つのエントリのスペクトル効率がほぼ算術数列においてスペクトル効率の昇順で配置されるということは、スペクトル効率の昇順で、変調方式が２５６ＱＡＭである少なくとも３つのエントリの２番目のエントリから開始して、各エントリのスペクトル効率と当該エントリの先行エントリのスペクトル効率の差分は、定数から所定値を引いたものから当該定数に当該所定値を足したものまでの範囲内にあることを示す。
【０３３９】
さらに、取得モジュール５１により取得された第１のＣＱＩテーブルは、変調方式が６４ＱＡＭより高い少なくとも３つのエントリを含み、変調方式が６４ＱＡＭより高い少なくとも３つのエントリのスペクトル効率が算術数列またはほぼ算術数列においてスペクトル効率の昇順で配置され、変調方式が６４ＱＡＭより高い少なくとも３つのエントリのスペクトル効率が算術数列またはほぼ算術数列においてスペクトル効率の昇順で配置されるということは、スペクトル効率の昇順で、変調方式が６４ＱＡＭより高い少なくとも３つのエントリの２番目のエントリから開始して、各エントリのスペクトル効率と当該エントリの先行エントリのスペクトル効率の差分が同一の定数に等しいことを示し、変調方式が６４ＱＡＭより高い少なくとも３つのエントリのスペクトル効率がほぼ算術数列においてスペクトル効率の昇順で配置されるということは、スペクトル効率の昇順で、変調方式が６４ＱＡＭより高い少なくとも３つのエントリの２番目のエントリから開始して、各エントリのスペクトル効率と当該エントリの先行エントリのスペクトル効率の差分は、定数から所定値を引いたものから当該定数に当該所定値を足したものまでの範囲内にあることを示す。さらに、当該定数は第１の閾値以下である。
【０３４０】
さらに、取得モジュール５１により取得された第１のＣＱＩテーブルにおける変調方式が６４ＱＡＭより高いエントリのうち最大ＣＱＩインデックスに対応するＸ個のエントリの任意の２つの隣接エントリのスペクトル効率の差分の絶対値は第１の閾値以下であるか、または、当該取得モジュールにより取得された第１のＣＱＩテーブルにおける変調方式が６４ＱＡＭより高いエントリは、変調方式が２５６ＱＡＭである少なくとも２つのエントリを含み、変調方式が２５６ＱＡＭである少なくとも２つのエントリの任意の２つの隣接エントリのスペクトル効率の差分の絶対値は第１の閾値以下であるか、または、当該取得モジュールにより取得された第１のＣＱＩテーブルは変調方式が６４ＱＡＭより高い少なくとも２つのエントリを含み、変調方式が６４ＱＡＭより高い少なくとも２つのエントリの任意の２つの隣接エントリのスペクトル効率の差分の絶対値は第１の閾値以下である。さらに、Ｘ＝３である。
【０３４１】
さらに、第１の閾値は、第１のＣＱＩテーブルにおいて変調方式が６４ＱＡＭ以下である任意の２つの隣接エントリのスペクトル効率の差分の絶対値の最小値であるか、または、第１のＣＱＩテーブルにおいて変調方式が同一であり変調方式が６４ＱＡＭ以下である任意の２つの隣接エントリのスペクトル効率の差分の絶対値の最小値であるか、または、第１のＣＱＩテーブルにおいて変調方式が６４ＱＡＭに等しい任意の２つの隣接エントリのスペクトル効率の差分の絶対値の最小値であるか、または、第１のＣＱＩテーブルにおいて変調方式が１６ＱＡＭに等しい任意の２つの隣接エントリのスペクトル効率の差分の絶対値の最小値であるか、または、第１のＣＱＩテーブルにおいて変調方式がＱＰＳＫに等しい任意の２つの隣接エントリのスペクトル効率の差分の絶対値の最小値である。
【０３４２】
さらに、取得モジュール５１により取得された第１のＣＱＩテーブル内のＣＱＩインデックスの値範囲は第２のＣＱＩテーブル内のＣＱＩインデックスの値範囲と同じである。
【０３４３】
図５に示すＣＱＩに関する通知装置は、上述の方法の実施形態における対応するステップを実施することができる。詳細については、上述の方法の実施形態の説明を参照されたい。当該装置により達成される効果については、上述の方法の実施形態の説明を参照されたい。
【０３４４】
図６に示すように、本発明の１実施形態はさらに、ＭＣＳに関する通知装置６０を提供する。装置６０は、第１のＣＱＩテーブルおよび第１のＭＣＳテーブルを取得するように構成された取得モジュール６１と、端末ＵＥにより送信された第１のＣＱＩインデックスを受信するように構成された受信モジュール６２であって、第１のＣＱＩインデックスは第１のＣＱＩテーブルに従ってＵＥにより決定される、受信モジュール６２と、取得モジュール６１により取得された第１のＣＱＩテーブル、取得モジュール６１により取得された第１のＭＣＳテーブル、および受信モジュール６２により受信された第１のＣＱＩインデックスに従って、第１のＭＣＳインデックスを決定するように構成された決定モジュール６３と、決定された第１のＭＣＳインデックスをＵＥに送信するように構成された送信モジュール６４とを備える。第１のＣＱＩテーブルをプロトコルで予め定義してもよく、例えば、プロトコル仕様に従ってＵＥにより事前に設定してもよく、またはＵＥにより事前に格納してもよく、またはダウンリンク・チャネル状態に従って少なくとも２つの所定のテーブルからＵＥにより選択してもよく、または基地局によってＵＥに通知してもよい。特に、基地局によりＵＥに通知するための方法が、基地局が、アップリンク・チャネル状態またはダウンリンク・チャネル状態に従って少なくとも２つの所定のテーブルの１つを選択し、ＵＥに当該テーブルを通知するというものであってもよい。ＣＱＩテーブルはＣＱＩインデックスとエントリの間のマッピング関係の記述に用いられる。本発明の当該実施形態では、当該ＣＱＩテーブル内のマッピング関係は本発明の理解の便宜のため与えた例にすぎず、本発明におけるＣＱＩテーブルの表現形式は、本例を含むがこれらに限られない。即ち、当該ＣＱＩテーブルが複数の組合せを有してもよく、当該組合せは、ＣＱＩインデックスとエントリの間のマッピング関係を反映できる限り、本発明の保護範囲に入るものとする。第１のＭＣＳテーブルをプロトコルで予め定義してもよく、プロトコル仕様に従ってＵＥにより事前設定してもよく、またはＵＥにより事前に格納してもよく、またはダウンリンク・チャネル状態に従って少なくとも２つの所定のテーブルからＵＥによって選択してもよく、または基地局によってＵＥに通知してもよく、特に、基地局によりＵＥに通知するための方法が、基地局が、アップリンク・チャネル状態またはダウンリンク・チャネル状態に従って少なくとも２つの所定のテーブルの１つを選択し、ＵＥに当該テーブルを通知するというものであってもよい。ＭＣＳテーブルは、ＭＣＳインデックスとエントリの間のマッピング関係を記述するために用いられる。本発明の当該実施形態では、当該ＭＣＳテーブル内のマッピング関係は本発明の理解の便宜のため与えた例にすぎず、本発明におけるＭＣＳテーブルの表現形式は、本例を含むがこれらに限られない、即ち、当該ＭＣＳテーブルが複数の組合せを有してもよく、当該組合せは、ＭＣＳインデックスとエントリの間のマッピング関係を反映できる限り、本発明の保護範囲に入るものとする。取得モジュール６１により取得された第１のＣＱＩテーブルは、変調方式が６４ＱＡＭより高いエントリと、第２のＣＱＩテーブルにおいて変調方式がＱＰＳＫである少なくとも１つのエントリであって、変調方式がＱＰＳＫである少なくとも１つのエントリは、第２のＣＱＩテーブルにおいて変調方式がＱＰＳＫである少なくとも１つのエントリにより形成された組合せのうち第１の組合せを除く組合せを含み、第１の組合せは、第２のＣＱＩテーブル内のＱＰＳＫに対応する連続する最大ＣＱＩインデックスを有するＮ個のエントリであり、Ｎは３に等しいかまたはＮは４未満の正の整数であるかまたはＮは正の整数である少なくとも１つのエントリ、および／または第２のＣＱＩテーブルにおいて変調方式が１６ＱＡＭである少なくとも１つのエントリとを含み、第２のＣＱＩテーブルにおける変調方式はＱＰＳＫ、１６ＱＡＭ、および６４ＱＡＭのみを含む。
【０３４５】
取得モジュール６１により取得された第１のＭＣＳテーブルは、変調方式が６４ＱＡＭより高いエントリと、第２のＭＣＳテーブルにおいて変調方式がＱＰＳＫである少なくとも１つのエントリであって、変調方式がＱＰＳＫである少なくとも１つのエントリは、第２のＭＣＳテーブルにおいて変調方式がＱＰＳＫである少なくとも１つのエントリにより形成された組合せのうち第２の組合せを除く組合せを含み、当該第２の組合せは、第２のＭＣＳテーブル内のＱＰＳＫに対応する連続する最大ＭＣＳインデックスを有するＫ個のエントリであり、Ｋは４に等しいかまたはＫは５未満の正の整数であるかまたはＫは正の整数である少なくとも１つのエントリ、および／または第２のＭＣＳテーブルにおいて変調方式が１６ＱＡＭである少なくとも１つのエントリとを含み、第２のＭＣＳテーブルにおいて変調方式はＱＰＳＫ、１６ＱＡＭ、および６４ＱＡＭのみを含む。
【０３４６】
決定モジュール６３は特に、取得モジュール６１により取得された第１のＰＲＢ量、取得モジュール６１により取得された第１のＣＱＩテーブル、取得モジュール６１により取得された第１のＭＣＳテーブル、および受信した第１のＣＱＩインデックスに従って、第１のＴＢＳインデックスおよび第１のＭＣＳインデックスを決定するように構成され、第１のＰＲＢ量は基地局によりＵＥに割り当てられたＰＲＢ量であるか、または、第１のＰＲＢ量はＵＥに割り当てられたＰＲＢ量と特定の係数の積以下の最大整数であり、第１のＴＢＳテーブルは各ＴＢＳインデックスに対応する少なくとも１つのＰＲＢ量および各ＰＲＢ量に対応する転送ブロック・サイズを含み、第１のＴＢＳテーブルは第１のＭＣＳテーブルに対応するＴＢＳテーブルであり、第１のＴＢＳテーブル内のＴＢＳインデックスの値範囲は０乃至Ａであり、Ａは２６以下の正の整数であるか、または、第１のＴＢＳテーブル内のＴＢＳインデックスの値範囲は０乃至Ｂであり、Ｂは２６以上の正の整数であり、第１のＴＢＳテーブルにおける値範囲が０乃至２６であるＴＢＳインデックスに対応する転送ブロック・サイズは値範囲が第２のＴＢＳテーブルにおいて０乃至２６であるＴＢＳインデックスに対応する転送ブロック・サイズと同じであり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する転送ブロック・サイズを含む。
【０３４７】
決定モジュール６３は、取得モジュール６１により取得された第１のＣＱＩテーブルおよび当該受信モジュールにより受信された第１のＣＱＩインデックスに従って、受信した第１のＣＱＩインデックスに対応する第１の変調方式および第１のスペクトル効率を決定するように構成された第１の決定サブモジュール６３１と、当該取得された第１のＰＲＢ量および当該第１の決定サブモジュールにより決定された第１のスペクトル効率に従って、ＵＥに送信された第１の転送ブロック・サイズを学習し、第１のＴＢＳテーブルに従って、当該第２の決定サブモジュールにより決定された第１の転送ブロック・サイズおよび第１のＴＢＳテーブル内の第１のＰＲＢ量に対応する第１のＴＢＳインデックスを取得するように構成された第２の決定サブモジュール６３２とを備える。
【０３４８】
取得モジュール６１により取得された第１のＣＱＩテーブル内の第２のＣＱＩテーブルにおいて変調方式がＱＰＳＫである少なくとも１つのエントリは、第２のＣＱＩテーブルにおいて変調方式がＱＰＳＫである幾つかのエントリであって、当該幾つかのエントリに対応するＣＱＩインデックスは均等な間隔にある、幾つかのエントリか、または、第２のＣＱＩテーブルにおいて変調方式がＱＰＳＫである幾つかのエントリであって、当該幾つかのエントリに対応するＣＱＩインデックスは均等な間隔にない、幾つかのエントリか、または、第２のＣＱＩテーブルにおいて変調方式がＱＰＳＫである幾つかのエントリ、および、第２のＣＱＩテーブルにおいて変調方式がＱＰＳＫである全てのエントリのうち最大ＣＱＩインデックスに対応するエントリを除く少なくとも１つのエントリであって、当該幾つかのエントリに対応するＣＱＩインデックスは不連続である、幾つかのエントリおよび少なくとも１つのエントリか、または、第２のＣＱＩテーブルにおいて変調方式がＱＰＳＫである幾つかのエントリ、および、当該ＣＱＩテーブルにおいて変調方式がＱＰＳＫである全てのエントリのうち最大ＣＱＩインデックスに対応するエントリを除く少なくとも１つのエントリであって、当該幾つかのエントリに対応するＣＱＩインデックスは連続的である、幾つかのエントリおよび少なくとも１つのエントリを含む。
【０３４９】
取得モジュール６１により取得された第１のＣＱＩテーブル内の第２のＣＱＩテーブルにおける変調方式が１６ＱＡＭである少なくとも１つのエントリは、第２のＣＱＩテーブルにおいて変調方式が１６ＱＡＭである全てのエントリか、または、第２のＣＱＩテーブルにおいて変調方式が１６ＱＡＭである全てのエントリのうち、最小のＣＱＩインデックスに対応するエントリを除く少なくとも１つのエントリを含む。
【０３５０】
さらに、取得モジュール６１により取得された第１のＣＱＩテーブルはさらに、第２のＣＱＩテーブルにおいて変調方式が６４ＱＡＭである少なくとも１つのエントリを含んでもよい。
【０３５１】
特に、取得モジュール６１により取得された第１のＣＱＩテーブル内の第２のＣＱＩテーブルにおける変調方式が６４ＱＡＭである少なくとも１つのエントリは、第２のＣＱＩテーブルにおいて変調方式が６４ＱＡＭである全てのエントリか、または、第２のＣＱＩテーブルにおいて変調方式が６４ＱＡＭである幾つかのエントリ、および、第２のＣＱＩテーブルにおいて変調方式が６４ＱＡＭである全てのエントリのうち最大ＣＱＩインデックスに対応するエントリを除く少なくとも１つのエントリを含む。
【０３５２】
さらに、取得モジュール６１により取得された第１のＣＱＩテーブルにおける変調方式が６４ＱＡＭより高いエントリのうち最小のＣＱＩインデックスに対応するエントリのスペクトル効率は、第２のＣＱＩテーブルにおいて変調方式が６４ＱＡＭである全てのエントリのうち最大ＣＱＩインデックスに対応するエントリのスペクトル効率に等しい。
【０３５３】
さらに、取得モジュール６１により取得された第１のＣＱＩテーブルにおける変調方式が６４ＱＡＭより高いエントリのうち最大ＣＱＩインデックスに対応するＸ個のエントリのスペクトル効率が算術数列またはほぼ算術数列においてスペクトル効率の昇順で配置され、変調方式が６４ＱＡＭより高いエントリのうち最大ＣＱＩインデックスに対応するＸ個のエントリのスペクトル効率が算術数列においてスペクトル効率の昇順で配置されるということは、スペクトル効率の昇順で、当該Ｘ個のエントリの２番目のエントリから開始して、各エントリのスペクトル効率と当該エントリの先行エントリのスペクトル効率の差分が同一の定数に等しいことを示し、変調方式が６４ＱＡＭより高いエントリのうち最大ＣＱＩインデックスに対応するＸ個のエントリのスペクトル効率がほぼ算術数列においてスペクトル効率の昇順で配置されるということは、スペクトル効率の昇順で、当該Ｘ個のエントリの２番目のエントリから開始して、各エントリのスペクトル効率と当該エントリの先行エントリのスペクトル効率の差分は、定数から所定値を引いたものから当該定数に当該所定値を足したものまでの範囲内にあり、Ｘは２より大きい整数であるということを示す。
【０３５４】
さらに、取得モジュール６１により取得された第１のＣＱＩテーブルにおける変調方式が６４ＱＡＭより高いエントリは変調方式が２５６ＱＡＭである少なくとも３つのエントリを含み、変調方式が２５６ＱＡＭである少なくとも３つのエントリのスペクトル効率が算術数列またはほぼ算術数列においてスペクトル効率の昇順で配置され、変調方式が２５６ＱＡＭである少なくとも３つのエントリのスペクトル効率が算術数列においてスペクトル効率の昇順で配置されるということは、スペクトル効率の昇順で、変調方式が２５６ＱＡＭである少なくとも３つのエントリの２番目のエントリから開始して、各エントリのスペクトル効率と当該エントリの先行エントリのスペクトル効率の差分が同一の定数に等しいことを示し、変調方式が２５６ＱＡＭである少なくとも３つのエントリのスペクトル効率がほぼ算術数列においてスペクトル効率の昇順で配置されるということは、スペクトル効率の昇順で、変調方式が２５６ＱＡＭである少なくとも３つのエントリの２番目のエントリから開始して、各エントリのスペクトル効率と当該エントリの先行エントリのスペクトル効率の差分は、定数から所定値を引いたものから当該定数に当該所定値を足したものまでの範囲内にあることを示す。
【０３５５】
さらに、取得モジュール６１により取得された第１のＣＱＩテーブルは、変調方式が６４ＱＡＭより高い少なくとも３つのエントリを含み、変調方式が６４ＱＡＭより高い少なくとも３つのエントリのスペクトル効率が算術数列またはほぼ算術数列においてスペクトル効率の昇順で配置され、変調方式が６４ＱＡＭより高い少なくとも３つのエントリのスペクトル効率が算術数列またはほぼ算術数列においてスペクトル効率の昇順で配置されるということは、スペクトル効率の昇順で、変調方式が６４ＱＡＭより高い少なくとも３つのエントリの２番目のエントリから開始して、各エントリのスペクトル効率と当該エントリの先行エントリのスペクトル効率の差分が同一の定数に等しいことを示し、変調方式が６４ＱＡＭより高い少なくとも３つのエントリのスペクトル効率がほぼ算術数列においてスペクトル効率の昇順で配置されるということは、スペクトル効率の昇順で、変調方式が６４ＱＡＭより高い少なくとも３つのエントリの２番目のエントリから開始して、各エントリのスペクトル効率と当該エントリの先行エントリのスペクトル効率の差分は、定数から所定値を引いたものから当該定数に当該所定値を足したものまでの範囲内にあることを示す。さらに、当該定数は第１の閾値以下である。
【０３５６】
さらに、取得モジュール６１により取得された第１のＣＱＩテーブルにおける変調方式が６４ＱＡＭより高いエントリのうち最大ＣＱＩインデックスに対応するＸ個のエントリの任意の２つの隣接エントリのスペクトル効率の差分の絶対値は第１の閾値以下であるか、または、取得モジュール６１により取得された第１のＣＱＩテーブルにおける変調方式が６４ＱＡＭより高いエントリは、変調方式が２５６ＱＡＭである少なくとも２つのエントリを含み、変調方式が２５６ＱＡＭである少なくとも２つのエントリの任意の２つの隣接エントリのスペクトル効率の差分の絶対値は第１の閾値以下であるか、または、取得モジュール６１により取得された第１のＣＱＩテーブルは、変調方式が６４ＱＡＭより高い少なくとも２つのエントリを含み、変調方式が６４ＱＡＭより高い少なくとも２つのエントリの任意の２つの隣接エントリのスペクトル効率の差分の絶対値は第１の閾値以下である。さらに、Ｘ＝３である。
【０３５７】
さらに、第１の閾値は、第１のＣＱＩテーブルにおいて変調方式が６４ＱＡＭ以下である任意の２つの隣接エントリのスペクトル効率の差分の絶対値の最小値であるか、または、第１のＣＱＩテーブルにおいて変調方式が同一であり変調方式が６４ＱＡＭ以下である任意の２つの隣接エントリのスペクトル効率の差分の絶対値の最小値であるか、または、第１のＣＱＩテーブルにおいて変調方式が６４ＱＡＭに等しい任意の２つの隣接エントリのスペクトル効率の差分の絶対値の最小値であるか、または、第１のＣＱＩテーブルにおいて変調方式が１６ＱＡＭに等しい任意の２つの隣接エントリのスペクトル効率の差分の絶対値の最小値であるか、または、第１のＣＱＩテーブルにおいて変調方式がＱＰＳＫに等しい任意の２つの隣接エントリのスペクトル効率の差分の絶対値の最小値である。
【０３５８】
さらに、取得モジュール６１により取得された第１のＣＱＩテーブル内のＣＱＩインデックスの値範囲は第２のＣＱＩテーブル内のＣＱＩインデックスの値範囲と同じである。
【０３５９】
取得モジュール６１により取得された第１のＣＱＩテーブル内の第２のＭＣＳテーブルにおいて変調方式がＱＰＳＫである少なくとも１つのエントリは、第２のＭＣＳテーブルにおいて変調方式がＱＰＳＫである幾つかのエントリであって、当該幾つかのエントリに対応するＭＣＳインデックスは均等な間隔にある、幾つかのエントリか、または、第２のＭＣＳテーブルにおいて変調方式がＱＰＳＫである幾つかのエントリであって、当該幾つかのエントリに対応するＭＣＳインデックスは均等な間隔にない、幾つかのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは連続的である、幾つかのエントリおよび少なくとも１つのエントリを含む。
【０３６０】
取得モジュール６１により取得された第１のＣＱＩテーブル内の第２のＭＣＳテーブルにおいて変調方式が１６ＱＡＭである少なくとも１つのエントリは、第２のＭＣＳテーブルにおける変調方式が１６ＱＡＭである全てのエントリか、または、第２のＭＣＳテーブルにおける変調方式が１６ＱＡＭである幾つかのエントリであって、当該幾つかのエントリに対応するＭＣＳインデックスは均等な間隔にある、幾つかのエントリか、または、第２のＭＣＳテーブルにおける変調方式が１６ＱＡＭである幾つかのエントリであって、当該幾つかのエントリに対応するＭＣＳインデックスは均等な間隔にない、幾つかのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち、最大の第２のＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大のＭＣＳインデックスを有するエントリを除く少なくとも１つのエントリであって、当該幾つかのエントリに対応するＭＣＳインデックスは連続的である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大ＭＣＳインデックスを有するエントリおよび最小のＭＣＳインデックスを有するエントリを除く少なくとも１つのエントリを含む。
【０３６１】
さらに、取得モジュール６１により取得された第１のＭＣＳテーブルはさらに、第２のＭＣＳテーブルにおいて変調方式が６４ＱＡＭである少なくとも１つのエントリを含む。
【０３６２】
特に、取得モジュール６１により取得された第１のＣＱＩテーブル内の第２のＭＣＳテーブルにおける変調方式が６４ＱＡＭである少なくとも１つのエントリは、第２のＭＣＳテーブルにおいて変調方式が６４ＱＡＭである全てのエントリか、または、第２のＭＣＳテーブルにおいて変調方式が６４ＱＡＭである幾つかのエントリ、および、第２のＭＣＳテーブルにおいて変調方式が６４ＱＡＭである全てのエントリのうち最小のＭＣＳインデックスを有するエントリを除く少なくとも１つのエントリを含む。
【０３６３】
さらに、第２のＭＣＳテーブルにおける変調方式が６４ＱＡＭである少なくとも１つのエントリは、第２のＭＣＳテーブルにおいて変調方式が６４ＱＡＭである全てのエントリのうち最大ＭＣＳインデックスを有するエントリ内のＴＢＳインデックスと同じである、取得モジュール６１により取得された第１のＭＣＳテーブルにおいて変調方式が６４ＱＡＭより高い全てのエントリのうち、最小のＭＣＳインデックスに対応するエントリ内のＴＢＳインデックスを含む。
【０３６４】
さらに、取得モジュール６１により取得された第１のＭＣＳテーブル内のＭＣＳインデックスの値範囲は第２のＭＣＳテーブル内のＭＣＳインデックスの値範囲と同じである。
【０３６５】
図６に示すＭＣＳに関する通知装置は、上述の方法の実施形態における対応するステップを実施することができる。詳細については、上述の方法の実施形態の説明を参照されたい。当該装置により達成される効果については、上述の方法の実施形態の説明を参照されたい。
【０３６６】
図７に示すように、本発明の１実施形態はさらに、ＭＣＳに関する通知装置７０を提供する。装置７０は、第１のＣＱＩテーブルおよび第１のＭＣＳテーブルを取得するように構成された取得モジュール７１と、基地局により、第１のＣＱＩインデックスを受信するように構成された受信モジュール７２であって、第１のＣＱＩインデックスは第１のＣＱＩテーブルに従ってＵＥにより決定される、受信モジュール７２と、取得モジュール７１により取得された第１のＣＱＩテーブル、取得モジュール７１により取得された第１のＭＣＳテーブル、および受信モジュール７２により受信された第１のＣＱＩインデックスに従って第１のＭＣＳインデックスを決定するように構成された決定モジュール７３と、決定モジュール７３により決定された第１のＭＣＳインデックスをＵＥに送信するように構成された送信モジュール７４とを備える。第１のＣＱＩテーブルをプロトコルで予め定義してもよく、例えば、プロトコル仕様に従ってＵＥにより事前に設定してもよく、またはＵＥにより事前に格納してもよく、またはダウンリンク・チャネル状態に従って少なくとも２つの所定のテーブルからＵＥにより選択してもよく、または基地局によってＵＥに通知してもよい。特に、基地局によりＵＥに通知するための方法が、基地局が、アップリンク・チャネル状態またはダウンリンク・チャネル状態に従って少なくとも２つの所定のテーブルの１つを選択し、ＵＥに当該テーブルを通知するというものであってもよい。ＣＱＩテーブルはＣＱＩインデックスとエントリの間のマッピング関係の記述に用いられる。本発明の当該実施形態では、当該ＣＱＩテーブル内のマッピング関係は本発明の理解の便宜のため与えた例にすぎず、本発明におけるＣＱＩテーブルの表現形式は、本例を含むがこれらに限られない、即ち、当該ＣＱＩテーブルが複数の組合せを有してもよく、当該組合せは、ＣＱＩインデックスとエントリの間のマッピング関係を反映できる限り、本発明の保護範囲に入るものとする。第１のＭＣＳテーブルをプロトコルで予め定義してもよく、プロトコル仕様に従ってＵＥにより事前設定してもよく、またはＵＥにより事前に格納してもよく、またはダウンリンク・チャネル状態に従って少なくとも２つの所定のテーブルからＵＥによって選択してもよく、または基地局によってＵＥに通知してもよい。特に、基地局によりＵＥに通知するための方法が、基地局が、アップリンク・チャネル状態またはダウンリンク・チャネル状態に従って少なくとも２つの所定のテーブルの１つを選択し、ＵＥに当該テーブルを通知するというものであってもよい。ＭＣＳテーブルは、ＭＣＳインデックスとエントリの間のマッピング関係を記述するために用いられる。本発明の当該実施形態では、当該ＭＣＳテーブル内のマッピング関係は本発明の理解の便宜のため与えた例にすぎず、本発明におけるＭＣＳテーブルの表現形式は、本例を含むがこれらに限られない。即ち、当該ＭＣＳテーブルが複数の組合せを有してもよく、当該組合せは、ＭＣＳインデックスとエントリの間のマッピング関係を反映できる限り、本発明の保護範囲に入るものとする。取得モジュール７１により取得された第１のＣＱＩテーブルは、変調方式が６４ＱＡＭより高いエントリを含む。第１のＣＱＩテーブル内のエントリは、第１のＣＱＩテーブル内の各ＣＱＩインデックスに対応する１つの変調方式、１つの符号化率、および１つのスペクトル効率を指し、取得モジュール７１により取得された第１のＭＣＳテーブルは、変調方式が６４ＱＡＭより高いエントリと、第２のＭＣＳテーブルにおいて変調方式がＱＰＳＫである少なくとも１つのエントリであって、変調方式がＱＰＳＫである少なくとも１つのエントリは第２のＭＣＳテーブルにおいて変調方式がＱＰＳＫである少なくとも１つのエントリにより形成された組合せのうち第１の組合せを除く組合せを含み、第１の組合せは、第２のＭＣＳテーブル内のＱＰＳＫに対応する連続する最大ＭＣＳインデックスを有するＫ個のエントリであり、Ｋは４に等しいかまたはＫは５未満の正の整数であるかまたはＫは正の整数である少なくとも１つのエントリ、および／または第２のＭＣＳテーブルにおいて変調方式が１６ＱＡＭである少なくとも１つのエントリとを含み、第２のＭＣＳテーブルにおいて変調方式はＱＰＳＫ、１６ＱＡＭ、および６４ＱＡＭのみを含む。
【０３６７】
取得モジュール７１により取得された第１のＭＣＳテーブル内の第２のＭＣＳテーブルにおいて変調方式がＱＰＳＫである少なくとも１つのエントリは、第２のＭＣＳテーブルにおいて変調方式がＱＰＳＫである幾つかのエントリであって、当該幾つかのエントリに対応するＭＣＳインデックスは均等な間隔にある、幾つかのエントリか、または、第２のＭＣＳテーブルにおいて変調方式がＱＰＳＫである幾つかのエントリであって、当該幾つかのエントリに対応するＭＣＳインデックスは均等な間隔にない、幾つかのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは連続的である、幾つかのエントリおよび少なくとも１つのエントリを含む。
【０３６８】
取得モジュール７１により取得された第１のＭＣＳテーブル内の第２のＭＣＳテーブルにおいて変調方式が１６ＱＡＭである少なくとも１つのエントリは、第２のＭＣＳテーブルにおける変調方式が１６ＱＡＭである全てのエントリか、または、第２のＭＣＳテーブルにおける変調方式が１６ＱＡＭである幾つかのエントリであって、当該幾つかのエントリに対応するＭＣＳインデックスは均等な間隔にある、幾つかのエントリか、または、第２のＭＣＳテーブルにおける変調方式が１６ＱＡＭである幾つかのエントリであって、当該幾つかのエントリに対応するＭＣＳインデックスは均等な間隔にない、幾つかのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち、最大の第２のＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大のＭＣＳインデックスを有するエントリを除く少なくとも１つのエントリであって、当該幾つかのエントリに対応するＭＣＳインデックスは連続的である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大ＭＣＳインデックスを有するエントリおよび最小のＭＣＳインデックスを有するエントリを除く少なくとも１つのエントリを含む。
【０３６９】
さらに、取得モジュール７１により取得された第１のＭＣＳテーブルはさらに、第２のＭＣＳテーブルにおいて変調方式が６４ＱＡＭである少なくとも１つのエントリを含む。
【０３７０】
特に、取得モジュール７１により取得された第１のＭＣＳテーブル内の第２のＭＣＳテーブルにおいて変調方式が６４ＱＡＭである少なくとも１つのエントリは、第２のＭＣＳテーブルにおいて変調方式が６４ＱＡＭである全てのエントリか、または、第２のＭＣＳテーブルにおいて変調方式が６４ＱＡＭである幾つかのエントリ、および、第２のＭＣＳテーブルにおいて変調方式が６４ＱＡＭである全てのエントリのうち最小のＭＣＳインデックスを有するエントリを除く少なくとも１つのエントリを含む。
【０３７１】
さらに、取得モジュール７１により取得された第１のＭＣＳテーブル内の第２のＭＣＳテーブルにおいて変調方式が６４ＱＡＭである少なくとも１つのエントリは、第２のＭＣＳテーブルにおいて変調方式が６４ＱＡＭである全てのエントリのうち最大ＭＣＳインデックスを有するエントリ内のＴＢＳインデックスと同じである、取得モジュール７１により取得された第１のＭＣＳテーブルにおいて変調方式が６４ＱＡＭより高い全てのエントリのうち最小のＭＣＳインデックスに対応するエントリ内のＴＢＳインデックスを含む。
【０３７２】
さらに、取得モジュール７１により取得された第１のＭＣＳテーブル内のＭＣＳインデックスの値範囲は第２のＭＣＳテーブル内のＭＣＳインデックスの値範囲と同じである。
【０３７３】
図７に示すＭＣＳに関する通知装置は、上述の方法の実施形態における対応するステップを実施することができる。詳細については、上述の方法の実施形態の説明を参照されたい。当該装置により達成される効果については、上述の方法の実施形態の説明を参照されたい。
【０３７４】
図８に示すように、本発明の１実施形態はさらに、ＭＣＳに関する通知装置８０を提供する。装置８０は、第１のＭＣＳテーブルを取得するように構成された取得モジュール８１と、基地局により送信された第１のＭＣＳインデックスを受信するように構成された受信モジュール８２であって、第１のＭＣＳインデックスは第１のＭＣＳテーブルに従って基地局により決定される、受信モジュール８２と、第１のＭＣＳテーブルおよび受信モジュール８２により受信された第１のＭＣＳインデックスに従って変調順序および符号ブロック・サイズを決定するように構成された決定モジュール８３とを備える。第１のＭＣＳテーブルをプロトコルで予め定義してもよく、プロトコル仕様に従ってＵＥにより事前に設定してもよく、またはＵＥにより事前に格納してもよく、またはダウンリンク・チャネル状態に従って少なくとも２つの所定のテーブルからＵＥにより選択してもよく、または基地局によってＵＥに通知してもよい。特に、基地局によりＵＥに通知するための方法が、基地局が、アップリンク・チャネル状態またはダウンリンク・チャネル状態に従って少なくとも２つの所定のテーブルの１つを選択し、ＵＥに当該テーブルを通知するというものであってもよい。ＭＣＳテーブルは、ＭＣＳインデックスとエントリの間のマッピング関係を記述するために用いられる。本発明の当該実施形態では、当該ＭＣＳテーブル内のマッピング関係は本発明の理解の便宜のため与えた例にすぎず、本発明におけるＭＣＳテーブルの表現形式は、本例を含むがこれらに限られない。即ち、当該ＭＣＳテーブルが複数の組合せを有してもよく、当該組合せは、ＭＣＳインデックスとエントリの間のマッピング関係を反映できる限り、本発明の保護範囲に入るものとする。取得モジュール８１により取得された第１のＭＣＳテーブルは、変調方式が６４ＱＡＭより高いエントリと、第２のＭＣＳテーブルにおいて変調方式がＱＰＳＫである少なくとも１つのエントリであって、変調方式がＱＰＳＫである少なくとも１つのエントリは第２のＭＣＳテーブルにおいて変調方式がＱＰＳＫである少なくとも１つのエントリにより形成された組合せのうち第１の組合せを除く組合せを含み、第１の組合せは、第２のＭＣＳテーブル内のＱＰＳＫに対応する連続する最大ＭＣＳインデックスを有するＫ個のエントリであり、Ｋは４に等しいかまたはＫは５未満の正の整数であるかまたはＫは正の整数である少なくとも１つのエントリ、および／または第２のＭＣＳテーブルにおいて変調方式が１６ＱＡＭである少なくとも１つのエントリとを含み、第２のＭＣＳテーブルにおいて変調方式はＱＰＳＫ、１６ＱＡＭ、および６４ＱＡＭのみを含む。
【０３７５】
決定モジュール８３は、取得モジュール８１により取得された第１のＭＣＳテーブルおよび受信した第１のＭＣＳインデックスに従って、第１のＴＢＳインデックスおよび変調順序を決定するように構成された第１の決定サブモジュール８３１と、第１のＴＢＳインデックス、第１のＰＲＢ量、および第１のＴＢＳテーブルに従って符号ブロック・サイズを決定するように構成された第２の決定サブモジュール８３２とを備える。第１のＰＲＢ量は基地局によりＵＥに割り当てられたＰＲＢ量であるか、または、第１のＰＲＢ量はＵＥに割り当てられたＰＲＢ量と特定の係数の積以下の最大整数であり、第１のＴＢＳテーブルは各ＴＢＳインデックスに対応する少なくとも１つのＰＲＢ量および各ＰＲＢ量に対応する転送ブロック・サイズを含み、第１のＴＢＳテーブルは第１のＭＣＳテーブルに対応するＴＢＳテーブルであり、第１のＴＢＳテーブル内のＴＢＳインデックスの値範囲は０乃至Ａであり、Ａは２６以下の正の整数であるか、または、第１のＴＢＳテーブル内のＴＢＳインデックスの値範囲は０乃至Ｂであり、Ｂは２６以上の正の整数であり、第１のＴＢＳテーブルにおける値範囲が０乃至２６であるＴＢＳインデックスに対応する転送ブロック・サイズは値範囲が第２のＴＢＳテーブルにおいて０乃至２６であるＴＢＳインデックスに対応する転送ブロック・サイズと同じであり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する転送ブロック・サイズを含む。
【０３７６】
取得モジュール８１により取得された第１のＭＣＳテーブル内の第２のＭＣＳテーブルにおいて変調方式がＱＰＳＫである少なくとも１つのエントリは、第２のＭＣＳテーブルにおいて変調方式がＱＰＳＫである幾つかのエントリであって、当該幾つかのエントリに対応するＭＣＳインデックスは均等な間隔にある、幾つかのエントリか、または、第２のＭＣＳテーブルにおいて変調方式がＱＰＳＫである幾つかのエントリであって、当該幾つかのエントリに対応するＭＣＳインデックスは均等な間隔にない、幾つかのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは連続的である、幾つかのエントリおよび少なくとも１つのエントリを含む。
【０３７７】
取得モジュール８１により取得された第１のＭＣＳテーブル内の第２のＭＣＳテーブルにおいて変調方式が１６ＱＡＭである少なくとも１つのエントリは、第２のＭＣＳテーブルにおける変調方式が１６ＱＡＭである全てのエントリか、または、第２のＭＣＳテーブルにおける変調方式が１６ＱＡＭである幾つかのエントリであって、当該幾つかのエントリに対応するＭＣＳインデックスは均等な間隔にある、幾つかのエントリか、または、第２のＭＣＳテーブルにおける変調方式が１６ＱＡＭである幾つかのエントリであって、当該幾つかのエントリに対応するＭＣＳインデックスは均等な間隔にない、幾つかのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち、最大の第２のＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大のＭＣＳインデックスを有するエントリを除く少なくとも１つのエントリであって、当該幾つかのエントリに対応するＭＣＳインデックスは連続的である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大ＭＣＳインデックスを有するエントリおよび最小のＭＣＳインデックスを有するエントリを除く少なくとも１つのエントリを含む。
【０３７８】
さらに、取得モジュール８１により取得された第１のＭＣＳテーブルはさらに、第２のＭＣＳテーブルにおいて変調方式が６４ＱＡＭである少なくとも１つのエントリを含む。
【０３７９】
特に、取得モジュール８１により取得された第１のＭＣＳテーブル内の第２のＭＣＳテーブルにおいて変調方式が６４ＱＡＭである少なくとも１つのエントリは、第２のＭＣＳテーブルにおいて変調方式が６４ＱＡＭである全てのエントリか、または、第２のＭＣＳテーブルにおいて変調方式が６４ＱＡＭである幾つかのエントリ、および、第２のＭＣＳテーブルにおいて変調方式が６４ＱＡＭである全てのエントリのうち最小のＭＣＳインデックスを有するエントリを除く少なくとも１つのエントリを含む。
【０３８０】
さらに、取得モジュール８１により取得された第１のＭＣＳテーブル内の第２のＭＣＳテーブルにおいて変調方式が６４ＱＡＭである少なくとも１つのエントリは、第２のＭＣＳテーブルにおける変調方式が６４ＱＡＭである全てのエントリのうち最大ＭＣＳインデックスを有するエントリ内のＴＢＳインデックスと同じである、第１のＭＣＳテーブルにおける変調方式が６４ＱＡＭより高い全てのエントリのうち最小のＭＣＳインデックスに対応するエントリ内のＴＢＳインデックスを含む。
【０３８１】
さらに、取得モジュール８１により取得された第１のＭＣＳテーブル内のＭＣＳインデックスの値範囲は第２のＭＣＳテーブル内のＭＣＳインデックスの値範囲と同じである。
【０３８２】
図８に示すＭＣＳに関する通知装置は上述の方法の実施形態における対応するステップを実施することができる。詳細については、上述の方法の実施形態の説明を参照されたい。当該装置により達成される効果については、上述の方法の実施形態の説明を参照されたい。
【０３８３】
図９に示すように、本発明の１実施形態はさらに、チャネル品質指標ＣＱＩに関する通知装置９０を提供する。通知装置９０はプロセッサ９１および送信器９２を備える。プロセッサ９１は、第１のＣＱＩテーブルを取得するように構成され、第１のＣＱＩテーブルに従って第１のＣＱＩインデックスを学習するように構成され、送信器９２は、プロセッサ９１により学習された第１のＣＱＩインデックスを基地局に送信するように構成され、その結果、基地局が第１のＣＱＩインデックスに従って第１の変調符号化方式ＭＣＳインデックスを決定し、プロセッサ９１により取得された第１のＣＱＩテーブルは、変調方式が６４直角位相振幅変調ＱＡＭより高いエントリと、第２のＣＱＩテーブルにおいて変調方式が４相位相偏移変調ＱＰＳＫである少なくとも１つのエントリであって、変調方式がＱＰＳＫである少なくとも１つのエントリは、第２のＣＱＩテーブルにおいて変調方式がＱＰＳＫである少なくとも１つのエントリにより形成された組合せのうち第１の組合せを除く組合せを含み、第１の組合せは、第２のＣＱＩテーブル内のＱＰＳＫに対応する連続する最大ＣＱＩインデックスを有するＮ個のエントリであり、Ｎは３に等しいかまたはＮは４未満の正の整数であるかまたはＮは正の整数である少なくとも１つのエントリ、および／または第２のＣＱＩテーブルにおいて変調方式が１６ＱＡＭである少なくとも１つのエントリとを含み、第２のＣＱＩテーブルのエントリの変調方式はＱＰＳＫ、１６ＱＡＭ、および６４ＱＡＭのみを含む。
【０３８４】
プロセッサ９１により取得された第１のＣＱＩテーブル内の第２のＣＱＩテーブルにおいて変調方式がＱＰＳＫである少なくとも１つのエントリは、第２のＣＱＩテーブルにおいて変調方式がＱＰＳＫである幾つかのエントリであって、当該幾つかのエントリに対応するＣＱＩインデックスは均等な間隔にある、幾つかのエントリか、または、第２のＣＱＩテーブルにおいて変調方式がＱＰＳＫである幾つかのエントリであって、当該幾つかのエントリに対応するＣＱＩインデックスは均等な間隔にない、幾つかのエントリか、または、第２のＣＱＩテーブルにおいて変調方式がＱＰＳＫである幾つかのエントリ、および、第２のＣＱＩテーブルにおいて変調方式がＱＰＳＫである全てのエントリのうち最大ＣＱＩインデックスに対応するエントリを除く少なくとも１つのエントリであって、当該幾つかのエントリに対応するＣＱＩインデックスは不連続である、幾つかのエントリおよび少なくとも１つのエントリか、または、第２のＣＱＩテーブルにおいて変調方式がＱＰＳＫである幾つかのエントリ、および、当該ＣＱＩテーブルにおいて変調方式がＱＰＳＫである全てのエントリのうち最大ＣＱＩインデックスに対応するエントリを除く少なくとも１つのエントリであって、当該幾つかのエントリに対応するＣＱＩインデックスは連続的である、幾つかのエントリおよび少なくとも１つのエントリを含む。
【０３８５】
プロセッサ９１により取得された第１のＣＱＩテーブル内の第２のＣＱＩテーブルにおける変調方式が１６ＱＡＭである少なくとも１つのエントリは、第２のＣＱＩテーブルにおいて変調方式が１６ＱＡＭである全てのエントリか、または、第２のＣＱＩテーブルにおいて変調方式が１６ＱＡＭである全てのエントリのうち、最小のＣＱＩインデックスに対応するエントリを除く少なくとも１つのエントリを含む。
【０３８６】
プロセッサ９１により取得された第１のＣＱＩテーブルはさらに、第２のＣＱＩテーブルにおいて変調方式が６４ＱＡＭである少なくとも１つのエントリを含む。
【０３８７】
プロセッサ９１により取得された第１のＣＱＩテーブルにおける変調方式が６４ＱＡＭである少なくとも１つのエントリは、第２のＣＱＩテーブルにおいて変調方式が６４ＱＡＭである全てのエントリか、または、第２のＣＱＩテーブルにおいて変調方式が６４ＱＡＭである幾つかのエントリ、および、第２のＣＱＩテーブルにおいて変調方式が６４ＱＡＭである全てのエントリのうち最大ＣＱＩインデックスに対応するエントリを除く少なくとも１つのエントリを含む。
【０３８８】
さらに、プロセッサ９１により取得された第１のＣＱＩテーブルにおける変調方式が６４ＱＡＭより高いエントリのうち最小のＣＱＩインデックスに対応するエントリのスペクトル効率は、第２のＣＱＩテーブルにおいて変調方式が６４ＱＡＭである全てのエントリのうち最大ＣＱＩインデックスに対応するエントリのスペクトル効率に等しい。
【０３８９】
プロセッサ９１により取得された第１のＣＱＩテーブルにおける変調方式が６４ＱＡＭより高いエントリのうち最大ＣＱＩインデックスに対応するＸ個のエントリのスペクトル効率は算術数列またはほぼ算術数列においてスペクトル効率の昇順で配置され、変調方式が６４ＱＡＭより高いエントリのうち最大ＣＱＩインデックスに対応するＸ個のエントリのスペクトル効率が算術数列においてスペクトル効率の昇順で配置されるということは、スペクトル効率の昇順で、当該Ｘ個のエントリの２番目のエントリから開始して、各エントリのスペクトル効率と当該エントリの先行エントリのスペクトル効率の差分が同一の定数に等しいことを示し、変調方式が６４ＱＡＭより高いエントリのうち最大ＣＱＩインデックスに対応するＸ個のエントリのスペクトル効率がほぼ算術数列においてスペクトル効率の昇順で配置されるということは、スペクトル効率の昇順で、当該Ｘ個のエントリの２番目のエントリから開始して、各エントリのスペクトル効率と当該エントリの先行エントリのスペクトル効率の差分は、定数から所定値を引いたものから当該定数に当該所定値を足したものまでの範囲内にあり、Ｘは２より大きい整数であるということを示す。
【０３９０】
プロセッサ９１により取得された第１のＣＱＩテーブルにおける変調方式が６４ＱＡＭより高いエントリは変調方式が２５６ＱＡＭである少なくとも３つのエントリを含み、変調方式が２５６ＱＡＭである少なくとも３つのエントリのスペクトル効率が算術数列またはほぼ算術数列においてスペクトル効率の昇順で配置され、変調方式が２５６ＱＡＭである少なくとも３つのエントリのスペクトル効率が算術数列においてスペクトル効率の昇順で配置されるということは、スペクトル効率の昇順で、変調方式が２５６ＱＡＭである少なくとも３つのエントリの２番目のエントリから開始して、各エントリのスペクトル効率と当該エントリの先行エントリのスペクトル効率の差分が同一の定数に等しいことを示し、変調方式が２５６ＱＡＭである少なくとも３つのエントリのスペクトル効率がほぼ算術数列においてスペクトル効率の昇順で配置されるということは、スペクトル効率の昇順で、変調方式が２５６ＱＡＭである少なくとも３つのエントリの２番目のエントリから開始して、各エントリのスペクトル効率と当該エントリの先行エントリのスペクトル効率の差分は、定数から所定値を引いたものから当該定数に当該所定値を足したものまでの範囲内にあることを示す。
【０３９１】
プロセッサ９１により取得された第１のＣＱＩテーブルは、変調方式が６４ＱＡＭより高い少なくとも３つのエントリを含み、変調方式が６４ＱＡＭより高い少なくとも３つのエントリのスペクトル効率が算術数列またはほぼ算術数列においてスペクトル効率の昇順で配置され、変調方式が６４ＱＡＭより高い少なくとも３つのエントリのスペクトル効率が算術数列またはほぼ算術数列においてスペクトル効率の昇順で配置されるということは、スペクトル効率の昇順で、変調方式が６４ＱＡＭより高い少なくとも３つのエントリの２番目のエントリから開始して、各エントリのスペクトル効率と当該エントリの先行エントリのスペクトル効率の差分が同一の定数に等しいことを示し、変調方式が６４ＱＡＭより高い少なくとも３つのエントリのスペクトル効率がほぼ算術数列においてスペクトル効率の昇順で配置されるということは、スペクトル効率の昇順で、変調方式が６４ＱＡＭより高い少なくとも３つのエントリの２番目のエントリから開始して、各エントリのスペクトル効率と当該エントリの先行エントリのスペクトル効率の差分は、定数から所定値を引いたものから当該定数に当該所定値を足したものまでの範囲内にあることを示す。当該定数は第１の閾値以下である。
【０３９２】
プロセッサ９１により取得された第１のＣＱＩテーブルにおける変調方式が６４ＱＡＭより高いエントリのうち最大ＣＱＩインデックスに対応するＸ個のエントリの任意の２つの隣接エントリのスペクトル効率の差分の絶対値は第１の閾値以下であるか、または、プロセッサ９１により取得された第１のＣＱＩテーブルにおける変調方式が６４ＱＡＭより高いエントリは変調方式が２５６ＱＡＭである少なくとも２つのエントリを含み、変調方式が２５６ＱＡＭである少なくとも２つのエントリの任意の２つの隣接エントリのスペクトル効率の差分の絶対値は第１の閾値以下であるか、または、プロセッサ９１により取得された第１のＣＱＩテーブルは、変調方式が６４ＱＡＭより高い少なくとも２つのエントリを含み、変調方式が６４ＱＡＭより高い少なくとも２つのエントリの任意の２つの隣接エントリのスペクトル効率の差分の絶対値は第１の閾値以下である。Ｘ＝３である。
【０３９３】
第１の閾値は、第１のＣＱＩテーブルにおいて変調方式が６４ＱＡＭ以下である任意の２つの隣接エントリのスペクトル効率の差分の絶対値の最小値であるか、または、第１のＣＱＩテーブルにおいて変調方式が同一であり変調方式が６４ＱＡＭ以下である任意の２つの隣接エントリのスペクトル効率の差分の絶対値の最小値であるか、または、第１のＣＱＩテーブルにおいて変調方式が６４ＱＡＭに等しい任意の２つの隣接エントリのスペクトル効率の差分の絶対値の最小値であるか、または、第１のＣＱＩテーブルにおいて変調方式が１６ＱＡＭに等しい任意の２つの隣接エントリのスペクトル効率の差分の絶対値の最小値であるか、または、第１のＣＱＩテーブルにおいて変調方式がＱＰＳＫに等しい任意の２つの隣接エントリのスペクトル効率の差分の絶対値の最小値である。
【０３９４】
プロセッサ９１により取得された第１のＣＱＩテーブル内のＣＱＩインデックスの値範囲は第２のＣＱＩテーブル内のＣＱＩインデックスの値範囲と同じである。
【０３９５】
図１０に示すように、本発明の１実施形態はさらに、変調符号化方式ＭＣＳのための通知装置１０を提供する。通知装置１０は、第１のＣＱＩテーブルおよび第１のＭＣＳテーブルを取得するように構成されたプロセッサ１０１と、端末ＵＥにより送信された第１のチャネル品質指標ＣＱＩインデックスを受信するように構成された受信器１０２であって、第１のＣＱＩインデックスは第１のＣＱＩテーブルに従ってＵＥにより決定される、受信器１０２と、プロセッサ１０１により決定された第１のＭＣＳインデックスをＵＥに送信するように構成された送信器１０３とを備える。プロセッサ１０１は、プロセッサ１０１により取得された第１のＣＱＩテーブル、プロセッサ１０１により取得された第１のＭＣＳテーブル、および受信器により受信された第１のＣＱＩインデックスに従って、第１のＭＣＳインデックスを決定するように構成され、プロセッサ１０１により取得された第１のＣＱＩテーブルは、変調方式が６４ＱＡＭより高いエントリと、第２のＣＱＩテーブルにおいて変調方式がＱＰＳＫである少なくとも１つのエントリであって、変調方式がＱＰＳＫである少なくとも１つのエントリは、第２のＣＱＩテーブルにおいて変調方式がＱＰＳＫである少なくとも１つのエントリにより形成された組合せのうち第１の組合せを除く組合せを含み、第１の組合せは、第２のＣＱＩテーブル内のＱＰＳＫに対応する連続する最大ＣＱＩインデックスを有するＮ個のエントリであり、Ｎは３に等しいかまたはＮは４未満の正の整数であるかまたはＮは正の整数である少なくとも１つのエントリ、および／または第２のＣＱＩテーブルにおいて変調方式が１６ＱＡＭである少なくとも１つのエントリとを含み、第２のＣＱＩテーブルにおける変調方式はＱＰＳＫ、１６ＱＡＭ、および６４ＱＡＭのみを含む。
【０３９６】
プロセッサ１０１により取得された第１のＭＣＳテーブルは、変調方式が６４ＱＡＭより高いエントリと、第２のＭＣＳテーブルにおいて変調方式がＱＰＳＫである少なくとも１つのエントリであって、変調方式がＱＰＳＫである少なくとも１つのエントリは、第２のＭＣＳテーブルにおいて変調方式がＱＰＳＫである少なくとも１つのエントリにより形成された組合せのうち第２の組合せを除く組合せを含み、当該第２の組合せは、第２のＭＣＳテーブル内のＱＰＳＫに対応する連続する最大ＭＣＳインデックスを有するＫ個のエントリであり、Ｋは４に等しいかまたはＫは５未満の正の整数であるかまたはＫは正の整数である少なくとも１つのエントリ、および／または第２のＭＣＳテーブルにおいて変調方式が１６ＱＡＭである少なくとも１つのエントリとを含み、第２のＭＣＳテーブルにおいて変調方式はＱＰＳＫ、１６ＱＡＭ、および６４ＱＡＭのみを含む。
【０３９７】
プロセッサ１０１は特に、取得した第１のＰＲＢ量、プロセッサ１０１により取得された第１のＣＱＩテーブル、プロセッサ１０１により取得された第１のＭＣＳテーブル、および受信した第１のＣＱＩインデックスに従って、第１のＴＢＳインデックスおよび第１のＭＣＳインデックスを決定するように構成され、第１のＰＲＢ量は基地局によりＵＥに割り当てられたＰＲＢ量であるか、または、第１のＰＲＢ量はＵＥに割り当てられたＰＲＢ量と特定の係数の積以下の最大整数であり、第１のＴＢＳテーブルは各ＴＢＳインデックスに対応する少なくとも１つのＰＲＢ量および各ＰＲＢ量に対応する転送ブロック・サイズを含み、第１のＴＢＳテーブルは第１のＭＣＳテーブルに対応するＴＢＳテーブルであり、第１のＴＢＳテーブル内のＴＢＳインデックスの値範囲は０乃至Ａであり、Ａは２６以下の正の整数であるか、または、第１のＴＢＳテーブル内のＴＢＳインデックスの値範囲は０乃至Ｂであり、Ｂは２６以上の正の整数であり、第１のＴＢＳテーブルにおける値範囲が０乃至２６であるＴＢＳインデックスに対応する転送ブロック・サイズは値範囲が第２のＴＢＳテーブルにおいて０乃至２６であるＴＢＳインデックスに対応する転送ブロック・サイズと同じであり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する転送ブロック・サイズを含む。
【０３９８】
プロセッサ１０１は特に、プロセッサ１０１により取得された第１のＣＱＩテーブルおよび受信器１０２により受信された第１のＣＱＩインデックスに従って、受信した第１のＣＱＩインデックスに対応する第１の変調方式および第１のスペクトル効率を決定し、第１のＰＲＢ量および決定された第１のスペクトル効率に従って、ＵＥに送信された第１の転送ブロック・サイズを学習し、第１のＴＢＳテーブルに従って、決定された第１の転送ブロック・サイズおよび第１のＴＢＳテーブル内の第１のＰＲＢ量に対応する第１のＴＢＳインデックスを取得するように構成される。
【０３９９】
プロセッサ１０１により取得された第１のＣＱＩテーブル内の第２のＣＱＩテーブルにおいて変調方式がＱＰＳＫである少なくとも１つのエントリは、第２のＣＱＩテーブルにおいて変調方式がＱＰＳＫである幾つかのエントリであって、当該幾つかのエントリに対応するＣＱＩインデックスは均等な間隔にある、幾つかのエントリか、または、第２のＣＱＩテーブルにおいて変調方式がＱＰＳＫである幾つかのエントリであって、当該幾つかのエントリに対応するＣＱＩインデックスは均等な間隔にない、幾つかのエントリか、または、第２のＣＱＩテーブルにおいて変調方式がＱＰＳＫである幾つかのエントリ、および、第２のＣＱＩテーブルにおいて変調方式がＱＰＳＫである全てのエントリのうち最大ＣＱＩインデックスに対応するエントリを除く少なくとも１つのエントリであって、当該幾つかのエントリに対応するＣＱＩインデックスは不連続である、幾つかのエントリおよび少なくとも１つのエントリか、または、第２のＣＱＩテーブルにおいて変調方式がＱＰＳＫである幾つかのエントリ、および、当該ＣＱＩテーブルにおいて変調方式がＱＰＳＫである全てのエントリのうち最大ＣＱＩインデックスに対応するエントリを除く少なくとも１つのエントリであって、当該幾つかのエントリに対応するＣＱＩインデックスは連続的である、幾つかのエントリおよび少なくとも１つのエントリを含む。
【０４００】
プロセッサ１０１により取得された第１のＣＱＩテーブル内の第２のＣＱＩテーブルにおける変調方式が１６ＱＡＭである少なくとも１つのエントリは、第２のＣＱＩテーブルにおいて変調方式が１６ＱＡＭである全てのエントリか、または、第２のＣＱＩテーブルにおいて変調方式が１６ＱＡＭである全てのエントリのうち、最小のＣＱＩインデックスに対応するエントリを除く少なくとも１つのエントリを含む。
【０４０１】
プロセッサ１０１により取得された第１のＣＱＩテーブルはさらに、第２のＣＱＩテーブルにおいて変調方式が６４ＱＡＭである少なくとも１つのエントリを含む。
【０４０２】
プロセッサ１０１により取得された第１のＣＱＩテーブル内の第２のＣＱＩテーブルにおける変調方式が６４ＱＡＭである少なくとも１つのエントリは、第２のＣＱＩテーブルにおいて変調方式が６４ＱＡＭである全てのエントリか、または、第２のＣＱＩテーブルにおいて変調方式が６４ＱＡＭである幾つかのエントリ、および、第２のＣＱＩテーブルにおいて変調方式が６４ＱＡＭである全てのエントリのうち最大ＣＱＩインデックスに対応するエントリを除く少なくとも１つのエントリを含む。
【０４０３】
プロセッサ１０１により取得された第１のＣＱＩテーブルにおける変調方式が６４ＱＡＭより高いエントリのうち最小のＣＱＩインデックスに対応するエントリのスペクトル効率は、第２のＣＱＩテーブルにおいて変調方式が６４ＱＡＭである全てのエントリのうち最大ＣＱＩインデックスに対応するエントリのスペクトル効率に等しい。
【０４０４】
プロセッサ１０１により取得された第１のＣＱＩテーブルにおける変調方式が６４ＱＡＭより高いエントリのうち最大ＣＱＩインデックスに対応するＸ個のエントリのスペクトル効率が算術数列またはほぼ算術数列においてスペクトル効率の昇順で配置され、変調方式が６４ＱＡＭより高いエントリのうち最大ＣＱＩインデックスに対応するＸ個のエントリのスペクトル効率が算術数列においてスペクトル効率の昇順で配置されるということは、スペクトル効率の昇順で、当該Ｘ個のエントリの２番目のエントリから開始して、各エントリのスペクトル効率と当該エントリの先行エントリのスペクトル効率の差分が同一の定数に等しいことを示し、変調方式が６４ＱＡＭより高いエントリのうち最大ＣＱＩインデックスに対応するＸ個のエントリのスペクトル効率がほぼ算術数列においてスペクトル効率の昇順で配置されるということは、スペクトル効率の昇順で、当該Ｘ個のエントリの２番目のエントリから開始して、各エントリのスペクトル効率と当該エントリの先行エントリのスペクトル効率の差分は、定数から所定値を引いたものから当該定数に当該所定値を足したものまでの範囲内にあり、Ｘは２より大きい整数であるということを示す。
【０４０５】
プロセッサ１０１により取得された第１のＣＱＩテーブルにおける変調方式が６４ＱＡＭより高いエントリは、変調方式が２５６ＱＡＭである少なくとも３つのエントリを含み、変調方式が２５６ＱＡＭである少なくとも３つのエントリのスペクトル効率が算術数列またはほぼ算術数列においてスペクトル効率の昇順で配置され、変調方式が２５６ＱＡＭである少なくとも３つのエントリのスペクトル効率が算術数列においてスペクトル効率の昇順で配置されるということは、スペクトル効率の昇順で、変調方式が２５６ＱＡＭである少なくとも３つのエントリの２番目のエントリから開始して、各エントリのスペクトル効率と当該エントリの先行エントリのスペクトル効率の差分が同一の定数に等しいことを示し、変調方式が２５６ＱＡＭである少なくとも３つのエントリのスペクトル効率がほぼ算術数列においてスペクトル効率の昇順で配置されるということは、スペクトル効率の昇順で、変調方式が２５６ＱＡＭである少なくとも３つのエントリの２番目のエントリから開始して、各エントリのスペクトル効率と当該エントリの先行エントリのスペクトル効率の差分は、定数から所定値を引いたものから当該定数に当該所定値を足したものまでの範囲内にあることを示す。
【０４０６】
プロセッサ１０１により取得された第１のＣＱＩテーブルは、変調方式が６４ＱＡＭより高い少なくとも３つのエントリを含み、変調方式が６４ＱＡＭより高い少なくとも３つのエントリのスペクトル効率が算術数列またはほぼ算術数列においてスペクトル効率の昇順で配置され、変調方式が６４ＱＡＭより高い少なくとも３つのエントリのスペクトル効率が算術数列またはほぼ算術数列においてスペクトル効率の昇順で配置されるということは、スペクトル効率の昇順で、変調方式が６４ＱＡＭより高い少なくとも３つのエントリの２番目のエントリから開始して、各エントリのスペクトル効率と当該エントリの先行エントリのスペクトル効率の差分が同一の定数に等しいことを示し、変調方式が６４ＱＡＭより高い少なくとも３つのエントリのスペクトル効率がほぼ算術数列においてスペクトル効率の昇順で配置されるということは、スペクトル効率の昇順で、変調方式が６４ＱＡＭより高い少なくとも３つのエントリの２番目のエントリから開始して、各エントリのスペクトル効率と当該エントリの先行エントリのスペクトル効率の差分は、定数から所定値を引いたものから当該定数に当該所定値を足したものまでの範囲内にあることを示す。当該定数は第１の閾値以下である。
【０４０７】
プロセッサ１０１により取得された第１のＣＱＩテーブルにおける変調方式が６４ＱＡＭより高いエントリのうち最大ＣＱＩインデックスに対応するＸ個のエントリの任意の２つの隣接エントリのスペクトル効率の差分の絶対値は第１の閾値以下であるか、または、プロセッサ１０１により取得された第１のＣＱＩテーブルにおける変調方式が６４ＱＡＭより高いエントリは変調方式が２５６ＱＡＭである少なくとも２つのエントリを含み、変調方式が２５６ＱＡＭである少なくとも２つのエントリの任意の２つの隣接エントリのスペクトル効率の差分の絶対値は第１の閾値以下であるか、または、プロセッサ１０１により取得された第１のＣＱＩテーブルは、。変調方式が６４ＱＡＭより高い少なくとも２つのエントリを含み、変調方式が６４ＱＡＭより高い少なくとも２つのエントリの任意の２つの隣接エントリのスペクトル効率の差分の絶対値は第１の閾値以下である。Ｘ＝３である。
【０４０８】
第１の閾値は、第１のＣＱＩテーブルにおいて変調方式が６４ＱＡＭ以下である任意の２つの隣接エントリのスペクトル効率の差分の絶対値の最小値であるか、または、第１のＣＱＩテーブルにおいて変調方式が同一であり変調方式が６４ＱＡＭ以下である任意の２つの隣接エントリのスペクトル効率の差分の絶対値の最小値であるか、または、第１のＣＱＩテーブルにおいて変調方式が６４ＱＡＭに等しい任意の２つの隣接エントリのスペクトル効率の差分の絶対値の最小値であるか、または、第１のＣＱＩテーブルにおいて変調方式が１６ＱＡＭに等しい任意の２つの隣接エントリのスペクトル効率の差分の絶対値の最小値であるか、または、第１のＣＱＩテーブルにおいて変調方式がＱＰＳＫに等しい任意の２つの隣接エントリのスペクトル効率の差分の絶対値の最小値である。
【０４０９】
プロセッサ１０１により取得された第１のＣＱＩテーブル内のＣＱＩインデックスの値範囲は第２のＣＱＩテーブル内のＣＱＩインデックスの値範囲と同じである。
【０４１０】
プロセッサ１０１により取得された第１のＣＱＩテーブル内の第２のＭＣＳテーブルにおいて変調方式がＱＰＳＫである少なくとも１つのエントリは、第２のＭＣＳテーブルにおいて変調方式がＱＰＳＫである幾つかのエントリであって、当該幾つかのエントリに対応するＭＣＳインデックスは均等な間隔にある、幾つかのエントリか、または、第２のＭＣＳテーブルにおいて変調方式がＱＰＳＫである幾つかのエントリであって、当該幾つかのエントリに対応するＭＣＳインデックスは均等な間隔にない、幾つかのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは連続的である、幾つかのエントリおよび少なくとも１つのエントリを含む。
【０４１１】
プロセッサ１０１により取得された第１のＣＱＩテーブル内の第２のＭＣＳテーブルにおける変調方式が１６ＱＡＭである少なくとも１つのエントリは、第２のＭＣＳテーブルにおける変調方式が１６ＱＡＭである全てのエントリか、または、第２のＭＣＳテーブルにおける変調方式が１６ＱＡＭである幾つかのエントリであって、当該幾つかのエントリに対応するＭＣＳインデックスは均等な間隔にある、幾つかのエントリか、または、第２のＭＣＳテーブルにおける変調方式が１６ＱＡＭである幾つかのエントリであって、当該幾つかのエントリに対応するＭＣＳインデックスは均等な間隔にない、幾つかのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち、最大の第２のＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大のＭＣＳインデックスを有するエントリを除く少なくとも１つのエントリであって、当該幾つかのエントリに対応するＭＣＳインデックスは連続的である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大ＭＣＳインデックスを有するエントリおよび最小のＭＣＳインデックスを有するエントリを除く少なくとも１つのエントリを含む。
【０４１２】
プロセッサ１０１により取得された第１のＭＣＳテーブルはさらに、第２のＭＣＳテーブルにおいて変調方式が６４ＱＡＭである少なくとも１つのエントリを含む。
【０４１３】
プロセッサ１０１により取得された第１のＣＱＩテーブル内の第２のＭＣＳテーブルにおける変調方式が６４ＱＡＭである少なくとも１つのエントリは、第２のＭＣＳテーブルにおいて変調方式が６４ＱＡＭである全てのエントリか、または、第２のＭＣＳテーブルにおいて変調方式が６４ＱＡＭである幾つかのエントリ、および、第２のＭＣＳテーブルにおいて変調方式が６４ＱＡＭである全てのエントリのうち最小のＭＣＳインデックスを有するエントリを除く少なくとも１つのエントリを含む。
【０４１４】
プロセッサ１０１により取得された第１のＣＱＩテーブル内の第２のＭＣＳテーブルにおける変調方式が６４ＱＡＭである少なくとも１つのエントリは、第２のＭＣＳテーブルにおける変調方式が６４ＱＡＭである全てのエントリのうち最大ＭＣＳインデックスを有するエントリ内のＴＢＳインデックスと同じである、第１のＭＣＳテーブルにおける変調方式が６４ＱＡＭより高い全てのエントリのうち最小のＭＣＳインデックスに対応するエントリ内のＴＢＳインデックスを含む。
【０４１５】
プロセッサ１０１により取得された第１のＭＣＳテーブル内のＭＣＳインデックスの値範囲は第２のＭＣＳテーブル内のＭＣＳインデックスの値範囲と同じである。
【０４１６】
図１１に示すように、本発明の１実施形態はさらに、変調符号化方式ＭＣＳに関する通知装置１１を提供する。通知装置１１は、第１のＭＣＳテーブルを取得するように構成されたプロセッサ１１１と、基地局により送信された第１のＭＣＳインデックスを受信するように構成された受信器１１２であって、第１のＭＣＳインデックスはプロセッサ１１１により取得された第１のＭＣＳテーブルに従って基地局により決定される、受信器１１２とを備える。プロセッサ１１１は当該プロセッサにより取得された第１のＭＣＳテーブルおよび受信器により受信された第１のＭＣＳインデックスに従って変調順序および符号ブロック・サイズを決定するように構成され、プロセッサ１１１により取得された第１のＭＣＳテーブルは、変調方式が６４ＱＡＭより高いエントリと、第２のＭＣＳテーブルにおいて変調方式がＱＰＳＫである少なくとも１つのエントリであって、変調方式がＱＰＳＫである少なくとも１つのエントリは第２のＭＣＳテーブルにおいて変調方式がＱＰＳＫである少なくとも１つのエントリにより形成された組合せのうち第１の組合せを除く組合せを含み、第１の組合せは、第２のＭＣＳテーブル内のＱＰＳＫに対応する連続する最大ＭＣＳインデックスを有するＫ個のエントリであり、Ｋは４に等しいかまたはＫは５未満の正の整数であるかまたはＫは正の整数である少なくとも１つのエントリ、および／または第２のＭＣＳテーブルにおいて変調方式が１６ＱＡＭである少なくとも１つのエントリとを含み、第２のＭＣＳテーブルにおいて変調方式はＱＰＳＫ、１６ＱＡＭ、および６４ＱＡＭのみを含む。
【０４１７】
プロセッサ１１１は特に、プロセッサ１１１により取得された第１のＭＣＳテーブルおよび受信した第１のＭＣＳインデックスに従って第１のＴＢＳインデックスおよび変調順序を決定し、第１のＴＢＳインデックス、第１のＰＲＢ量、および第１のＴＢＳテーブルに従って符号ブロック・サイズを決定するように構成され、第１のＰＲＢ量は基地局によりＵＥに割り当てられたＰＲＢ量であるか、または、第１のＰＲＢ量はＵＥに割り当てられたＰＲＢ量と特定の係数の積以下の最大整数であり、第１のＴＢＳテーブルは各ＴＢＳインデックスに対応する少なくとも１つのＰＲＢ量および各ＰＲＢ量に対応する転送ブロック・サイズを含み、第１のＴＢＳテーブルは第１のＭＣＳテーブルに対応するＴＢＳテーブルであり、第１のＴＢＳテーブル内のＴＢＳインデックスの値範囲は０乃至Ａであり、Ａは２６以下の正の整数であるか、または、第１のＴＢＳテーブル内のＴＢＳインデックスの値範囲は０乃至Ｂであり、Ｂは２６以上の正の整数であり、第１のＴＢＳテーブルにおける値範囲が０乃至２６であるＴＢＳインデックスに対応する転送ブロック・サイズは値範囲が第２のＴＢＳテーブルにおいて０乃至２６であるＴＢＳインデックスに対応する転送ブロック・サイズと同じであり、第２のＴＢＳテーブル内のＴＢＳインデックスの値範囲は０乃至２６であり、第２のＴＢＳテーブルは各ＴＢＳインデックスに対応する少なくとも１つのＰＲＢ量および各ＰＲＢ量に対応する転送ブロック・サイズを含む。
【０４１８】
プロセッサ１１１により取得された第１のＭＣＳテーブル内の第２のＭＣＳテーブルにおいて変調方式がＱＰＳＫである少なくとも１つのエントリは、第２のＭＣＳテーブルにおいて変調方式がＱＰＳＫである幾つかのエントリであって、当該幾つかのエントリに対応するＭＣＳインデックスは均等な間隔にある、幾つかのエントリか、または、第２のＭＣＳテーブルにおいて変調方式がＱＰＳＫである幾つかのエントリであって、当該幾つかのエントリに対応するＭＣＳインデックスは均等な間隔にない、幾つかのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは連続的である、幾つかのエントリおよび少なくとも１つのエントリを含む。
【０４１９】
プロセッサ１１１により取得された第１のＭＣＳテーブル内の第２のＭＣＳテーブルにおける変調方式が１６ＱＡＭである少なくとも１つのエントリは第２のＭＣＳテーブルにおける変調方式が１６ＱＡＭである全てのエントリか、または、第２のＭＣＳテーブルにおける変調方式が１６ＱＡＭである幾つかのエントリであって、当該幾つかのエントリに対応するＭＣＳインデックスは均等な間隔にある、幾つかのエントリか、または、第２のＭＣＳテーブルにおける変調方式が１６ＱＡＭである幾つかのエントリであって、当該幾つかのエントリに対応するＭＣＳインデックスは均等な間隔にない、幾つかのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち、最大の第２のＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大のＭＣＳインデックスを有するエントリを除く少なくとも１つのエントリであって、当該幾つかのエントリに対応するＭＣＳインデックスは連続的である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大ＭＣＳインデックスを有するエントリおよび最小のＭＣＳインデックスを有するエントリを除く少なくとも１つのエントリ、を含む。
【０４２０】
プロセッサ１１１により取得された第１のＭＣＳテーブルはさらに、第２のＭＣＳテーブルにおいて変調方式が６４ＱＡＭである少なくとも１つのエントリを含む。
【０４２１】
プロセッサ１１１により取得された第１のＭＣＳテーブル内の第２のＭＣＳテーブルにおける変調方式が６４ＱＡＭである少なくとも１つのエントリは、第２のＭＣＳテーブルにおいて変調方式が６４ＱＡＭである全てのエントリか、または、第２のＭＣＳテーブルにおいて変調方式が６４ＱＡＭである幾つかのエントリ、および、第２のＭＣＳテーブルにおいて変調方式が６４ＱＡＭである全てのエントリのうち最小のＭＣＳインデックスを有するエントリを除く少なくとも１つのエントリを含む。
【０４２２】
プロセッサ１１１により取得された第１のＭＣＳテーブル内の第２のＭＣＳテーブルにおける変調方式が６４ＱＡＭである少なくとも１つのエントリは、第２のＭＣＳテーブルにおける変調方式が６４ＱＡＭである全てのエントリのうち最大ＭＣＳインデックスを有するエントリ内のＴＢＳインデックスと同じである、第１のＭＣＳテーブルにおける変調方式が６４ＱＡＭより高い全てのエントリのうち最小のＭＣＳインデックスに対応するエントリ内のＴＢＳインデックスを含む。
【０４２３】
プロセッサ１１１により取得された第１のＭＣＳテーブル内のＭＣＳインデックスの値範囲は第２のＭＣＳテーブル内のＭＣＳインデックスの値範囲と同じである。
【０４２４】
図１２に示すように、本発明は変調符号化方式ＭＣＳのための通知装置を提供する。当該装置は、第１のＣＱＩテーブルおよび第１のＭＣＳテーブルを取得するように構成されたプロセッサ１２１と、第１のＣＱＩインデックスを受信するように構成された受信器１２２であって、第１のＣＱＩインデックスは第１のＣＱＩテーブルに従ってＵＥにより決定される受信器１２２と、プロセッサ１２１により決定された第１のＭＣＳインデックスをＵＥに送信するように構成された送信器１２３とを備える。プロセッサ１２１は、当該取得した第１のＣＱＩテーブル、当該取得された第１のＭＣＳテーブル、および受信器により受信された第１のＣＱＩインデックスに従って第１のＭＣＳインデックスを決定するように構成され、プロセッサ１２１により取得された第１のＣＱＩテーブルは変調方式が６４ＱＡＭより高いエントリを含み、プロセッサ１２１により取得された第１のＣＱＩテーブル内のエントリはプロセッサ１２１により取得された第１のＣＱＩテーブル内の各ＣＱＩインデックスに対応する１つの変調方式、１つの符号化率、および１つのスペクトル効率を指し、プロセッサ１２１により取得された第１のＭＣＳテーブルは、変調方式が６４ＱＡＭより高いエントリと、第２のＭＣＳテーブルにおいて変調方式がＱＰＳＫである少なくとも１つのエントリであって、変調方式がＱＰＳＫである少なくとも１つのエントリは第２のＭＣＳテーブルにおいて変調方式がＱＰＳＫである少なくとも１つのエントリにより形成された組合せのうち第１の組合せを除く組合せを含み、第１の組合せは、第２のＭＣＳテーブル内のＱＰＳＫに対応する連続する最大ＭＣＳインデックスを有するＫ個のエントリであり、Ｋは４に等しいかまたはＫは５未満の正の整数であるかまたはＫは正の整数である少なくとも１つのエントリ、および／または第２のＭＣＳテーブルにおいて変調方式が１６ＱＡＭである少なくとも１つのエントリとを含み、第２のＭＣＳテーブルにおいて変調方式はＱＰＳＫ、１６ＱＡＭ、および６４ＱＡＭのみを含む。
【０４２５】
プロセッサ１２１により取得された第１のＭＣＳテーブル内の第２のＭＣＳテーブルにおいて変調方式がＱＰＳＫである少なくとも１つのエントリは、第２のＭＣＳテーブルにおいて変調方式がＱＰＳＫである幾つかのエントリであって、当該幾つかのエントリに対応するＭＣＳインデックスは均等な間隔にある、幾つかのエントリか、または、第２のＭＣＳテーブルにおいて変調方式がＱＰＳＫである幾つかのエントリであって、当該幾つかのエントリに対応するＭＣＳインデックスは均等な間隔にない、幾つかのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおいて変調方式がＱＰＳＫである幾つかのエントリ、および、第２のＭＣＳテーブルにおいて変調方式がＱＰＳＫである全てのエントリのうち最大ＭＣＳインデックスを有するエントリを除く少なくとも１つのエントリであって、当該幾つかのエントリに対応するＭＣＳインデックスは連続的である、幾つかのエントリおよび少なくとも１つのエントリを含む。
【０４２６】
プロセッサ１２１により取得された第１のＭＣＳテーブル内の第２のＭＣＳテーブルにおける変調方式が１６ＱＡＭである少なくとも１つのエントリは第２のＭＣＳテーブルにおける変調方式が１６ＱＡＭである全てのエントリか、または、第２のＭＣＳテーブルにおける変調方式が１６ＱＡＭである幾つかのエントリであって、当該幾つかのエントリに対応するＭＣＳインデックスは均等な間隔にある、幾つかのエントリか、または、第２のＭＣＳテーブルにおける変調方式が１６ＱＡＭである幾つかのエントリであって、当該幾つかのエントリに対応するＭＣＳインデックスは均等な間隔にない、幾つかのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち、最大の第２のＭＣＳインデックスを有するエントリを除く少なくとも１つのエントリであって、当該幾つかのエントリに対応するＭＣＳインデックスは不連続である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大のＭＣＳインデックスを有するエントリを除く少なくとも１つのエントリであって、当該幾つかのエントリに対応するＭＣＳインデックスは連続的である、幾つかのエントリおよび少なくとも１つのエントリか、または、第２のＭＣＳテーブルにおける変調方式が１６ＱＡＭである幾つかのエントリ、および、第２のＭＣＳテーブルにおける変調方式が１６ＱＡＭである全てのエントリのうち最大ＭＣＳインデックスを有するエントリおよび最小のＭＣＳインデックスを有するエントリを除く少なくとも１つのエントリ、を含む。
【０４２７】
プロセッサ１２１により取得された第１のＭＣＳテーブルはさらに、第２のＭＣＳテーブルにおいて変調方式が６４ＱＡＭである少なくとも１つのエントリを含む。
【０４２８】
プロセッサ１２１により取得された第１のＭＣＳテーブル内の第２のＭＣＳテーブルにおける変調方式が６４ＱＡＭである少なくとも１つのエントリは、第２のＭＣＳテーブルにおいて変調方式が６４ＱＡＭである全てのエントリか、または、第２のＭＣＳテーブルにおいて変調方式が６４ＱＡＭである幾つかのエントリ、および、第２のＭＣＳテーブルにおいて変調方式が６４ＱＡＭである全てのエントリのうち最小のＭＣＳインデックスを有するエントリを除く少なくとも１つのエントリを含む。
【０４２９】
プロセッサ１２１により取得された第１のＭＣＳテーブル内の第２のＭＣＳテーブルにおける変調方式が６４ＱＡＭである少なくとも１つのエントリは、第２のＭＣＳテーブルにおける変調方式が６４ＱＡＭである全てのエントリのうち最大ＭＣＳインデックスを有するエントリ内のＴＢＳインデックスと同じである、第１のＭＣＳテーブルにおける変調方式が６４ＱＡＭより高い全てのエントリのうち最小のＭＣＳインデックスに対応するエントリ内のＴＢＳインデックス含む。
【０４３０】
プロセッサ１２１により取得された第１のＭＣＳテーブル内のＭＣＳインデックスの値範囲は第２のＭＣＳテーブル内のＭＣＳインデックスの値範囲と同じである。
【０４３１】
図９乃至図１２に示した装置は、上述の方法の実施形態で提供した方法を独立に実装できることに留意されたい。詳細については、上述の実施形態の説明を参照されたい。当該装置により達成される効果については、上述の実施形態の説明を参照されたい。
【０４３２】
便宜および説明の簡単さのため、以上の機能モジュールの分割は説明のため１例として使用したにすぎないことは、当業者によって明らかに理解される。実際の適用では、以上の機能を要件に従って様々な機能モジュールに割り当てて実装することができる。即ち、当該装置の内部構造は、上述の機能の全部または一部を実装するために様々な機能モジュールに分割される。以上のシステム、装置、およびユニットの詳細な動作プロセスについては、上述の方法の実施形態における対応するプロセスを参照されたい。詳細についてはここでは再度提供することはしない。
【０４３３】
本願で提供した幾つかの実施形態では、開示したシステム、装置、および方法を他の方式で実装してもよいことは理解される。例えば、説明した装置の実施形態は例にすぎない。例えば、当該ユニット分割は論理的な機能分割にすぎず、実際の実装では他の分割があってもよい。例えば、複数のユニットまたはコンポーネントを組み合せるかまたは別のシステムに統合してもよく、または幾つかの機能を無視するかまたは実施しなくてもよい。さらに、表示または議論した相互結合または直接結合または通信接続を何らかのインタフェースを用いて実装してもよい。当該装置またはユニットの間の間接結合または通信接続を電気的、機械的、または他の形態で実装してもよい。
【０４３４】
別々の部分として説明したユニットが物理的に別々であってもなくてもよく、ユニットとして表示した部分が物理ユニットであってもなくてもよく、１つの位置に配置されてもよく、またはネットワーク・ユニットに分散してもよい。当該ユニットの一部または全部を、諸実施形態の解決策の目的を達成するための実際のニーズに従って選択してもよい。
【０４３５】
さらに、本発明の諸実施形態における機能ユニットを、１つの処理ユニットに統合してもよく、または当該ユニットの各々が物理的に単体で存在してもよく、または２つ以上のユニットが１つのユニットに統合される。当該統合ユニットをハードウェアの形態で実装してもよく、またはソフトウェア機能ユニットに加えてハードウェアの形態で実装してもよい。
【０４３６】
上述の統合ユニットをソフトウェア機能ユニットの形態で実装するとき、当該統合ユニットをコンピュータ可読記憶媒体に格納してもよい。当該ソフトウェア機能ユニットは記憶媒体に格納され、本発明の諸実施形態で説明した方法の諸ステップの一部を実施するようにコンピュータ装置（パーソナル・コンピュータ、サーバ、またはネットワーク装置であってもよい）に指示するための幾つかの命令を含む。以上の記憶媒体は、ＵＳＢフラッシュ・ドライブ、取外し可能ハードディスク、読取専用メモリ（Ｒｅａｄ−Ｏｎｌｙ  Ｍｅｍｏｒｙ、略してＲＯＭ）、ランダム・アクセス・メモリ（Ｒａｎｄｏｍ  Ａｃｃｅｓｓ  Ｍｅｍｏｒｙ、略してＲＡＭ）、磁気ディスク、または光ディスクのような、プログラム・コードを格納できる任意の媒体を含む。
【０４３７】
最後に、上述の実施形態は、本発明を限定するのではなく本発明の技術的解決策を説明するためのものにすぎないことに留意されたい。以上の実施形態を参照して本発明を詳細に説明したが、当業者が上述の実施形態で説明した技術的解決策に修正を加えまたはその幾つかの技術的特徴に均等な置換えを、かかる修正または置換えが対応する技術的解決策の本質を本発明の諸実施形態の技術的解決策の趣旨と範囲から逸脱させない限り行ってもよいことは当業者には理解される。
【符号の説明】
【０４３８】
５１  取得モジュール
５２  送信モジュール
５３  第１の取得モジュール
６１  取得モジュール
６２  受信モジュール
６３  決定モジュール
６３１  第１の決定サブモジュール
６３２  第２の決定サブモジュール
６４  送信モジュール
７１  取得モジュール
７２  受信モジュール
７３  決定モジュール
７４  送信モジュール
８１  取得モジュール
８２  受信モジュール
８３  決定モジュール
８３１  第１の決定サブモジュール
８３２  第２の決定サブモジュール
９１  プロセッサ
９２  送信器
１０１  プロセッサ
１０２  受信器
１０３  送信器
１１１  プロセッサ
１１２  受信器
１２１  プロセッサ
１２２  受信器
１２３  送信器
【図１】
0006312007.tif 000018
【図２】
0006312007.tif 000019
【図３】
0006312007.tif 000020
【図４】
0006312007.tif 000021
【図５】
0006312007.tif 000022
【図６】
0006312007.tif 000023
【図７】
0006312007.tif 000024
【図８】
0006312007.tif 000025
【図９】
0006312007.tif 000026
【図１０】
0006312007.tif 000027
【図１１】
0006312007.tif 000028
【図１２】
0006312007.tif 000029